(57)【要約】【課題】本発明は、現在までの日本国の900兆円越えの全額国の借金返済の為の特許技術と都道府県市町村区の全額借金返済の為の特許技術に関する説明。【解決手段】本発明の公共事業の世界初の新技術は、公共事業の水力発電技術のダム水のスピードを上げる為に、ダム水を、落とし込むダム水誘導官を、ストレート官からスクリュー官に変える事で、水のスピードを、上げる事によって水車プロペラ型ダイナモ発電量を増やす事を可能にした世界初のダム水発電官に世界初のスクリュー官を使用した水力発電技術によって日本国の900兆円越えの日本国の全額借金返済の為のスクリュー官の公共事業対策世界最新技術。【選択図】図1
2010165355.tif 000002
【特許請求の範囲】
【請求項１】
本発明の公共事業の世界初の新技術は、公共事業の水力発電技術のダム水のスピードを上げる為に、ダム水を、落とし込むダム水誘導官を、ストレート官からスクリュー官に
変える事で、水のスピードを、上げる事によって水車プロペラ型ダイナモ発電量を増やす事を可能にした世界初のダム水発電官に世界初のスクリュー官を使用した水力発電技
術によって日本国の900兆円越えの日本国の全額借金返済の為のスクリュー官の公共事業対策世界最新技術。
【請求項２】
本発明の公共事業の世界初の新技術は、公共事業の火力発電の沸騰水タービンを、作動させる為の沸騰水ストレート官から、沸騰水スクリュー官に変える事で、沸騰水スピー
ドを、沸騰水ストレート官より、沸騰水スピードを上げる事で、沸騰水タービン水車型プロペラダイナモを、今まで以上にタービン回転スピードを上げる事が出来る世界で初
めての火力発電の沸騰水スクリュー官を使用した火力発電技術によって日本国の900兆円越えの日本国の全額借金返済の為のスクリュー官の公共事業対策世界最新技術。
【請求項３】
本発明の公共事業の世界初の新技術は、公共事業の原子力発電の沸騰水タービンを作動させる為のタービン沸騰水ストレート官から、沸騰水スクリュー官に変える事で、沸騰
水スピードを、沸騰水ストレート官より、沸騰水スピードを上げる事が出来るスクリュー官技術にする事で、原子力発電のタービンスピードを、今まで以上に上げる事を可能
にする世界最新技術によって、日本国の900兆円越えの日本国の全額借金返済の為のスクリュー官の公共事業対策世界最新技術
【請求項４】
本発明の公共事業の世界初の新技術は、公共事業のダイナモ発電量を上げる為に、水力発電タービン回転ダイナモ発電と火力発電タービンダイナモ発電と原子力発電タービン
ダイナモを、世界初の高出力ダイナモ技術の軽水素トリチウム電子入り圧電素子磁石体を、通常ダイナモの中央部分を、削り取った場所に代わりに軽水素トリチウム電子入り
圧電素子磁石体を内蔵した世界初の軽水素トリチウム電子入り高出力ダイナモ装置によって、通常ダイナモ発電量と圧電素子磁石体の通常ダイナモ電気打撃発電量と軽水素ト
リチウム電子入りの圧電素子磁石体の軽水素トリチウム電子増幅発電量の三種類のダイナモ発電電気量を得る事の出来る世界初の高出力ダイナモ発電技術によって、日本国の9
00兆円越えの日本国の全額借金返済の為の高出力ダイナモ技術を使用した公共事業対策世界最新技術。
【請求項５】
本発明の、公共事業の世界初の新技術は、公共事業の発電処理水を電気消費を少なくしたモータを使用した水中ポンプで汲み上げる技術に対して、水力発電所の水力水車プロ
ペラダイナモ発電後の水を、ダム本体に通常は、水中ポンプを用いて水を組み上げている技術を、全く新しく変えた世界初の真空装置を使った新技術のモーターの内コイルの
鉄板の中心部を、軽水素トリチウム電子入り圧電素子磁石体物質を、代わりに入れる世界初のモーターコイル世界新技術とモーターコイル配線を、世界初のモーターコイル配
線技術の軽水素トリチウム電子入り圧電素子磁石体をモーターコイルの銅線を、筒状にした銅筒官配線に軽水素トリチウム電子入り圧電素子磁石体物質を入れた世界初のモー
ターコイル配線構造をしたモーターコイルと世界初のモーターコイル板構造の軽水素トリチウム電子入り圧電素子磁石体に、複数穴空きステンレス板を被せた構造の軽水素ト
リチウム電子入りの圧電素子磁石体の電気打撃発電効果によって、世界で一番電気消費が少なくて世界最高速回転可能なモーターと世界で一番力の有るモーター高出力構造を
可能にした世界最新技術によって、日本国の900兆円越えの日本国の全額借金返済の為の高出力モーターを使用した公共事業対策世界最新技術。
【請求項６】
本発明の、公共事業の世界初の新技術は、公共事業の水力発電所の発電後の水を、大型貯水槽に世界初の高出力モーター付きの電動仕切り弁技術を使った超大型高出力モータ
ー付き真空装置によって、水力ダム発電後の水を、瞬間に気化させて、電気消費の少ないスクリュー官と気化水送風フアン方式によって、ダムの発電後の水を、24時間ダム本
体に少ない電気消費で、水を戻す事によって、日本国の900兆円越えの日本国の全額借金返済の為の高出力モーター使用の電動仕切り弁付き超大型水槽の水を高出力モーター使
用の大型真空装置によって、水力発電後の水を少ない電気で、ダム本体へ発電後の水を送る技術によって、日本国の全額借金返済の為の高出力モーターを使用した公共事業対
策世界最新技術。
【請求項７】
本発明の、公共事業の世界初の新技術は、公共事業の水力発電所の気化水をダム発電所の下流から、ダム本体の上流部の水中に電気消費を少なくして、ダム水力発電処理水の
全ての水を、ダム本体に24時間態勢で高出力モーターを積載した真空装置と真空装置吸引送風モーターに、世界初の技術の高出力2連結以上モーターを積載する事で、高速作動
によって、水力ダムの発電処理水を、ダム本体に全て少ない電気量で、戻す事を可能にした世界初の技術の高出力2連結以上モーター技術によって、日本国の全額借金返済の為
のダム発電水の100パーセント循環発電を、可能にして、水不足解消の公共事業対策世界最新技術。
【請求項８】
本発明の、公共事業の世界初の新技術は、公共事業の水不足を解消する為に、海水を瞬間に真水に変える為に、通常真空装置のベルトの代わりに複数歯車を使用した構造の歯
車に、世界初の技術の高出力モーターを積載した超高速回転可能な真空装置と世界初の技術の高出力モーターを積載した電動モーター仕切り弁装置と大型電動仕切り弁付き水
槽を二つ用意して、超高速真空装置で、海水の貯蓄タンクの空気を、瞬間に全て抜き取って海水の塩と不純固形物と真水に瞬間的に変える世界中で例の無い海水を、瞬間に真
水に変える技術によって、世界の水不足対策の為の超高速真空装置と超高速高出力水中ポンプを、使った海水を瞬間に真水に変える技術によって、日本国の全額借金返済の為
の水不足に備えた世界初の高速高出力真空装置によって、海水を真水に変える技術によって水不足解消対策とした公共事業対策世界最新技術。
【請求項９】
本発明の、公共事業の世界初の新技術は、公共事業のコンクリートの劣化を防ぐ世界で、初めての透明グラスファイバーパネルの中に固形窒素を入れた世界初の技術によって
コンクリート型枠を、永遠に外さない世界で初めてのコンクリート打設工法によって、透明グラスファイバー型枠とコンクリートの間に真空層を作ると同時に、固形窒素のコ
ンクリート冷却効果によって、コンクリート劣化を、更に雨劣化と風劣化と太陽光熱劣化から、守る最大のコンクリート劣化防止工法によって、コンクリートの寿命を延ばし
て公共事業費の削減によって、日本国の全額借金返済の為のコンクリート劣化を防いだ日本国の全額借金返済の為の公共事業費削減対策世界最新技術。
【請求項１０】
本発明の、公共事業の世界初の新技術は、公共事業の敷地利用対策として、世界初のソーラーパネル技術の軽水素トリチウム電子入り圧電素子磁石体粒子内蔵シリコンソーラ
ーパネル技術は、太陽光発電だけで無く、夜の暗闇でも、外気温が高い場合は、軽水素トリチウム電子のシリコン発電効果と圧電素子磁石体の軽水素トリチウム電子入りのシ
リコンパネルの外気熱吸収発電の熱電気の磁気変換をする事が出来る世界で初めての外気熱吸収発電と熱エネルギーを磁気変換させて、効率良く太陽光発電出来る世界で初め
ての技術の軽水素トリチウム電子入り圧電素子磁石体粒子内蔵シリコンソーラーパネル装置によって、日本国の全額借金返済の為の夜でも、外気温が高くても発電可能な装置
によって、日本国の全額借金返済を可能にする公共事業対策世界最新技術。
【請求項１１】
本発明の、公共事業の世界初の新技術は、積雪凍結地帯のリニアーモーターカーの世界最新の除雪対策技術の公共事業対策として、複数歯車のベルト無の高出力モーターを使
用した世界初の技術のスクリューエアー官を、線路両脇沿いにビッシリとスクリューエアー官を並べて高速エアー壁を作る事によって、雪を線路内に降り注がない用にした世
界で初めての技術によって、積雪凍結地帯の雪対策を講じた公共事業対策によって、日本国の全額借金返済の為の公共事業の積雪凍結対策を可能にした世界最新技術。
【請求項１２】
本発明の、公共事業の世界初の新技術は、夏場の歩道の舗装熱を利用した世界初の舗装熱発電パネル構造は、軽水素トリチウム電子入り圧電素子磁石体粒子内蔵シリコンダイ
オード熱発電パネル構造のパネルは、通常ソーラーパネルのシリコンに、軽水素トリチウム電子と圧電素子磁石体粒子を、混合合成する事で、軽水素トリチウム電子の熱吸収
効果によって、24時間の外気温による舗装熱吸収した軽水素トリチウム電子入りシリコンは、圧電素子磁石体粒子効果によって、軽水素トリチウム電子入りシリコン電気熱瞬
間に磁気電気に出来る外気熱及び舗装熱を、瞬間に発電する為の装置で有り、舗装熱によって、溶けないようにセラミックカバーまたは陶器カバーを掛けた世界初の舗装熱発
電パネルによって、日本国の全額借金返済の為の公共事業の夏場の電力不足を補う為の舗装熱と夜間の外気温による舗装熱発電を可能にした世界最新技術。  
【請求項１３】
本発明の、公共事業の世界初の新技術は、沖縄本島の飛行機滑走路の騒音を、取り除く為に海上の浅瀬に、船またはいかだ方式の大型削岩機によって、1メーターの直径程の穴
を海底の地盤に穴を開けて、穴あき穴空き鉄筋入りコンクリート空洞杭と鋼鉄イボ付き杭を、セメントで固定した複数の杭による海上滑走路場に、ビニールナイロンカバー付
き複数穴空き鋼鉄板を、滑走路上に鋼鉄ポルトナットで、海上の杭に固定した世界初の海を埋め立てない海上滑走路によって、沖縄の飛行機騒音を、陸地から離れた場所に設
置する事で、2009年まで、騒音被害に悩んで来た世界初の対策方法によって、日本国の全額借金返済の為の二度と壊さなくて良い鋼鉄杭構造と複数穴空き鋼鉄板構造の板装置
によって、劣化したコンクリート部分だけの補修を、繰り返すだけの海上滑走路の世界初の世界最新公共事業の工事工法の世界最新技術。
【請求項１４】
本発明の、公共事業の世界初の新技術は、河川に世界初の技術の高出力電動モーター仕切り弁水門を河川の水止め装置に一つ設けて、河川の増水した水を、取り込む河川横サ
イドに高出力電動モーター仕切り弁水門を複数設けて、更に増水した水を貯水する為の地下シルドトンネルは、大型ビニール管に金属官とグラスファイバーを、重ねた三重官
は、二度と取り壊す事が絶対に無い構造のシールド官に高出力電動仕切り弁装置を取り付けた河川両サイドの地下シールド装置の水を、超大型高速真空装置技術によって、瞬
間に河川の増水した水を、気化させて、スクリュー官によって、海中に戻す方法または、空気中に放出する事で、手中豪雨災害を、防いだ日本国の全額借金返済の為の公共事
業の手中豪雨災害を、完全に防いだ世界初の手中豪雨災害を食い止める事を可能にした公共事業の世界最新技術。
【請求項１５】
本発明の、公共事業の世界初の新技術は、長年家庭の流し水処理と風呂水処理を、下水管使用に頼って来た世界同一技術を、下水管無しの世界初の新技術は、高出力モーター
を使った高速真空装置を使って、流し水と風呂水を、世界初の高出力電動モーター仕切り弁装置を使った地下の大型貯蓄水槽の空気を、高速真空装置を使って瞬間に抜き取る
技術によって、下水道排水と風呂排水を、固形不純物の全く入って無い真水を、もう一つの地下貯蓄水槽の水中に気化水を、戻す世界初の技術によって、水の再利用を、可能
にした世界初の下水道管無しの高出力モーターを使った高速真空装置と高出力電動仕切り弁を使った生活排水処理装置によって、下水道管を小さくする事を可能にした日本国
の全額借金返済の為の水不足解消を兼ねた世界初の高出力モーターの新技術を備えた高速真空装置と高出力電動モーター仕切り弁装置を使った流し水と風呂水の瞬間濾過の再
利用水の作りかたの公共事業の世界最新技術。
【請求項１６】
本発明の、公共事業の世界初の新技術は、公共事業の工事事故のマンホール関係の水道と下水道とガスと電気配線とテレビ配線とラジオ配線とインターネット配線の工事の配
線接断事故を無くす為の対策とマンホール内の24時間監視カメラ映像の入手方法の為に、衛星送受信アンテナを取り付けたマンホール鍵付き蓋装置に、世界初の新技術のダイ
オードライトに、軽水素トリチウム電子を入れた世界初の新技術の軽水素トリチウム電子入り発光ダイオードライト装置を積載して、世界初の新技術の無給油及び無充電方式
の自動充電池または、2連振子型充電池の連続した発電充電池を使用して、マンホール観測カメラと衛星位置地図装置とマンホール内蔵設置ガス濃度確認連絡装置によって、24
時間のマンホール監視とマンホールとマンホールの距離とマンホール官の深さを、全自動に掘削機械及び掘削高さ深さ計測装置にマンホールとマンホールを結ぶ官の位置及び
埋設深さを24時間体制で、全自動連絡する事で、地下埋設物の破損事故を、少なくすると同時に公共事業のスピード化と事故防止を目的とした装置によって、日本国の全額借
金返済の為の地下埋設物事故を防ぐ衛星埋設物位置確認認識連絡装置と衛星マンホール官無い全自動24時間魚眼とつレンズ合わせ一つ削りレンズカメラの世界最新カメラレン
ズ技術によって、マンホール官内の24時間映像を、世界で一番電気消費の少ない発光ダイオードライトより、更に電気消費を少なくした軽水素トリチウム電子入り発光ダイオ
ードライト玉装置によって、少ない電気消費によって、マンホール官内の24時間撮影を可能にした公共事業の世界最新技術。
【請求項１７】
本発明の、公共事業の世界初の新技術は、世界で最も電気消費の少ないとされている発光ダイオードライト世界最新技術を更に越える電気消費を少なくした世界初の発光ダイ
オードライト玉装置は、世界最新技術の軽水素トリチウム電子を、発光ダイオードに混合合成する事で、更に少ない電気量で、発光するライトを世界で初めて可能にする事で、
自動車のライト及びその他の機械のライトの玉装置及び電気製品全ての発光ダイオードライト玉装置と室内の発光ダイオードライト玉装置と人工衛星の発光ダイオード玉装置
とロボットの発光ダイオードライト玉装置など、全てのライトに使用出来る世界最新技術の軽水素トリチウム電子入り発光ダイオードライト玉装置は、日本国の全額借金返済
の為の、弱者庶民主体の生活自立工場と国の全額借金返済の為の世界進出事業可能な公共事業の世界最新技術。
【請求項１８】
本発明の、公共事業の世界最新技術は、世界で例の無い無害無給油及び無充電の世界初の自動電池は、世界初の発電回路技術は、プラス発電回路技術とマイナス発電回路技術
の二つの
発電回路の発電方法として、圧電素子の圧電素子の電子発生原理を応用した圧電素子に軽水素トリチウム電子を混合合成した圧電素子磁石体の中央部分に電子誘導体
を内蔵したプラス圧電素子磁気に電気配線を取り付けた軽水素トリチウム電子入り圧電素子プラス発電回路とマイナス圧電素子磁気に電気配線を取り付けた軽水素トリチウム
電子入り圧電素子マイナス発電回路それぞれに、強い電気を流す事で軽水素トリチウム電子と圧電素子磁石体の電気打撃圧電効果によって、プラス発電回路とマイナス発電回
路から増幅プラス電気と増幅マイナス電気を、得る事の出来る発電回路を複数内蔵設置した世界初の自動電池を使った世界進出事業によって、日本国の全額借金返済の為の弱
者庶民主体の生活自立工場の設置と国の全額借金返済の為の世界進出事業可能な公共事業の世界最新技術。
【請求項１９】
本発明の、公共事業の世界最新技術は、コンクリート劣化防止の固形窒素入りグラスファイバーパネルの供給が、多くなる為、再利用プラスチック材の確保と再利用ガラス材
の確保が、間違い無く始まる為に世界最新技術のニクロム線筒構造の中にテングステン金属を入れた世界で初めての電熱線を使用して、混合ゴミのプラスチックだけを溶かし
て集めるプラスチック再利用技術によって、これから益々得る固形窒素入りグラスファイバーの供給に備えた世界初の電気消費の少ない電熱線を使った混合ゴミのプラスチッ
ク材を、集める事で、公共事業のコンクリート劣化を遅らせる固形窒素入りグラスフアイバーの材料確保する事で、日本国の全額借金返済の為の、世界進出出来るコンクリー
ト劣化を、遅らせる固形窒素入りグラスファイバーパネルの再生プラスチックを作るニクロム線筒テングステン金属入り新技術によって、新たな国の全額借金返済を早く出来
る電気消費を少なくした世界初のテングステン金属入りニクロム線筒構造の装置を使用した公共事業の世界最新技術。
【請求項２０】
本発明の、公共事業の世界最新技術は、公共事業の固形窒素入りグラスファイバーパネルビルの全てのガラスを、二枚合わせガラスにした構造にして、二枚合わせのガラスの
間に、軽水素トリチウム電子入りシリコン網入り二枚合わせ発電ガラスは、ガラス視界を保ちながら、太陽光熱発電と外気熱発電と部屋熱発電の三つの発電を、可能にした世
界初の新技術によって、公共事業の電力不足と原子力発電に依存していた世界の電気発電事情を、根本的に変える事の出来る軽水素トリチウム電子入りシリコン網入り二枚合
わせ発電ガラス事業の世界進出によって、日本国の全額借金返済と都道府県市町村区の全額借金返済を、一日も早く済ませて日本トップの企業利益者を超える日本の弱者国民
一人一人の財団を、作って永遠に弱者庶民全体が自立出来る社会作りの為の世界初の軽水素トリチウム電子入りシリコン網入り二枚合わせ発電ガラスの世界初の技術によって、
夏場の日光の弱冠遮断と世界で初めての太陽光熱及び外気熱及び部屋熱のいずれでも発電可能な技術の発電ガラス公共事業の世界最新技術。
【請求項２１】
本発明の、公共事業の世界最新技術は、近年の世界各国の地震災害に対応出来る鋼鉄四角形波形状滑り止め砂鉄吹き付け鉄筋の世界初の鋼鉄鉄筋の形状と結束線滑り止め構造
の砂鉄吹き付け鋼鉄鉄筋構造を、使用する事で、今後未来は、コンクリート劣化に対しての修復工事として、コンクリートの外壁を少しだけ削って別のコンクリートを巻いた
りグラスファイバーを巻きつけたりする事によって、全てのコンクリートを、壊さないコンクリート劣化対策工事を、鋼鉄鉄筋を使用する事で可能に成り、鋼鉄鉄筋の結束線
滑り止めの世界最新技術と共に、鋼鉄鉄筋と鋼鉄鉄筋を止める鋼鉄鉄筋カバーポルトナットによって、鉄筋同志を、溶接した上から止める事が出来る二重鋼鉄鉄筋接合技術に
よって、鋼鉄鉄筋の地震コンクリート破壊事故を防いだ世界初のコンクリート地震破壊防止を防いだ世界で一度も使用して来なかった鋼鉄鉄筋技術の強度に値する砂鉄吹き付
け世界最新技術によって、鋼鉄鉄筋とコンクリートの接着度を更に増した世界最新技術によって日本国の全額借金返済の為に世界進出事業として、弱者庶民一人一人の永遠の
自立社会設立の為の公共事業の世界最新技術。
【請求項２２】
本発明の、公共事業の世界最新技術は、テレビマスコミ社会で騒がれているインフルエンザの室内の感染を少なくする為の空気清浄機は、室内空気を水車型エアー取り込みプ
ロペラで室内空気をスクリュー官で取り込み空気清浄機に予め交換水として、夏は氷入り水で有り、冬は熱湯を入れる為の空気清浄機用の水タンクに室内空気を取り込むと同
時に夏は、世界初の新技術の固形窒素入りプロペラファンで有り、冬は、軽水素トリチウム電子入り酸化鉄入りプロペラファンによって、ニクロム電熱線より、電気消費の少
ない世界最新技術の軽水素トリチウム電子入り酸化鉄粒子を、プロペラモーターファンの羽根の中に内蔵して、スローモーター回転によって、軽水素トリチウム電子の酸化鉄
粒子撹拌熱の増幅熱作用によって発生する熱風を、スローモーター回転電気消費量だけで、空気清浄機熱風を送る事の出来る世界初の夏冬のプロペラファンの羽根を備えた世
界初の空気清浄機によって、夏と冬の冷暖房の電気代を、節約した世界初のインフルエンザ対策の水を使った空気清浄機の世界最新技術によって、日本国の全額借金返済の為
に世界進出事業商品として、弱者庶民一人一人の永遠の自立社会設立の為の公共事業の世界最新技術。
【請求項２３】
本発明の、公共事業の世界最新技術は、テレビマスコミ社会で騒がれているインフルエンザ対策の空気清浄器に内蔵設置する世界初の新技術の循環発電バッテリー装置は、世
界初の軽水素トリチウム電子入りニッケルバッテリー装置と世界初の新技術の発電回路のプラス発電回路とマイナス発電回路の装置は圧電素子磁石体に、軽水素トリチウム電
子を内蔵させて圧電素子磁石体の中心部に片面絶縁体付きの電気誘導銅板配線を取り付けたマイナス発電回路とプラス発電回路のプラス磁気の一番強い部分に電気打撃電気誘
導配線とマイナス発電回路のマイナス磁気の一番強い部分に電気打撃電気誘導配線に循環発電バッテリーの電気中の電気抵抗を取り除く装置の世界初の技術の圧電素子4電子磁
気分割装置を取り付けた構造によって、電気抵抗の無い高圧電気を、プラス発電回路とマイナス発電回路に強いプラス電気と強いマイナス電気を、それぞれプラス発電回路に
は、強いプラス電気を流して軽水素トリチウム電子入り圧電素子プラス磁気電気打撃増幅発電電気を得る事が出来る構造で有り、マイナス発電回路には、強いマイナス電気を
流して軽水素トリチウム電子入り圧電素子マイナ磁気打撃増幅発電電気を得る構造の世界で初めてのバッテリーの本体電気を使ったバッテリー本体電気の軽水素トリチウム電
子入り圧電素子磁石体のプラス発電回路とマイナス発電回路を使った世界で初めてのバッテリー本体の電気を使ったバッテリー発電回路装置によって、他の発電装置を使用し
なくても、電気配線を使用した電気を使わなくても、電気製品の空気清浄機を、止まる事無く無給電しなくても、連続作動可能にした循環発電バッテリー装置の世界初の新技
術によって、電気製品の無給電装置技術の公共事業の世界進出によって、日本国の全額借金返済の為の世界進出の電気製品の事業商品として、弱者庶民一人一人の永遠の自立
社会設立の為の公共事業の世界最新技術。
【請求項２４】
本発明の、公共事業の世界最新技術の空気清浄機の室内空気取り込みのスクリュー官は、世界最新技術の室内温度吸収熱発電出来る世界初の軽水素トリチウム電子入り圧電素
子磁石体粒子内蔵シリコンダイオード室内熱発電パネル装置を積載した空気清浄機によって、夏冬通して室内の空気温度で発電出来る室内熱発電パネルを積載した世界初の技
術を使った空気清浄機は、室内熱で発電出来る空気清浄機に成り、日本国の全額借金返済の為の世界進出電気製品の事業商品として、弱者庶民一人一人の永遠の自立社会設立
の為の公共事業の世界最新技術。
【請求項２５】
本発明の、公共事業の世界最新技術の空気清浄機の室内空気を空気清浄器に取り込むと同時に空気清浄機の水タンクに室内空気を室内熱発電官で取り込むと同時に気化熱水蒸
気が、空気清浄機の水タンク室内で発生する為、空気清浄機の水タンクの気化熱水蒸気エネルギーを有効活用する為に、世界で初めて空気清浄機の気化熱発電を可能にする為、
複数穴空き液体マグネシウム入り軽水素トリチウム電子入り圧電素子磁石体シリコン粒内蔵発電フイルターは、別名燃料電池発電パネルによって、電気配線の電気エネルギー
を使わなくても、空気清浄出来る世界で初めての燃料電池気化熱水蒸気発電と室内熱吸収発電出来るシステムと循環発電バッテリーを使った世界で初めての家庭電気配線の電
気エネルギーを使わなくても空気清浄機を、無休憩連続作動出来る世界で初めての複数の電気発電機関を積載した電気製品を日本の国の全額借金返済を優先して進める為の電
気製品事業会社を国と一緒に設立して、弱者庶民一人一人の永遠の自立社会設立の為の公共事業の世界最新技術。
【請求項２６】
本発明の、公共事業の世界最新技術の2連振子型機械式発電機技術は、全世界で例の無い無給油及び無充電及び室内の電気配線エネルギーを一切使用しない機械部品だけで、無
休憩連続の高出力ダイナモ発電と発電回路の電気エネルギー電気打撃発電出来るプラス発電回路とマイナス発電回路を積載した全世界で初めての技術を、積載した発電機で有
り、本発明の空気清浄機及び風呂水流し水瞬間水浄化システムの生活排水処理装置の電源と公共事業の河川の手中豪雨の処理装置に積載したり、海水を、瞬間気化水に浄化す
る装置の電源に使用したり、リニアーモーターカーの積雪地帯の超小型高速スリュー官コンプレッサーの電源に使用する為の、燃料電池発電装置と異なる機械部品だけの高出
力ダイナモ発電装置と軽水素トリチウム電子入り圧電素子磁石体を使った世界で初めてのプラス発電回路とマイナス発電回路を一つにした呼び名の発電回路を積載した二つの
今まで、発電装置として使用しなかった軽水素トリチウム電子入り圧電素子磁石体を、世界で初めて通常ダイナモの中間に内蔵させた高出力ダイナモ技術を、積載した全自動
無休憩連続作動発電機の全世界の国々の化石燃料エネルギー使用を全て廃止出来る事を可能にした2連振子型機械式発電機の海外進出事業によって、日本国の国の全額借金返済
の為の弱者庶民一人一人の永遠の自立社会設立の為の公共事業の世界最新技術。
【請求項２７】
本発明の、公共事業の電気製品に使用される高出力卍形状インバータ制御モーターは、本田技研工業の主張と日本国特許庁の主張するDCブラシレスインバータ制御モーターの
電気消費より、更に少なくする世界初のモーター構造は、卍コイル形状の永久磁石部分を、やや外向きにする事で、電磁石反発作動角度を、電気消費を少なく出来る卍形状の
永久磁石部分を本田技研と日本の特許庁の主張するDCブラシレスモーターの円形永久磁石配列を、世界で初めてのモーター内コイル形状の卍形状永久磁石部分を、超薄型の鋼
鉄複数穴空き磁石体と軽水素トリチウム電子入り圧電素子永久磁石体を、交互に重ね合わせた人工合成の永久磁石とDCブラシスインバータ制御モーター形状と異なる複数円形
形状のインバータ制御電磁石配列形状とは、全く異なる二つだけのインバータ制御の軽水素トリチウム電子入り圧電素子磁石体と鋼鉄複数穴空き永久磁石体を交互に重ねた永
久磁石体に世界初のモーター構造技術の三つ目の技術のモーターコイル配線を、軽水素トリチウム電子入り圧電素子磁石体を、銅筒官コイル配線の空洞に入れた世界で初めて
の電気配線に軽水素トリチウム電子を内蔵させた構造と圧電素子磁石体を使った世界で初めての銅筒官コイル配線を、軽水素トリチウム電子入り圧電素子磁石体パネルと複数
穴空き鋼鉄磁石体パネルの交互の重ね合わせ合成永久磁石体に軽水素トリチウム電子入り圧電素子磁石体構造の電気配線を内蔵した銅筒官コイル配線を巻いた世界で初めての
高出力電磁石のインバータ制御装置を、二つ卍形状コイルの合計8本の内コイル永久磁石を、磁極切換え連続作動させる事が、出来る世界で例の無い高出力電磁石板構造のイン
バータ制御モーターによって、世界で一番電気消費を少なく出来るモーター構造装置に、圧電素子4電子磁気分割装置の電気中の電気抵抗を、取り除く装置によって世界初の高
出力卍形状インバータ制御モーターの世界で一番電気消費の少ない世界初の技術を使ったモーター商品全ての事業の世界進出によって、日本国の国の全額借金返済の為の弱者
庶民一人一人の永遠の自立社会設立の為の公共事業の世界最新技術。
【請求項２８】
本発明の、公共事業の何処の家庭でも有る換気栓装置は、フイルター装置又は電動モーター仕切り弁装置付きで無い為、夏冬通して外気が筒抜け状態に成る為、夏は部屋の冷
房が外気によって温まり易く冬は、部屋の暖かい空気が外気によって、冷めやすい昔からの換気栓の外気侵入が、欠点とされて来たばかりか、インフルエンザ対策の空気清浄
機の部屋のインフルエンザ外気フイルター対策と外気遮断対策が、全く取られて来なかった為、本発明では、各家の換気栓に高出力電動モーター仕切り弁装置を、取り付ける
事と三重フイルター構造の十字網ガーゼ布の木材活性炭フイルター素材と稲ワラ炭粒子と麦わら炭粒子を、混合した混合活性炭フイルターを取り付ける技術と換気栓に外気引
き込みエアー官を取り付けてバケツなどに水またはお湯を入れた中に換気栓外気取り入れ吸入官を取り付ける対策技術によって、インフルエンザ対策の万全な外気空気清浄を
可能にした仕掛けの簡単な世界で初めての技術によって、テレビマスコミで騒がれている世界規模のインフルエンザ対策を、比較的安く済ませる技術事業の海外進出によって、
日本国の国の全額借金返済の為の弱者庶民一人一人の永遠の自立社会設立の為の公共事業の世界最新技術。
【請求項２９】
本発明の、公共事業の家庭風呂の世界で初めての技術の湯熱発電パネル技術は、風呂の湯熱を吸収出来る液体の軽水素トリチウム電子入り圧電素子磁石体粒子内蔵のシリコン
粒子風呂湯熱貯蓄発電装置は、風呂の湯熱を効果的に電気に変える事の出来る軽水素トリチウム電子入り圧電素子磁石体粒子内蔵シリコンダイオードスクリュー官熱発電装置
を、一戸建て建造物の各部屋に、風呂湯熱循環空気官の仕切り弁装置または高出力電動モーター仕切り弁装置によって、冬場は各部屋の部屋温度の全自動調整出来る世界で初
めての湯熱温風発電官を使って、部屋を湯熱で温めながら発電出来る世界で初めての湯熱発電装置を使った一般家庭用の風呂システム事業の開発によって、日本国の国の全額
借金返済の為の弱者庶民一人一人の永遠の自立社会設立の為の公共事業の世界最新技術。
【請求項３０】
本発明の、公共事業の家庭風呂室内全ての壁パネル湯熱蒸気燃料電池発電パネルは、世界初の合成パネル技術の液体マグネシウム内臓軽水素トリチウム電子入り圧電素子磁石
体複数針穴空き燃料電池風呂壁発電パネルの、燃料電池液体マグネシウムの水素と酸素の瞬間吸収発電パネルの無駄になる熱エネルギーを有効発電する為に、世界初の熱エネ
ルギー瞬間発電技術として、水素と酸素の瞬間吸収発電を、圧電素子磁石体粒子を、世界初の技術として、液体マグネシウムに内蔵積載する事で、無駄な熱エネルギーの磁気
熱エネルギー磁気分割連続発電を、世界で初めて可能にした世界初の技術によって、日本国の900兆円越えの全額借金返済の為の全世界に向けての日本国の全額借金返済と都道
府県市町村区の全額借金返済の為に日本の弱者国民一人一人の永遠の自立社会設立の為の公共事業の世界最新技術。
【請求項３１】
本発明の、公共事業の家庭の台所の熱エネルギー使用を、日本国の進めるＣＯ2削減ハウスより、家庭台所のガス使用料金及び電気使用料金を、更に削減する為に台所の料理を
行う時に、発生する水蒸気熱エネルギーを、瞬間に電気エネルギーに変える事が出来る世界初の技術の鍋の蓋の大きさを、手動取り換え可能な蓋装置に、世界で初めて燃料電
池液体マグネシウムパネル構造装置に世界初の新技術の液体マグネシウム全体を、複数針穴の圧電素子磁石体パネルと圧電素子磁石体粒子内蔵シリコンパネルを交合に貼り合
わせた複数針穴燃料電池パネルと銅板電極と燃料電池発電電気取り込み配線を取り付けた料理用鍋蓋発電装置によって、低所得者家庭の生活を、応援する為の日本国の全額借
金返済と都道府県市町村区の全額借金返済の為に日本国の弱者国民一人一人の永遠の自立社会設立の為の公共事業の世界最新技術。
【請求項３２】
本発明の、公共事業の家庭の電気エネルギー消費の多い家庭用電子レンジの電気消費を少なくする対策として、電子レンジから発生する蒸気を、使った燃料電池パネルの世界
初の新技術の液体マグネシウム全体を包む為の、複数穴空き圧電素子磁石体パネル装置と複数穴空き圧電素子磁石体粒子と軽水素トリチウム電子とシリコンを混合した熱吸収
発電パネルを、交互に重ねた世界初の水蒸気瞬間燃料電池発電と水蒸気熱瞬間圧電素子磁石体磁気の軽水素トリチウム電子入りシリコン混合合成の水蒸気熱瞬間軽水素トリチ
ウム電子熱吸収シリコン熱発電パネルの二つの異成った発電パネルによって、瞬間に得られた電気は、低所得者の家庭生活を、応援する為の日本国の全額借金返済と都道府県
市町村区の全額借金返済の為に日本国の弱者国民一人一人の永遠の自立社会設立の為の公共事業の世界最新技術。
【請求項３３】
本発明の、公共事業の家庭の生ゴミを、現在は焼却処分している為、ＣＯ2排出に対して無駄なお金を使っているだけでなく、家庭から排出する生ゴミ全てを生ゴミ乾燥肥料粒
子にして、販売する事で、国の進めるＣＯ2削減効果を、実施する為に電気トラックに世界で初めての技術の生ゴミを、少ない電気で連続作動可能な高出力モーターを使用した
高速真空装置を使用した世界初の生ゴミを、瞬間に乾燥させる事の出来る高速真空装置と高出力電動モーター仕切り弁装置を内蔵した電気トラックによって、今まで燃やして
いた生ゴミ全てを、生ゴミ肥料に瞬間に行える真空装置技術は、電熱線乾燥技術より電気消費の少ない高速真空装置を使用した電気トラック生ゴミ処理車を使う事によって、
低所得者の家庭バケツ菜園の乾燥生ゴミ肥料によって、安い野菜の生ゴミ乾燥肥料の確保と日本国のＣＯ2削減による生ゴミ肥料を、安く農家に提供する事で、農業運営の肥料
代を少なくしたり、家畜農家の乾燥生ゴミを、家畜飼料にする事で、家畜農家の飼料代を安く済ませる事を、可能にする事で、ＣＯ2削減と農業の肥料代を安くする事で、農業
の援助を可能にして、家畜農家の飼料代削減効果によって、外国の安い肉製品に対応出来る家畜飼料代の道筋を付ける事で、日本国の全額借金返済と都道府県市町村区の全額
借金返済の為と日本国の弱者国民一人一人の永遠の自立社会設立の為の公共事業の世界最新技術。
【請求項３４】
本発明の、公共事業の豪雪地帯の除雪雪運搬費をゼロに出来る世界初の高出力モーターを使った高速真空装置と高出力モーターを使った電動モーター仕切り弁装置を除雪車本
体に雪取り込み室を内蔵する事で、除雪車本体の雪取り込み室の雪を、高出力電動モーター仕切り弁装置で密封する事を可能にして高出力高速真空装置の連続作動によって、
除雪車本体にの雪取り込み室に取り込んだ雪を、連続で瞬間気化して、大気中に水蒸気として排出する世界初の雪を瞬間に固形から気化水蒸気物質にする世界初の技術によっ
て、日本国の都道府県市町村区の除雪雪運搬費を、ゼロに出来る世界初の高出力モーター内蔵の高速真空装置を使用した世界初の技術によって、長年の間悩み続けて来た除雪
費の都道府県市町村税の除雪運搬費ゼロによって、都道府県市町村区の財政を、楽にする事を可能にして日本国の弱者国民一人一人の永遠の自立社会設立の為の公共事業の世
界最新技術。
【請求項３５】
本発明の、公共事業のでん粉カス処理事業と鶏糞処理事業と魚カス処理事業を、公害の無い混合乾燥肥料事業を行う装置として、高出力モーターを内蔵した電動モーター仕切
り弁装置と高出力モーター内蔵積載の高速真空装置と高出力モーターを積載内臓した高出力モーター撹拌装置を積載内臓した超大型のでん粉カスと鶏糞と魚カスを、大量に撹
拌瞬間乾燥出来る装置によって、農業の混合乾燥生ゴミ肥料の安い定価の肥料を確保する事によって、農業財政の経費削減を可能にする事で、日本国の全額借金返済と都道府
県市町村区の全額借金返済の為と日本国の弱者国民一人一人の永遠の自立社会設立の為の公共事業の世界最新技術。
【請求項３６】
本発明の、公共事業のでん粉カス処理事業と鶏糞処理事業と魚カス処理事業を、一つにした超大型処理装置の内壁の天井壁は、生ゴミの発酵水蒸気吸収発電可能な世界初の技
術の複数針穴構造の圧電素子磁石体パネルと同じく世界初の技術の圧電素子磁石体粒子と軽水素トリチウム電子混合内臓シリコン熱吸収発電パネルを、交互に貼り合わせた二
つの異成る水蒸気発電装置と水蒸気熱吸収瞬間発電パネルを組み合わせた複数穴空き装置によって、世界で初めて発酵熱瞬間発電パネル装置と発酵熱水蒸気瞬間吸収燃料電池
パネル発電装置の二種類の異なった発電装置によって、発電された電気によって、公共事業の電力不足解消の為の発電システムを積載したでん粉カスと鶏糞と魚カスの混合生
ゴミ肥料の高速連続作成を可能にする事で、日本の農業社会の肥料代を、安くする事を可能にした公共事業技術によって、日本国の全額借金返済と都道府県市町村区の全額借
金返済の為と日本国の弱者国民一人一人の永遠の自立社会設立の為の公共事業の世界最新技術。
【請求項３７】
本発明の、公共事業のでん粉カスと鶏糞と魚カスの混合瞬間乾燥生ゴミ堆肥から出る気化物質の臭いを取り除く対策装置として、木材粉廃材と笹竹乾燥粉材と麦わら乾燥粉材
と稲ワラ乾燥粉材と雑草乾燥粉材を混合した場所の混合物質内にでん粉カスと鶏糞と魚カスの臭い物質を、世界初の木材粉廃材と笹竹乾燥粉材と麦わら乾燥粉材と稲ワラ乾燥
粉材と雑草乾燥粉材とレントコーンのチップ材と黒土粉材の混合発酵物質の発酵熱処理によって、でん粉カス臭いと鶏糞臭いと魚カス臭いと生ゴミ臭いを、世界で初めて混合
発酵材に軽水素を入れる事によって、公共事業の生ゴミ臭とでん粉カス臭と鶏糞臭と魚カス臭などの臭いを、発光熱分解出来る大型フイルター装置によって、臭いの発酵熱分
解出来る装置によって、日本国の全額借金返済と都道府県市町村区の全額借金返済の為と日本国の弱者国民一人一人の永遠の自立社会成立の為の公共事業の世界最新技術。
【請求項３８】
本発明の、公共事業の無臭でん粉カスと無臭鶏糞と無臭魚カスと無臭生ゴミの最終臭いを、取り除く装置として、木材皮活性炭に塩入り国土と石灰を混合合成した最終臭い取
り合成フイルターによって無臭でん粉カスと無臭鶏糞と無臭魚カスと無臭生ゴミの最終臭い吸収吸着フイルター装置によって、公共事業の乾燥生ゴミ等の臭い公害を、取り除
いた装置を複数針穴空きアルミニュームパネルによって、臭い吸収中和フイルターを、積載した超大型生ゴミ瞬間乾燥処理装置の臭い処理方法によって、臭い公害を無くす事
によって、日本国の全額返済と都道府県市町村区の全額借金返済の為と日本国の弱者国民一人一人の永遠の自立社会成立の為の公共事業の世界最新技術。
【請求項３９】
本発明の、公共事業の安い費用によって、古い家屋の地震崩壊による死亡事故及び怪我の人災を無くす為に、免振装置を使わない地震による家屋の崩壊でも、人の命を守る事
の出来る家屋の重みでも、崩壊しない金属パネルまたは、一番安い再生グラスファイバーパネルを、正方形または長方形状にポルトナットで組み立てる構造の四ケ所の角など
を、角当てパネル等で家屋の重みでも、耐えれれる再生グラスファイバーの厚みに地震崩壊の強度設定したドア付きの地震崩壊の人命保護パネル装置によって日本国の全額借
金返済の為と都道府県市町村区の全額借金返済の為と日本国の弱者国民一人一人の永遠の自立社会設立の為の公共事業の世界最新技術。
【請求項４０】
本発明の、公共事業の高出力モーターを使った高速真空装置によって、一般家庭のトイレ排泄物を、瞬間に乾燥させて、アンモニアと水分全てを、取り除いた乾燥無臭排泄物
を国有林の乾燥無臭肥料の国の許可を得る事によって、国有林の木々の育成と今後の下水管を、使用しない一般家庭トイレ装置によって、公共事業の下水道の劣化工事を、無
くす事によって、無駄な公共事業費を、削減する高速真空トイレ技術によって、日本国の全額借金返済の為と都道府県市町村区の全額借金返済の為と日本国の弱者国民一人一
人の永遠の自立社会設立の為の公共事業の世界最新技術。
【請求項４１】
本発明の、公共事業の真空トイレ技術に使われる発電パネル装置は、複数穴空き液体マグネシウム内蔵軽水素トリチウム電子入り圧電素子磁石体シリコン粒子入りの気化水素
と気化酸素の発電と同時に、燃料電池液体マグネシウム発電パネルの気化水素と気化酸素の燃料電池液体マグネシウム発電パネルのは気化水素と気化酸素の気化物質の液体マ
グネシウム発電時に、発生する無駄となって来た熱エネルギーを、軽水素入り圧電素子磁石体粒子内蔵配線付きシリコン粒によって、世界初の技術の熱エネルギー吸収出来る
シリコン粒装置によって、軽水素トリチウムに熱エネルギーを瞬間結び付きを可能にして、更に世界初の技術の圧電素子磁石体粒子の軽水素トリチウム電子入りシリコン粒ま
たはパネル装置の熱エネルギーの圧電素子磁気瞬間変換によって、熱エネルギーを連続して圧電素子磁気電気変換する事を可能にした世界初の燃料電池パネル装置によって、
燃料電池発電液体マグネシウム発電パネルの総合発電量を、増やす事を可能にした世界最新の燃料電池発電パネルの熱エネルギーの磁気電気変換を、可能にした世界初の燃料
電池発電パネル事業に対しておそらく世界特許の燃料電池液体マグネシウムパネルの熱エネルギーの軽水素トリチウム電子入り圧電素子磁石体シリコン磁気電気変換技術によ
って、燃料電池発電の増幅発電技術の世界進出事業によって、日本国の全額借金返済の為と都道府県市町村区の全額借金返済の為と日本国の弱者国民一人一人の永遠の自立社
会設立の為の公共事業の世界最新技術。
【請求項４２】
本発明の、公共事業の真空トイレ技術に使われるアンモニアの臭いを無くす装置として、世界初の技術の乾燥黒土粒子入り石灰粒子フイルター装置に高速真空装置からの世界
初のスクリュー官を使って、世界初の国土粒子入り石灰粒子フイルターに強制アンモニア気化ガス中和吸引を可能にするスクリュー官とフイルターを複数連続フイルター連続
吸引出来る高速真空装置の連続エアー循環吸引装置のモーター電動仕切り弁装置と全自動アンモニアー濃度センサースイッチを、取り付けた世界初のアンモニアガスを、無臭
に出来る世界初の高速真空装置の連続エアー循環の複数アンモニアガスフイルター装置の複数スクリュー官技術によって、可能にした技術によって、日本国の全額借金返済の
為と都道府県市町村区の全額借金返済の為と日本国の弱者国民一人一人の永遠の自立社会設立の為の公共事業の世界最新技術。
【請求項４３】
本発明の、公共事業の真空トイレ技術に使われるアンモニアガスを、無臭にする技術として、高速真空装置とスクリュー官を使って、強制アンモニア吸引したアンモニアガス
を、石灰液と発酵牛乳液を、濃厚度にした液体物質を重水素を取り除いた軽水素トリチウム電子入り酸素水に石灰液と発酵牛乳液と麹菌液を、溶かしたアンモニア中和発酵液
によって、アンモニアガスを短い時間で、中和してアルコールに近い物質に変える事で、公共工事の悪臭のアンモニアガスのアルコール変化を可能にした発酵牛乳と発酵麹菌
によって、有害なアンモニアガスを、アルコールに変える世界初の真空トイレ技術によって、日本国の全額借金返済の為と都道府県市町村区の全額借金返済の為と日本国の弱
者国民一人一人の永遠の自立社会設立の為の公共事業の世界最新技術。
【請求項４４】
本発明の、公共事業の真空トイレ技術に使われる世界初の技術の高出力モーターを積載した超小型遠心分離機装置によって、真空トイレで発生するアンモニア水を、アンモニ
アガスと水素ガスと酸素ガスに分ける事を可能にした世界初の高出力モーターを、積載した超小型遠心分離機装置によって、濃厚度のアンモニアガスを回収して、アンモニア
ガスを、発酵牛乳と発酵麹菌によって、世界で初めてアルコールに変えて、アルコール商品を作り出す事業の世界進出によって、日本国の全額借金返済の為と都道府県市町村
区の全額借金返済の為と日本国の弱者国民一人一人の永遠の自立社会設立の為の公共事業の世界最新技術。
【請求項４５】
本発明の、公共事業のリニアーモーターカーに積載使用予定のリニアーモーターカー電磁石板装置構造は、複数穴空き鋼鉄電磁石板装置と軽水素トリチウム電子入り圧電素子
磁石体板装置を交互に複数重ねした人工合成永久磁石と超薄型鋼鉄板永久磁石板装置を被せた世界初の複数重ね多構造の永久磁石体にコイルを、巻いた世界初の軽水素トリチ
ウム電子入り圧電素子磁石体永久磁石体パネルの世界初の高出力電磁石板を複数重ね多構造にコイルを巻いた世界初の電磁石構造によって、リニアーモーターカーの電気消費
を世界で一番少なくする技術を入れた高出力電磁石板技術によって、全世界のリニアーモーターカーの高出力電磁石板技術事業進出によって、日本国の全額借金返済の為と日
本都道府県市町村区の全額借金返済の為と日本国の弱者国民一人一人の永遠の自立社会設立の為の公共事業の世界最新技術。
【請求項４６】
本発明の、公共事業のリニアーモーターカーに積載使用予定のリニアーモーターカーの電磁石板装置に使用する世界初のコイル配線構造は、銅線を筒状した銅筒官配線に世界
初の技術の圧電素子磁石体に軽水素トリチウム電子入りの超微量シリコン電気配線を、銅筒官に内蔵した世界初の高出力電気配線を、積載内蔵した高出力電磁石板装置によっ
て、全世界のリニアーモーターカーの高出力銅筒官電気配線によって、電気を銅筒官配線に流すだけで軽水素トリチウム電子入り圧電素子磁石体シリコン発電して、電気スピ
ードスムーズムに出来る軽水素トリチウム電子入り圧電素子磁石体物質を電気配線にした世界初の電気の通り易い物質で作った電気配線事業の世界進出によって、日本国の全
額借金返済の為と都道府県市町村区の全額借金返済の為と日本国の弱者国民一人一人の永遠の自立社会設立の為の公共事業の世界最新技術。
【請求項４７】
本発明の、公共事業のリニアーモーターカーに使用する電気中の熱電気抵抗を、取り除く為の圧電素子4電子磁気分割装置を、電気配線に内蔵積載する事で、世界で公開されて
いる超電導配線を使用したリニアーモーターカー以上のスピードを出す為に、リニアーモーターカーの使用する電気を、一度プラス電気を、プラス圧電素子磁気電気に変えて
マイナス電気を、マイナス圧電素子磁気電気に変えて、プラス圧電素子磁気の強いプラス磁気電気とマイナス圧電素子磁気の強いマイナス磁気電気だけを高速電気として、使
用する世界初の技術によって、リニアーモーターカーに使用する電気を、熱電気抵抗の無い電気を使用する事で、世界最速のリニアーモーターカー速度を得る事の出来る圧電
素子4電子磁気分割装置の全世界事業進出によって、日本国の全額借金返済の為と、都道府県市町村区の全額借金返済の為と日本国の弱者国民一人一人の永遠の自立社会成立の
為の公共事業の世界最新技術。
【請求項４８】
本発明の、公共事業のリニアーモーターカーに使用する塗料技術は、世界で初めての軽水素トリチウム電子入り圧電素子磁石体粒子内蔵シリコン塗料液は、塗料シリコン発電
した電気を、取り込む電極配線を、塗料の下地に貼る事で、熱吸収したシリコン塗料は、圧電素子磁石体の熱吸収軽水素トリチウム電子シリコン電気を、瞬時に圧電素子磁石
体磁気電気に変える世界初のシリコン塗料の熱吸収発電方法によって、リニアーモーターカーの金属部分の錆び止め剤として、全世界の発電塗料事業進出によって、日本国の
全額借金返済の為と都道府県市町村区の全額借金返済の為と日本国の弱者国民一人一人の永遠の自立社会設立の為の公共事業の世界最新技術。
【請求項４９】
本発明の、公共事業のリニアーモーターカーに使用する緊急ブレーキシステムは、リニアーモーターカーのリニアー線路全体を、世界初の高出力モーター使用の電動モーター
仕切り弁水門装置を、使ってリニアーモーターカーの線路全体を、世界初のブレーキシステムとしたプール技術によって、リニアーモーターカー全体を、水圧技術と空気圧技
術によって、リニアーモーターカーの電磁石ブレーキ故障対策設定を、予め講じて置く事で、リニアーモーターカーの回路故障の暴走事故対策を、予め行っておく事で、未来
のリニアーモーターカー事故を、未来永劫無くす為の世界初のリニアーモーターカーの緊急ブレーキの水圧ブレーキと空気圧ブレーキの両方を、備えた世界で初めてのリニア
ーモーターカーを止める技術事業の世界進出によって、日本国の全額借金返済の為と都道府県市町村区の全額借金返済の為と日本国の弱者国民一人一人の永遠の自立社会設立
の為の公共事業の世界最新技術。
【請求項５０】
本発明の、公共事業の燃料電池発電機技術の天然ガスから、水素を取り出して外気酸素と発電させる技術に対して、現在の水素スタンドの水素吸入式の燃料電池車技術から、
比較的実際に全国に有る天然ガススタンドを、応用した天然ガスの燃料電池車の天然ガスタンクアダプタ装置によって、24時間天然ガススタンドによる天然ガスアダプタ交換
だけで、日本全国を、走る事を可能にした天然ガスアダプタタンク技術及び爆発性の少ない軽水素トリチウム電子アダプタタンク技術によって、水素タンクより、爆発性を抑
えた世界で初めての燃料電池車に積載する軽水素トリチウム電子タンクアダプタ装置の全世界事業進出によって、爆発の少ない全世界の軽水素トリチウム電子タンクと酸素の
化学反応の燃料電池発電の世界最新技術によって、水素タンクの衝突事故の爆発事故を、軽水素トリチウム電子タンクアダプタに変える事で、全世界の道路上の水素タンク爆
発事故と燃料電池車の水素タンク爆発テロ事件を、無くす事の出来る軽水素トリチウム電子タンクアダプタ技術に変える事業の全世界事業進出によって、全世界の燃料電池水
素タンク衝突爆発事故と水素タンク爆発テロ事故を無くす事によって、日本国の全額借金返済の為と都道府県市町村区の全額借金返済の為と日本国の弱者国民一人一人の永遠
の自立社会設立の為の公共事業の世界最新技術。
【請求項５１】
本発明の、公共事業の水素と酸素の燃料電池発電機の総合発電量を越える技術の軽水素トリチウム電子と酸素の化学反応発電方式の燃料電池発電機は、水素と酸素の化学反応
発電と異成る水素爆発の比較的小さく成る軽水素トリチウム電子と酸素の化学反応発電方式にする為に、水素中の重水素プルトニュームを、高速遠心分離機で、予め水素中の
重水素を取り除いた軽水素トリチウム電子を、使用した燃料電池車の軽水素トリチウム電子と酸素を使った科学反応燃料電池発電機の軽水素トリチウム電子酸素水の循環式の
真空装置を使った全世界で初めての軽水素トリチウム電子と酸素を連続科学反応発電させた世界で初めての燃料電池技術の軽水素トリチウム電子酸素水の連続循環発電機事業
の世界事業進出によって、日本国の全額借金返済の為と日本国の弱者国民一人一人の永遠の自立社会設立の為の公共事業の世界最新技術。
【請求項５２】
本発明の、公共事業の軽水素トリチウム電子と酸素の高速真空装置を使った連続発電の軽水素トリチウム電子と酸素の化学反応連続発電は、高速真空装置に世界初の新技術の
高出力モーター技術積載内臓と高速電動モーター仕切り弁装置に世界初の新技術の高出力モーターを、積載内蔵と高速水中ポンプ装置に世界初の高出力モーター技術内蔵積載
の世界で一番モーター電気消費を少なく出来る軽水素トリチウム電子入り圧電素子磁石体コイルパネル世界最新技術と銅筒官コイル内蔵の軽水素トリチウム電子入り圧電素子
磁石体の電気配線の銅筒官コイル配線技術の二つの世界最新高出力モーター技術によって、モーターの電気消費を、世界で一番少なくする事で、日本国の進めている二酸化炭
素排出削減の為の、高出力モーターの事業の全世界進出によって、日本国の全額借金返済の為と都道府県市町村区の全額借金返済の為と日本国の弱者国民一人一人の永遠の自
立社会設立の為の公共事業の世界最新技術。
【請求項５３】
本発明の、公共事業の循環無給油連続発電可能な軽水素トリチウム電子酸素水の循環連続発電機は、世界で初めての機械部品だけで連続無給油無休憩発電可能な機械式発電機
を、二台使用して、お互いの発電した電気を、高出力ダイナモ増幅回転発電システム発電機を使った世界で初めての爆発の少ない軽水素トリチウム電子と酸素水を使った世界
初の連続発電機で有り、燃料電池循環連続発電機の総合発電量を、上げる為に循環発電の燃料電池の高出力水中ポンプの水流の流れスピードを、水車型プロペラ板を使った世
界で初めての燃料電池の軽水素酸素水の水の水中ポンプの水流れスピードを、世界初のスクリュー官を使う事で、高出力水中ポンプの軽水素酸素水の水汲み込みの水の流れス
ピードを、水車型燃料電池発電機のスクリュー水官に取り付けると同時に世界初の新技術の超小型の高出力電動モーター仕切り弁装置と世界初の新技術の高出力ダイナモ装置
を世界で初めて軽水素酸素水の真空装置室の軽水素酸素水の吐き出し口に取り付ける事で、高出力水中ポンプを、作動させただけで連続高出力ダイナモ発電出来る世界で初め
ての軽水素酸素水の燃料電池連続発電機の水車型プロペラ装置を使った超小型高出力ダイナモの燃料電池発電機の連続発電を可能にした総合発電量が、全世界で公開されてい
る燃料電池発電機の総合発電量を、超える事の出来る連続無給油無休憩連続発電可能な世界初の燃料電池連続発電機を使った全世界の事業進出によって、日本国の全額借金返
済の為と都道府県市町村区の全額借金返済の為と日本国の弱者国民一人一人の永遠の自立社会設立の為の公共事業の世界最新技術。
【請求項５４】
本発明の、公共事業の世界初の技術の循環無給油連続発電可能な軽水素酸素水の循環発電機は、燃料電池発電機の軽水素と酸素の瞬間吸収化学反応物質の他者の技術の液体マ
グネシウムまたは固形水素の軽水素と酸素の瞬間吸収発電時に発生する燃料電池パネルの放出されるだけの熱エネルギーを、電気エネルギーに変える為に、液体マグネシウム
を、内蔵した世界初の複数針穴空きの圧電素子磁石体を、燃料電池の液体マグネシウムまたは固形水素に被せる技術と液体マグネシウムを取り囲む圧電素子磁石体パネル全体
の軽水素と酸素の化学反応発電時に発生する熱エネルギーを、電気エネルギーに瞬時に変える世界初の技術として、圧電素子磁石体粒子と軽水素トリチウム電子気化物質と液
体シリコンを混合合成して固めたパネルまたはシートまたはシールを、燃料電池の軽水素と酸素の瞬間吸収発電パネルの液体マグネシウムを全体を囲む複数針穴空き圧電素子
磁石体全体を、更に圧電素子磁石体粒子と軽水素トリチウム電子気化物質と液体シリコンの混合合成複数針穴空きシートを、被せて液体マグネシウムの軽水素酸素の化学反応
瞬間発電量と軽水素酸素の液体マグネシウム瞬間吸収発電電気熱を、瞬間に軽水素トリチウム電子の熱吸収シリコン発電電気を、瞬時に圧電素子の磁気変換を可能にした世界
初の燃料電池ダブル発電パネルによって、今まで全世界で公開されて来ている燃料電池パネル総合発電量より、本発明の墫野和夫が、先発明主張する軽水素トリチウム電子入
り圧電素子磁石体粒子内蔵の複数針穴構造のシリコンシート貼り付け型の複数針穴構造の圧電素子磁石体パネルによって、液体マグネシウムを、固定した世界初のダブル発電
の燃料電池発電パネルの全世界事業進出によって、日本国の全額借金返済の為と都道府県市町村区の全額借金返済の為と日本国の弱者国民一人一人の永遠の自立社会設立の為
の公共事業の世界最新技術。
【請求項５５】
本発明の、公共事業の世界初の燃料電池技術の循環無給油連続発電可能な軽水素酸素水の循環発電機のダブル発電パネルの軽水素トリチウム電子入り圧電素子磁石体シリコン
の複数針穴構造パネルで、囲んだ液体マグネシウムの燃料電池ダブル発電パネルに電極を取り付けた装置を、燃料電池発電室全体の周囲に取り付けた発電構造と軽水素酸素水
タンク室全体に燃料電池ダブル発電パネルを取り付けた燃料電池発電構造と高速真空室周囲全体に燃料電池のダブル発電パネルを周囲全体に取り付けた燃料電池発電パネル設
置状況とスクリュー官の軽水素酸素水が流れるスクリュー官内側に燃料電池のダブル発電パネルの軽水素トリチウム電子入り圧電素子磁石体のシリコン合成液体マグネシウム
内臓発電パネルを、スクリュー官の内側に取り付けた世界初の燃料電池ダブル発電パネル設置状況によって、世界で一番燃料電池総合発電量を世界で一番多く発電出来るパネ
ル技術の全世界事業進出によって、日本国の全額借金返済の為と都道府県市町村区の全額借金返済の為と日本国の弱者国民一人一人の永遠の自立社会設立の為の公共事業の世
界最新技術。
【請求項５６】
本発明の、公共事業の世界初の燃料電池技術の循環無給油連続発電可能な軽水素酸素水の循環発電機に絶対必要の2連振子型機械式発電機に積載する世界初の技術の組み立て解
体可能な軽水素ニッケル循環発電バッテリーは、世界初の技術のプラス発電回路の軽水素トリチウム電子内蔵圧電素子磁石体とマイナス発電回路の軽水素トリチウム電子内蔵
の圧電素子磁石体内蔵の発電回路のバッテリー本体の連続電気打撃発電によって、バッテリー本体の電気を連続補充可能な軽水素ニッケル循環発電バッテリー装置の全世界事
業を、世界進出展開する事によって、日本国の全額借金返済の為と都道府県市町村区の全額借金返済の為と日本国の弱者国民一人一人の永遠の自立社会設立の為の公共事業の
世界最新技術。
【請求項５７】
本発明の、公共事業の世界初の軽水素と酸素を使った燃料電池発電機は、世界初の軽水素トリチウム電子入り圧電素子磁石体粒子内蔵シリコンソーラーパネルを、積載した多
種多様の発電装置を、7種類の発電装置を積載した世界で例の無いと思われる軽水素と酸素を、使った水素と酸素の燃料電池より、比較的に安全な軽水素トリチウム電子酸素水
の循環連続無給油無休憩燃料電池発電機は、全世界初の燃料電池発電機の軽水素と酸素の合成水を、使った世界で初めての無休油方式の7種類の発電装置を積載した世界初の発
電機の世界売電事業の世界進出によって、日本国の全額借金返済の為と都道府県市町村区の全額借金返済の為と日本国の弱者国民一人一人の永遠の自立社会設立の為の公共事
業の世界最新技術。
【請求項５８】
本発明の、公共事業の世界初の技術の高出力2連結以上モーターの外コイル式の構造は、外コイルの銅線を銅筒官に変えて世界初の技術の軽水素トリチウム電子入り圧電素子磁
石体超微量シリコン電気配線を、銅筒官に内蔵した世界初の圧電素子磁石体を電気配線使用技術と世界初の軽水素トリチウム電子の気化物質使用技術と世界初の軽水素トリチ
ウム電子気化物質を、配線固定する為の超微量シリコンを使用した世界初の電気の通り易い物質だけで、コイル配線を作り上げた世界初の電気コイル配線を、高出力2連結以上
モーターの外コイルとして、綺麗に並べて巻く技術によって、高出力2連結以上モーターの外コイル形状として、外コイル式の永久磁石構造は、複数穴空き鋼鉄超薄板と軽水素
トリチウム電子入り圧電素子磁石体の薄板を、交互に重ねた合成複数重ね永久磁石を、高出力2連結以上モーターの世界初のモーター内側永久磁石構造とした世界初の電気消費
の世界で一番少ない高出力2連結以上モーターの新しい超軽量の超高速世界最速高出力モーターの世界新事業の進出によって、日本国の全額借金返済の為と都道府県市町村区の
全額借金返済の為と日本国の弱者国民一人一人の永遠の自立社会設立の為の公共事業の世界最新技術。
【請求項５９】
本発明の、公共事業の世界初の技術の高出力2連結以上モーターダイナモ技術は、モーターコイルを、5つ以上並べた高出力2連結以上モーターと高出力ダイナモを、一台以上高
出力2連結以上モーターのモーター軸に取り付けた世界初のモーターダイナモ技術によって、モーター回転を、ダイナモ発電に変える技術によって、モーター回転しながら発電
出来る高出力モーターと高出力ダイナモの組合せの高出力モーターダイナモ技術によって、高出力モーターダイナモ事業の世界進出によって、日本国の全額借金返済の為と都
道府県市町村区の全額借金返済の為と日本国の弱者国民一人一人の永遠の自立社会設立の為の公共事業の世界最新技術。
【請求項６０】
本発明の、公共事業の世界初の技術の高出力2連結以上モーターの発電回路内蔵の高出力2連結以上モーターは、プラス発電回路とマイナス発電回路を、モーター配線に取り付
けた世界初の発電回路を2連結以上モーターに取り付ける事によって、高出力2連結以上モーターに流すプラス電気力とマイナス電気力を使った世界初の軽水素トリチウム電子
入りの圧電素子磁石体のプラス電気は、軽水素トリチウム電子入りの圧電素子磁石体のプラス磁気の電気打撃増幅発電の電気エネルギーを得る事が出来て、軽水素トリチウム
電子入り圧電素子磁石体のマイナス電気は、軽水素トリチウム電子入りの圧電素子磁石体のマイナス磁気の電気打撃増幅発電の電気エネルギーを得る事が出来る世界初の軽水
素トリチウム電子入り圧電素子磁石体の発電回路を、モーター電気配線に接続する事で、モーター電気消費を抑えた世界モーター発電回路事業の世界進出によって、日本国の
全額借金返済の為と都道府県市町村区の全額借金返済の為と日本国の弱者国民一人一人の永遠の自立社会設立の為の公共事業の世界最新技術。
【請求項６１】
本発明の、公共事業の世界初のソーラーパネル技術は、外気熱発電可能な軽水素トリチウム電子入り圧電素子粒子入りシリコンソーラーパネルに世界初の技術の雨等の水蒸気
を瞬間吸収発電出来る複数針穴空き圧電素子磁石体パネルの中に液体マグネシウムを内蔵させた装置を、世界初の外気熱発電可能な軽水素トリチウム電子入り圧電素子磁石体
粒子入りシリコンソーラーパネルに筋デザイン形状またはデザイン画形状にソーラーパネルに組み込んだ雨の日も発電可能な世界初のソーラーパネル事業の世界進出によって、
日本国の全額借金返済の為と都道府県市町村区の全額借金返済の為と日本国の弱者国民一人一人の永遠の自立社会設立の為の公共事業の世界最新技術。
【請求項６２】
本発明の、公共事業の世界初の熱感知煙センサーの携帯電話全自動連絡装置は、世界初の技術の循環発電型発電回路を内蔵充電池は、世界初の技術の自然に一番優しい軽水素
トリチウム電子ニッケル充電池を世界最速充電池技術として、更に充電時間を、世界で一番短くする為、世界初の技術として、圧電素子4電子磁気分割装置を、世界初の軽水素
トリチウム電子ニッケル充電池の配線に取り付けて、発電回路のプラス発電回路と発電回路のマイナス発電回路を使用した軽水素トリチウムニッケル充電池の充電池電気打撃
発電を世界で初めて可能にする為に、圧電素子磁石体に軽水素トリチウム電子を内蔵させたプラス発電回路には、軽水素トリチウム電子入り圧電素子磁石体のプラス磁気を使
用して、圧電素子磁石体に軽水素トリチウム電子を、内蔵させたマイナス発電回路には、軽水素トリチウム電子入り圧電素子磁石体のマイナス磁気それぞれに、世界初の技術
の軽水素ニッケル充電池の電気中の電気熱電気を取り除く圧電素子4電子磁気分割装置を、軽水素トリチウム電子ニッケル充電池の圧電素子4電子磁気分割装置を使った世界初
の発電回路を、使用した充電池本体の軽水素トリチウム電子入り圧電素子磁石体の発電回路の循環発電連続全自動充電を、世界で初めて可能にした循環発電型発電回路内蔵充
電池の世界進出事業によって、日本国の全額借金返済の為と都道府県市町村区の全額借金返済の為と日本国の弱者国民一人一人の永遠の自立社会の設立の為の公共事業の世界
最新技術。
【請求項６３】
本発明の、公共事業の世界初の熱感知煙センサーの携帯電話の全自動連絡装置の携帯電話送受信装置は、世界初の技術の銅筒官コイルの銅筒官に軽水素トリチウム電子入り圧
電素子磁石体の超微量シリコン配線を、銅筒官配線に内蔵した携帯電話の電気スピードの上がるコイルを内蔵積載した世界初の銅筒官軽水素トリチウム電子入り圧電素子磁石
体超微量シリコンの銅筒官配線を使用した世界初の銅筒官配線コイル事業の世界進出によって、日本国の全額借金返済の為と都道府県市町村区の全額借金返済の為と日本国の
弱者国民一人一人の永遠の自立社会の設立の為の公共事業の世界最新技術。
【請求項６４】
本発明の、公共事業の世界初の熱感知煙センサーの携帯電話の全自動連絡装置の携帯電話の送受信装置の世界初の電波のノイズすなわち乱れた電波を、全自動に正常に直す電
波送受信回路チップは、圧電素子磁石体のプラス圧電素子磁石体部分にプラス電波を通す世界初のノイズ取り除きプラス圧電素子チップ装置と圧電素子磁石体のマイナス圧電
素子磁石体部分にマイナス電波を通す世界初のノイズ取り除きマイナス圧電素子チップ装置の二つの圧電素子のノイズ取り除き圧電素子チップは、乱れた電波を、圧電素子磁
石体の磁界の流れにそって、全自動に電波全自動修復出来る世界初の圧電素子電波ノイズ取り除き回路チップ装置の全世界の電波送受信装置の回路に組み込む装置として、全
世界市場への事業進出によって、日本国の全額借金返済の為と都道府県市町村区の全額借金返済の為と日本国の弱者国民一人一人の永遠の自立社会の設立の為の公共事業の世
界最新技術。
【請求項６５】
本発明の、公共事業の世界初の熱感知煙センサーの携帯電話の全自動連絡装置のカメラ映像のＣＣＤ撮像素子は、世界初の技術を使ったダイオードに軽水素トリチウム電子を
、混合合成させた世界初の技術のＣＣＤ撮像素子の世界初の軽水素トリチウム電子入りダイオード技術とＣーＭＯＳ撮像素子の世界初の軽水素トリチウム電子入りダイオード
技術の世界最新技術によって、世界初の熱感知煙センサーの映像携帯電話の全自動送受信確認の為のカメラ映像装置を、綺麗に映す為のダイオードのみのＣＣＤ撮像装置とダ
イオードのみのＣーＭＯＳ撮像素子のダイオード光エネルギー感知を、軽水素トリチウム電子をダイオードに入れるだけで、世界で一番早い映像回線度を、綺麗にする為の世
界初の技術の軽水素トリチウム電子入りダイオードのＣＣＤ撮像素子事業と軽水素トリチウム電子入りのダイオードＣ−ＭＯＳ撮像素子事業の世界進出によって、日本国の全
額借金返済の為と都道府県市町村区の全額借金返済の為と日本国の弱者国民一人一人の永遠の自立社会設立の為の公共事業の世界最新技術。
【請求項６６】
本発明の、公共事業の世界初の熱感知煙センサーの携帯電話の全自動連絡装置のカメラ映像装置の映像の明るさを、上げる為に、世界初の技術として、充電池の素子体チップ
を、充電池の半分のプラス電極にプラス映像波を流して、充電池の半分のマイナス電極にマイナス映像波を流す技術と充電池を、回路チップの大きさまで、小さくした世界初
のノーマル波でも、デジタル波と同じだけの映像の明るさを、得る事の出来る世界初の映像波回路に取り付ける充電池回路チップ装置の全世界の事業進出によって、日本国の
全額借金返済の為と都道府県市町村区の全額借金返済の為と日本国の弱者国民一人一人の永遠の自立社会設立の為の公共事業の世界最新技術。
【請求項６７】
本発明の、公共事業の世界初の熱感知煙センサーの携帯電話の全自動連絡装置のカメラ映像装置に取り付ける発光ダイオードライト玉装置は、世界初の技術の発光ダイオード
に軽水素トリチウム電子を入れた世界初の発光ダイオードライト玉の電気消費を、更に少なくした世界初の技術の軽水素トリチウム電子入り発光ダイオードライト玉装置の全
世界の事業進出によって、日本国の全額借金返済の為と都道府県市町村区の全額借金返済の為と日本国の弱者国民一人一人の永遠の自立社会設立の為の公共事業の世界最新技
術。
【請求項６８】
本発明の、公共事業の世界初の熱感知煙センサーは、昔から有る煙センサーと世界初の技術の熱感知センサーの軽水素トリチウム電子入り圧電素子磁石体粒子入りのシリコン
熱感知発電パネルを熱感知煙センサーに内蔵積載した世界初の煙と部屋の熱を全自動で連絡出来る世界初の装置を、昔から有る煙センサーの二酸化炭素感知センサーと部屋の
温度を、全自動で感知出来る軽水素トリチウム電子入り圧電素子磁石体粒子入りシリコン熱感知パネルの全世界の事業進出によって、日本の国の全額借金返済の為と都道府県
市町村区の全額借金返済の為と日本国の弱者国民一人一人の永遠の自立社会設立の為の公共事業の世界最新技術。
【請求項６９】
本発明の、公共事業の世界初の熱感知煙センサーは、温度設定によって、ブザー音とメロディー音と人の音声を、温度設定によって、携帯リモコン装置によって温度音声連絡
出来る部屋の温度調整の目安を音声連絡出来る世界初の熱感知煙センサーの部屋の温度連絡装置の携帯電話連絡装置と音声連絡装置の二つの機能を、世界初の技術の軽水素ト
リチウム電子入りダイオードスイッチ回路によって、機能の携帯電話切換えを可能にした全世界の軽水素トリチウム電子入りダイオードスイッチ回路の全世界の事業進出によ
って、日本国の全額借金返済の為と都道府県市町村区の全額借金返済の為と日本国の弱者国民一人一人の永遠の自立社会設立の為の公共事業の世界最新技術。
【請求項７０】
本発明の、公共事業の世界初の貧困社会の豪雪地帯の暖房費節約の為に、一軒家の周囲を、発酵堆肥を、プラスチックゴム袋に、再生木材チップ粉材とレントコン茎粉材と乾
燥雑草粉材と乾燥笹チップ粉材と乾燥竹チップ粉材と乾燥魚カス粉材と粉末牛乳粉材と世界初の技術の軽水素トリチウム電子気化物質を、空気注入弁装置から、軽水素トリチ
ウム電子を、少量注入して発酵が始まるまで、太陽光の熱の熱射等の熱エネルギーを加える事で、発酵堆肥の粉の軽水素トリチウム電子の熱吸収発酵作用によって、発酵熱に
よって、豪雪地帯の一軒家の周囲の除雪を、一切しなくて良い発酵堆肥の発酵熱を利用した日本古来の家畜堆肥で実証済みの堆肥熱を、利用した豪雪地帯の暖房費節約の為の
世界初の技術の軽水素トリチウム電子気化物質と複数の発酵物質を使った世界初の発酵堆肥を使った家の周囲の暖房装置の安い装置の全世界事業進出によって、日本国の全額
借金返済の為と都道府県市町村区の全額借金返済の為と日本国の弱者国民一人一人の永遠の自立社会設立の為の公共事業の世界最新技術。
【請求項７１】
本発明の、公共事業の世界初の貧困社会の豪雪地帯及び寒冷地地帯の暖房と、電気を得る事の出来る世界初の技術の軽水素トリチウム電子入り発酵堆肥熱の発電パネル構造は、
合成発酵材の乾燥魚カス粉材と再生木材チップ粉材と乾燥笹チップ粉材と乾燥竹チップ粉材と乾燥スイトコン茎チップ粉材と乾燥雑草粉材と乾燥牛乳粉材を、混合合成した物
質に軽水素または少量の水を入れた密封した発酵材の混合物質と少量の水を入れた装置に世界初の技術の発酵熱吸収発電パネルの軽水素トリチウム電子入り圧電素子磁石体粒
子入りのシリコン発酵堆肥熱発電パネルは、軽水素トリチウム電子入りのシリコン装置の熱吸収作用と軽水素トリチウム電子入りシリコンの熱エネルギーを効率良く電気エネ
ルギーに変える事の可能な軽水素トリチウム電子入り圧電素子磁石体粒子の磁気熱電気移動と瞬時による軽水素トリチウム熱吸収シリコン熱電気を、軽水素トリチウム電子入
りの圧電素子の磁気変換を、瞬時に可能にする事が出来る為、合成発酵材の熱エネルギーを、世界初の技術の軽水素トリチウム電子入り圧電素子磁石体粒子内蔵シリコンの熱
吸収発電パネル技術の世界事業進出によって、日本国の全額借金返済の為と都道府県市町村区の全額借金返済の為と日本国の弱者国民一人一人の永遠の自立社会設立の為の公
共事業の世界最新技術。
【請求項７２】
本発明の、公共事業の世界初の貧困社会の豪雪地帯及び寒冷地地帯の暖房と発電を可能にした、軽水素トリチウム電子入り合成発酵材を、世界初の技術の軽水素トリチウム電
子熱吸収圧電素子シリコン発電パネル材を、一戸建て木造建築または、ビルの床に発酵熱暖房と発電の両方を一度に行える合成発酵材と軽水素トリチウム電子と少量の水分を
加えた合成発酵材を、内蔵した軽水素トリチウム電子入り圧電素子磁石体粒子内蔵シリコングラスファイバーパネルに、薄板パネル及びカラーデザイン画床パネルデザインを
施した発酵熱を利用した圧電素子磁石体電極を用いた暖房装置と発電パネルの世界初の発電パネル構造によって、冬の寒さと電気を、発酵熱で得る事の出来る世界初の事業の
世界進出によって、日本国の全額借金返済の為と都道府県市町村区の全額借金返済の為と日本国の弱者国民一人一人の永遠の自立社会設立の為の公共事業の世界最新技術。
【請求項７３】
本発明の、公共事業の世界初の貧困社会の豪雪地帯及び寒冷地地帯の暖房と暖房費を確保する為に、世界初の技術の合成発酵材の熱エネルギーと軽水素酸素水の通常の水から、
重水素を取り除いた少量の水と合成発酵材を、撹拌した物質を、世界初の技術の液体マグネシウムに圧電素子磁石体の複数針穴空きパネルによって、他人の発明の液体マグネ
シウムを内蔵した装置に世界初の熱電気圧電素子磁気瞬間変換装置技術の圧電素子磁石体の複数針穴空き装置を、他人の特許の燃料電池発電物質を、内蔵する事で燃料電池発
電の世界初の軽水素酸素水の合成発酵材熱による軽水素酸素水の連続発酵蒸気燃料電池パネル発電を、世界で初めて可能にした技術を、燃料電池の液体マグネシウム発明特許
者に商談の話を行って、全世界の合成発酵材と軽水素酸素水を、使った世界で初めての合成発酵材の熱蒸気を使った連続燃料電池パネル発電事業の世界進出によって、日本国
の全額借金返済の為と都道府県市町村区の全額借金返済の為と日本国の弱者国民一人一人の永遠の自立社会設立の為の公共事業の世界最新技術。
【請求項７４】
本発明の、公共事業の世界初の貧困社会の豪雪地帯及び寒冷地地帯の暖房と発電の両方を可能にした合成発酵材に少量の軽水素酸素水を、混合撹拌合成した物質を、世界初の
他人の特許の固形水素燃料電池パネルに合成発酵材の熱エネルギー発生軽水素酸素蒸気を、複数針穴技術入りの固形水素燃料電池パネル圧電素子磁石体カバー世界最速電気磁
気変換出来るパネルで発電した電気と燃料電池パネル発電した熱エネルギーを、燃料電池パネルにもう一つの世界初の技術の熱吸収発電パネルの軽水素トリチウム電子入り圧
電素子磁石体粒子内蔵シリコン熱瞬間吸収発電パネルの二つの発電パネルを、二重に備えた世界初の合成発酵材の熱と軽水素酸素水蒸気発電と発酵熱と燃料電池発電熱を瞬間
吸収発電可能にした世界初の技術によって、世界進出事業の二酸化炭素排出防止装置事業によって、電気自動車及び電気船及び電気列車及び電気トラクター及び電気ロボット
及び電気家電及び発酵熱発電床暖房パネル及び発酵熱発電壁暖房パネル及び発酵熱寒冷地ハウス暖房パネル装置及び寒冷地ビル床壁暖房パネル及び発酵熱発電パネルペット及
び発酵熱発電パネル電気バス及び発酵熱発電バイク及び公園ベンチ取り付け型発酵熱発電椅子机装置及び学校取り換え用発酵熱発電パネル及び学校発酵熱発電黒板及び自動車
取り換え用発酵熱発電椅子及びビル街取り換え用発酵熱発電床パネル及び寒冷地農業地中暖房パネル装置及び発酵熱発電パネルモーター自転車及び発酵熱発電パネルハイヤー
及び発酵熱発電軽量モーター飛行機及び発酵熱発電水上バイク及び発酵熱発電水中ロボット及び発酵熱発電水中自動車及び発酵熱発電スキーリフト椅子装置及び発酵熱発電街
路地デザイン画風除けパネル装置及び発酵熱発電ペットハウス及び発酵熱発電モーター雪上車及び発酵熱発電鞄敷き板パネル及び発酵熱発電冬用靴及び発酵熱発電弁当箱及び
発酵熱発電浴槽ボックス装置及び発酵熱発電取り換え用キッチン台及び発酵熱発電パネル素材使用トイレ装置及び発酵熱発電家電パソコンパネル及び発酵熱発電冬用の緊急そ
り装置及び発酵熱発電パネルボルトナット組み立て型農業パネルハウス及び発酵熱発電枝付きスコップ及び寒冷地花運搬用発酵熱発電ボックス及び発酵熱発電乗馬用椅子装置
及び発酵熱発電筏装置及び発酵熱発電カヌー装置及び発酵熱発電柱時計及び発酵熱発電エアー救命ポート及び発酵熱発電ウエットスーツ及び発酵熱発電糸及び発酵熱発電パネ
ル医療器具腰ベルト装置及び発酵熱発電自動車自転車バイク車庫及び発酵熱発電玩具パネル及び発酵熱発電スパーコンピューターパネル及び発酵熱発電情報装置パネル及び発
酵熱発電ライト装置及び発酵熱発電警備用ライト及び発酵熱発電パネル携帯電話及び発酵熱発電パネル無線装置及び発酵熱発電豪雪地帯歩道パネル及び発酵熱発電自販機及び
発酵熱発電ライト傘装置及び発酵熱発電ライト杖装置及び発酵熱発電ライト学生用鞄及び発酵熱発電リース用地震家屋潰れ防止装置及び発酵熱発電ライトまな板装置及び発酵
熱発電鍋蓋装置及び発酵熱発電歯磨きライト交換枝装置及び発酵熱発電複数超小型パネル内蔵ニャンワン動物ライト位置確認服装置及び発酵熱発電ラジオ発酵熱発電カセット
テープ両面ＣＤ及び発酵熱発電電池及び発酵熱発電バッテリー及び発酵熱発電回路基板パネル及び発酵熱発電液晶パネル及び発酵熱発電ＩＣ回路装置及び発酵熱発電カードカ
バー及び発酵熱ホース発電ソーラーパネル及び発酵熱発電パネル付き人工衛星及び発酵熱発電ライトゴルフボール及び発酵熱発電ライト釣りざお浮装置及び発酵熱発電ヨット
及び発酵熱発電ライト時計ペン及び発酵熱発電レジ冷え防止椅子装置及び発酵熱発電ライトブザー電話付き車椅子及び発酵熱発電四輪モーター押し車装置及び発酵熱発電地下
リニアー歩道装置及び発酵熱発電ライト耳かけ装置及び発酵熱発電腕時計及び発酵熱発電計算機及び発酵熱発電置き方ライトスタンド及び発酵熱発電及び発酵熱発電壁掛けラ
イト装置及び発酵熱発電天井つり下げライト及び発酵熱発電掃除機及び発酵熱発電ニャンワンロボット掃除機等の、全ての電気を使う装置の電池及びバッテリー及び発電機の
変わりを、可能にした発酵熱エネルギーを使った軽水素と酸素合成の少量の水の発酵熱水蒸気の燃料電池パネル発電と発酵熱エネルギー吸収発電可能な軽水素トリチウム電子
入り圧電素子磁石体粒子入りシリコン熱吸収発電パネルのダブル発電可能な合成発酵熱発電パネル事業の世界進出によって、日本国の弱者国民一人一人の永遠の自立社会設立
の為の公共事業の世界最新技術。
【請求項７５】
本発明の、公共事業の世界初の農業用暖房装置は、世界初の軽水素トリチウム電子入り合成発酵材熱エネルギー発生装置と世界初の卍形状モーター装置と世界初の卍形状モー
ターフアンの羽根の中に世界初の技術の軽水素トリチウム電子入り酸化鉄熱発生フアン羽装置をスロー回転で、卍形状モーターを回す事によって、酸化鉄と軽水素トリチウム
電子の熱発電装置によって、より効果的な世界初の技術の軽水素トリチウム電子入り合成発酵材熱エネルギーを、効率良く農業ハウスに温風を送風出来る世界初のダブル熱送
風農業用ハウスシステムの事業を、世界進出を可能にする事で、日本国の全額借金返済の為と都道府県市町村区の全額借金返済と日本国の弱者国民一人一人の永遠の自立社会
設立の為の公共事業の世界最新技術。
【発明の詳細な説明】
【技術分野】
【０００１】
本発明は、現在までの日本国の900兆円越えの全額国の借金返済の為の特許技術と都道府県市町村区の全額借金返済の為の特許技術に関する説明。
【背景技術】
【０００２】
従来の公共事業は、水力発電に使用する通常全世界何処でも使用しているダイナモ金属のみの、現在まで発電量が、変わらないダイナモ発電装置を使用した発電装置で有る。   
この他、原子力発電に関してのダイナモも、通常ダイナモが、今まで使われてきた為、本発明の高出力ダイナモの用に、通常ダイナモ発電と圧電素子磁石体の通じ用ダイナモ
電気打撃発電と、通じ用ダイナモの圧電素子磁石体の軽水素トリチウム電子誘発電気打撃発電の3種類の異なったダイナモ発電システムは、マスコミ公開上存在しなかった。   
更に、電気不足の為、火力発電所に対しても、通常のダイナモの為、発電量を多く望めないのが現状で有る。
【０００３】
以下、図1〜図40までの公共事業新技術に関する、現在までの過去の技術と墫野和夫の主張する新技術の簡単な違いを、図毎に説明する。   
従って、図1は、全世界で現在も使われている水力発電のダイナモも装置を、(1)の世界初の高出力ダイナモの一度に三種類のダイナモ発電電気を、得る事の出来る世界初の技
術を説明した図で有り、現在ある水力発電所で、発電した水は、超大型水中ポンプを、複数使って組み上げる技術と異なる電気使用料を、少なくした(3)の高速真空装置によっ
て、発電後の水を連続気化して、ストレート官と異なる(2)の世界初のスクリュー官を使って、水力発電後の水の重量を、軽くしてダム本体に水を送る世界初の技術で有る。
(例えば特許文献1参照。)。
【０００４】
従って、図2の公共事業新技術の(6)の高出力ダイナモの世界最新技術は、通常ダイナモ構造に絶対に無い、(9)の高出力軽水素トリチウム電子入り圧電素子磁石体の日本マスコ
ミ公開上発表していない世界初の技術で有る。(例えば、特許文献2参照。)。
【０００５】
従って、図3の公共事業新技術は、水力ダムの水を、ダム本体に戻す為の世界最新技術で有り、今までは大型水中ポンプを、複数使用して対応していた様子で有り、本発明の技
術は、(3)の高速真空装置と、(15)の水位センサーを、使った(17)の錆び止めアルミニューム官は、コンクリートの内側にアルミニューム官を、取り付けた現在使用されていな
い構造のシールド官で有り、一度使用すると永遠に取り換えしない事を、計算としている官構造で有り、(3)の高速真空装置で、ダム水の貯蓄水を、連続して気化させて、ダム
本体に送る事を、可能にしている世界初の技術で有る。(例えば、特許文献1参照。)。
【０００６】
従って、図4の公共事業新技術は、水力ダムの水を、(3)の高速真空装置で、瞬間気化した水を超高速で、ダム本体まで送風出来る(25)の気化水エアー取り込み口プロペラ板装
置を使った(18)の世界最新技術の高出力モーターを複数台積載した高出力2連結以上モーターを、積載使用した装置説明で有る。
更に、(18)の高出力2連結以上モーター構造説明として、(20)のモーター軸に対して、(19)のモーター鋼鉄枠の中央部分に世界初の新技術として、(21)の軽水素トリチウム電子
入り圧電素子磁石体を代わりに入れたモーター内コイルの世界最新技術構造説明とモーター内コイルの世界最新技術説明として、(23)の銅筒官コイル配線に世界初の新技術と
して、(24)の軽水素トリチウム電子入り圧電素子磁石体粒子物質を、(23)の銅筒官コイル配線に内蔵した世界初の電気の一番流れ易い物質だけを使った世界初のコイル配線で
有る。(例えば、特許文献2参照。)。
【０００７】
従って、図5の公共事業新技術は、海水を、真水に変える技術で有り、本発明以外に、電気熱を、使った海水浄水技術と多層フイルターを、使った海水浄化技術と太陽光温度を
使った海水を、真水に変える技術が、有るが一度に大量の海水を、真水に変える技術としては、不向きで有った。
その為、本発明の世界最新技術は、(3)の高速真空装置の世界最新技術の高出力モーター技術とベルト切れ防止対策の為の複数歯車使用技術の高速真空装置技術と(13)の高出力
電動モター仕切り弁装置を海水を、水中ポンプで汲み上げ、超大型貯水槽に入れて密封して、(3)の高速真空装置で、瞬間に海水を気化させてもう一つの真水貯水槽の水中に瞬
間気化させた真水の気化物質を、戻す世界初の、海水を真水に、一度に大量の海水を、処理する世界初の公共事業の世界最新技術説明で有る。
【０００８】
従って、図の6の公共事業新技術は、テレビマスコミでも、騒がれている水力ダムコンクリートの劣化防止対策の世界最新技術で有り、現在も、対策は他に無い様子の為、マス
コミ公開されていない技術説明として、(34)の固形窒素を、(35)のグラスファイバーパネルに内蔵した、冷蔵庫冷却パネルとクーラー冷却パネルに使われる世界最新技術の冷
却パネル装置を、コンクリート型枠材の絶対に外さないコンクリート打接から、100年以上のコンクリート取り壊しを、無くす為の雨風雪のコンクリートの自然摩耗防止と太陽
光の熱劣化を、防ぐ事と、真空層を、コンクリートと型枠材との間に型枠材を外さない事で、可能にした世界初のコンクリート劣化を、遅らせる世界初の技術説明で有る。
【０００９】
従って、図7の公共事業新技術は、テレビマスコミで、騒がれているシャープ製の携帯電話の黒色のソーラーパネル技術が有るが以外に、3分の通話の充電に30分掛るのが現状
で有り、軽水素入りで無いようで有る。
その為、本発明の(37)の世界最新型ソーラーパネル技術は、(38)の軽水素トリチウム電子入り圧電素子磁石体粒子内蔵シリコンソーラーパネルの世界最新技術で有り、本発明
を、特許技術を使った携帯電話のソーラーパネルは、圧電素子4電子磁気分割装置によって、通常の電気中に含まれている電気熱抵抗を取り除く技術を、使用する事で、太陽光
充電のみならず、体の体温を、軽水素トリチウム電子入り圧電素子磁石体粒子入りシリコンソーラーパネルが、世界で初めて熱吸収発電が行える為、夜でも体温充電が、世界
で初めて可能にした技術で有る。(例えば、特許文献2参照。)。
【００１０】
従って、図8の公共事業新技術は、豪雪寒冷地の雪対策の為の、線路両脇全体に無数のコンプレッサー(42)のスクリューエアー配管を取り付けた(41)の超小型コンプレッサーを
複数設置した、世界初のスクリューエアーバリアによって、雪を線路内に入れない世界初の技術で有り、今後、地下シールドトンネル代金との料金設定によって、使用される
技術と言える。
【００１１】
従って、図9の公共事業新技術は、現在電気使用量不足の夏場の電気使用対策として、世界初の技術として、歩道の夏場の舗装熱を、利用した世界初の技術で有り、(46)の世界
初の技術の軽水素トリチウム電子入り圧電素子磁石体粒子内蔵シリコンダイオード熱吸収発電パネルは、外気熱など、何らかの熱吸収作用で、発電出来る世界初の新技術構造
の簡単な説明で有る。
【００１２】
従って、図10の公共事業新技術は、2009年国会で、騒がれている沖縄県の飛行機騒音に対処した技術説明で有り、他に海上筏滑走路案件と浅瀬の海岸を埋め立てる自然破壊技
術が、現在、国会で騒がれている飛行機騒音を、無くす手段として騒がれている。
しかしながら、自然破壊を、防いで、お金を余り掛けないで、騒音を防止する対策として、本発明として、全世界で一例も、無い公共事業技術として、複数の絶対に曲がらな
い、鋼鉄杭を海上の浅瀬に複数設けて、鉄板又は、合金などの飛行機滑走路を、ボルト止めする世界最新技術で有る。
簡単な構造は、(49)の掘削ドリルを、筏線などに、乗せて掘削する技術によって、(50)の穴空き鉄筋入りコンクリート空洞杭を、(49)の掘削ドリル穴に入れた世界初の技術で
有り、更に(51)の鋼鉄イボ付き杭を、(50)の穴空き鉄筋入りコンクリート空洞杭に、(51)の鋼鉄イボ付き杭を、入れてコンクリとで、固めた世界初の海底を、全て埋め立てし
ないで、海上に飛行機滑走路を、取り付ける世界初の技術で有り、(52)のビニールナイロンカバー付き鋼鉄杭固定装置と鋼鉄ポルト締めによって、海上の飛行場が、完成に成
り、陸地の宿舎には、海底トンネル移動に成るが、最初の内は、ポート移動で対処に成る。
【００１３】
従って、図11の公共事業新技術は、雨水の増水した水の処理方法として、東京の神田川の地下貯水の複数の飛行機のジェットエンジンと水中ポンプを、複数台用いて、海上に
流す世界で例の無い河川増水システムが有るが、公共事業費が、多く掛る為、事業懸念されている技術に対応した公共事業費を、安くした世界初の技術は、増水した河川の水
を、河川サイドに、複数の水門を設けて、増水した水を、(58)の固形窒素二重構造の塩化プラスチック官または、ただの厚めの再生塩化プラスチック官の地下シールドに、増
水した水を引き込んで、(56)の高速真空装置の河川水気化処理装置に、よって下流の遠く離れた空気中まで、世界初のスクリュー官技術を、使って連続に河川増水を、放出す
る世界初の技術で有り、神田側河川増水処理装置より、公共事業費が、安く済むと言える理由にスクリュー官自体太くしなくて良いエアー放出がスクリュー官によって超高速
で、行われる世界初の技術で有る。
【００１４】
従って、図12の公共事業新技術は、夏場の日照りで飲料水不足を、家庭で補う為の世界最新技術で有るが、家庭用の雨水貯水タンクは、樹脂タンクの値段が、高い為か、一行
に値段が下がらない理由なのか、普及しないのも現状で有る。
従って、本発明の、風呂水と台所の水を、再処理濾過して、貯蓄水とする一般家庭の貯水タンクは、固形窒素入りのグラスファイバー貯水タンク装置は、市販されていない技
術の為、超低価格設定可能な一般家庭の貯水タンクに、世界初の技術の(65)の生活排水処理装置によって、電源は、世界初の技術の(62)の2連振子型機械式発電機の無給油全自
動発電機を使用した(66)の真空装置のベルト無の複数歯車ベルト代替え装置と高出力モーターを、使用積載した他に無い(66)の真空装置を、作動させて風呂水及び家庭流し水
及び雨水を、(60)の高出力電動モーター仕切り弁を、使って貯水タンクに風呂水及び流し水を、貯蓄して、(66)の真空装置を、使って瞬間気化濾過水を、作ってもう一つの地
下貯水タンクに(66)の真空装置瞬間作動の濾過水を貯める世界でも、例の無い技術で有り、(63)の台所流し水及び風呂排水の廃棄物蓄積場所の掃除が必要に成るだけの装置で
有り、電動仕切り弁とモーターゴミ寄せ機で、問題解決の公共事業対策の世界最新技術説明で有る。
【００１５】
従って、図13の公共事業新技術は、マンホールの水道官及び下水道管及びガス官及び電気配線及びテレビ配線及びラジオ配線及びインターネット配線及び位置連絡ＧＰＳ装置
など等の(71)のライトカメラの位置全自動画像連絡装置で有り、マスコミ公開上他に無い、世界初のマンホールシステムで有り、電源は、世界初の技術の(72)の自動充電池又
は、2連振子型自動充電池の電源使用で有り、ライトにも、世界初の新技術の(73)の軽水素トリチウム電子入り発光ダイオードライト玉装置を、積載内臓して、補助電源として、
世界初の新技術の、(69)の軽水素トリチウム電子入り圧電素子磁石体粒子内蔵シリコンダイオードソーラーパネル装置は、クリスタルガラスカバーが、取り付けられているソ
ーラーパネルシステムで有り、カメラレンズも、世界初の技術の(71)の上が魚眼レンズの下がとつレンズの一つ削り合わせレンズによって、レンズ半分より上は、広い視野に
成る世界初のレンズ使用積載技術と、(70)の衛星波送受信装置と(74)の衛星位置確認装置の為の超小型圧電素子磁石体カード地図とマンホール内ガス濃度全自動測定器が、設
置されている世界初のマンホール管理システムで有る。
【００１６】
従って、図14の公共事業新技術の図6でも、説明した固形窒素固形粒子入りグラスファイバーコンクリート永久型枠装置などの、今後の需要が多くなる為、(75)の最新式混合ゴ
ミのプラスチック回収装置は、(76)の現在燃やしているプラスチック類の完全回収の為に、電熱機でプラスチックだけを溶かして集めて、公共事業のプラスチックと再生ガラ
スを、使った再生グラスファイバーの原料確保対策事業説明に成る。
【００１７】
従って、図15の公共事業新技術の図15は、世界初の透明ガラスの太陽光発電とビル部屋熱吸収発電が、可能な(81)の世界初の技術の軽水素トリチウム電子入りシリコン網入り
2枚合わせ発電ガラス装置は、世界の電気供給の発電源として、世界初の新技術の軽水素トリチウム電子入りシリコン網入り2枚合わせ発電ガラス装置は発電量を上げた軽水素
トリチウム電子入り圧電素子磁石体細磁気ラインを、内蔵する事で、瞬間電気熱を、電気変換するスピードを上げる事が一段と速くした世界最新技術も有る。
【００１８】
従って、図16の公共事業新技術は、都道府県市町村区のコンクリートビルのコンクリート劣化防止と地震強度を高める為の、(83)の鋼鉄四角形型波形状鉄筋を使用した(80)の
固形窒素入りグラスファイバーコンクリート劣化防止永久パネル取り付けビルは、地震対策として、コンクリート劣化を、視野に入れたコンクリート地震強度を、上げる為に
世界で、使用されて来なかった、鋼鉄加工の商品原価が、通常鉄筋の何倍も、鋼鉄鉄筋を、作る加工の手間が、鋼鉄鉄筋に上乗せになる為、世界中で誰一人も使用しなかった
技術で有り、実際には、高すぎて売れないが、現在の事情で有り、おそらく特別注文に成るが、鋼鉄鉄筋の特許提出が、有ったならば、鋼鉄鉄筋より、ビル免振技術を、使用
した方が安く成るが、鋼鉄鉄筋特許が無ければ、特別注文の高い鉄筋で有るのは、言うまでも無いが、100年と言わず半永久取り壊さない(83)の鋼鉄四角形型波形状鉄筋は、世
界初の技術の(84)の滑り止め砂鉄を(83)の鋼鉄四角形型波形状鉄筋に吹き付けた世界初の鉄筋を、繋げる為の、(82)の鋼鉄四角形型波形状繋ぎ装置は、筒型鉄筋ジョイント構
造に成り、繋げた後、鋼鉄鉄筋の補助溶接が、行われる世界初の構造で有り、(85)の錆び止めグラスファイバー溶液取り付け鉄筋は、現在余り見かけない錆び止め塗装鉄筋の
異成った技術に成る。
【００１９】
従って、図17の公共事業新技術は、現在2009年世界的に流行しているインフルエンザの防止装置として、(86)の空気清浄機は、フイルタータイプが殆んどで有り、近年何処か
の国の発明で、売り出された商品で有る。
更に、水蒸気加湿器の空気清浄機らしき商品が、市場に出回っている。
本発明の、(86)の空気清浄機は、世界初の新技術の(62)の2連振子型機械式発電機技術型商品と、(87)の循環発電型バッテリー技術型商品に成り、今までの家庭配線を、使った
電気配線は、本発明では使用していないのも、特徴の一つで有る。
この他、(90)の高出力モーター電磁誘導発電装置と冬場用の(86)の空気清浄機として、(96)の複数穴空き液体マグネシウム入り軽水素トリチウム電子入り圧電素子磁石体発電
フイルター装置は、(88)の軽水素トリチウム電子入り酸素水タンクの気化熱蒸気発電と冬場の湯熱蒸気発電が、可能な世界初の装置技術で有り、(89)の軽水素トリチウム電子
入り圧電素子磁石体粒子内蔵シリコン外気熱吸収発電パネル等を使った(88)の空気清浄機は、冬用として、電熱ニクロム線電気ストーブは、電気代が高く付く為、世界最新技
術の、(93)の酸化鉄スクリューエアー撹拌温風装置は、軽水素トリチウム入り酸化鉄の銅穴空き超薄鋼鉄フアン羽装置を、モーターでゆっくり回して、軽水素トリチウム電子
の、酸化鉄撹拌熱エネルギーの熱吸収熱増幅作用によって、電熱線を使わない世界初のフアン装置で有る。
【００２０】
従って、図18の公共事業新技術は、日本の特許庁と日本の本田技研が主張するＤＣブラシレスインバータ制御モーターのモーター形状を、大幅に変えたＤＣブラシレスインバ
ータ制御レールモーターの電気総合消費量を、大幅に少なくした技術は、(102)の複数穴空き軽金属内コイル板は、通常モーター内コイルは、鋼鉄板で有り、ＤＣブラシレスモ
ーター内コイル構造は、鋼鉄電磁石構造又は、圧電素子電磁石構造に成り、モーター内コイル板を、(102)の複数穴空きアルミニューム軽金属内コイル板を使用した卍形状の内
コイル板の(101)の人工合成永久磁石部分の永久磁石部分を小さくして、少し外向きにした世界の(99)の高出力卍形状インバータ制御モーターで有り、(100)のインバータ制御
高出力電磁石を、ＤＣブラシレスモーターの電磁石の数より、減らして二つしたのも、特徴の一つで有り、(103)の高出力電磁石は、複数穴空きステンレス鋼鉄薄板に軽水素ト
リチウム電子入り圧電素子磁石体板を交互に張り付けた永久磁石板に(104)の銅筒官コイル板を巻いた世界初の技術の電磁石構造によって、(99)の高出力卍形状インバータ制御
モーターは、ＤＣブラシレスインバータ制御モーターより、電気消費が少なく成るモーター説明に成る。
【００２１】
従って、図19の公共事業新技術の通常家庭の換気栓及びクーラーなどは、外気を、まともに取り入れるだけの構造の為、2009年の世界的インフルエンザ流行対策を、行って無
い換気栓対策とクーラー対策を、行った装置説明に成る。
問題の、換気栓は、(106)の換気栓フイルター後付け装置の金具付き装置は、(109)の三重フイルターを、使用する為にフイルターが取れる事が有る為、金網付き三重フイルタ
ーは、(113)の木材活性炭及び稲ワラ炭及び麦わら炭及び雑草炭を、(111)の十字網入りガーゼ合成活性炭フイルターとスッポンジフイルターと(112)のグラスファイバー十字
網糸フイルター等によって、部屋の煙等を、取り除く事が出来る世界初のフイルター説明に成る。
更に、クーラー等の現在の一枚フイルターを、多層フイルター構造に変えて外気のホコリを取り除く対策を、講じた装置で有り、図17の(86)の空気清浄機技術の空気を、一度
水または熱水に取り込んで、綺麗な酸素を、部屋に入れる世界初のクーラー技術が有る。
【００２２】
従って、図20の公共事業新技術は、家庭風呂の熱発電説明で有り、家庭のガスを、使った東京ガスの燃料電池発電技術は、ガス本体に内容物の水素を取り出して、外気酸素と
化学反応発電する技術は、圧電素子磁石体を使っていない燃料電池の水素と酸素の化学反応発電の水素と酸素の化学反応発電の電気変換率は、無駄な熱エネルギーを、発生し
易い全世界何処にも有る燃料電池の水素と酸素の化学反応発電技術で有る。
しかし、本発明の(116)の風呂壁の液体マグネシウム内蔵軽水素トリチウム電子入り圧電素子磁石体複数針穴空き燃料電池風呂壁発電パネル発電装置と、(115)の湯沸かし装置
取り付け口によって、沸かされた湯熱エネルギーは、(118)の液体軽水素トリチウム電子入り圧電素子磁石体粒子内蔵風呂湯熱貯蓄発電装置に、世界初の湯熱発電官として、(8
9)の軽水素トリチウム電子入り圧電素子磁石体粒子内蔵シリコンダイオードスクリュー官熱発電装置を、各部屋に風呂湯熱送風管として、配置する世界初の新技術は、高出力
電動仕切り弁又は、手動仕切り弁によって、各部屋の温度調整出来る世界初の装置は、(99)の高出力卍形状インバータ制御モーターの(117)の風車風送り装置によって、部屋の
温度調整を行い、スクリュー官送風エネルギーを、(6)の高出力ダイナモを、風車回転させて発電出来る世界初の家庭風呂の湯熱を、使った発電装置説明で有る。
【００２３】
従って、図21の公共事業の、電子レンジは、電熱湯沸かし器と電気炊飯器と電気ストーブと洗濯乾燥機と大型冷蔵庫等に、匹敵する電気消費が、目立って多い電気製品で有り、
弱者庶民にとっては、悩みの種で有った。
その為、図20でも、説明した水蒸気を、燃料電池の液体マグネシウム発電パネル及び固形水素の燃料電池発電パネルの水蒸気吸収発電装置を、電子レンジ及び湯沸かし器及び
電気炊飯器及び加湿器及び空気清浄機及びクーラー装置に、(121)の液体マグネシウム内臓軽水素トリチウム電子入り圧電素子磁石体粒子入りシリコンダブル発電パネルを、そ
れぞれ取り付ける技術によって、電気消費の著しい電気製品の水蒸気発電装置を、取り付けた世界初の燃料電池パネル発電出来る水蒸気を使った発電装置付きの家電製品と鍋
の蓋調整可能な燃料電池蒸気発電装置付きの(124)のダブル発電鍋蓋装置で有る。
【００２４】
従って、図22の公共事業の生ゴミ回収家庭菜園用肥料作り出来る小型電気トラックは、日本国内に、存在していないのが、現状で有り、但し家庭用の生ゴミ電熱乾燥機は、超
小型装置として、存在しているが、電気熱の電気使用料金が現在の貧困社会の低所得者では、買えない電気製品で有る。
更に、本発明の図22の公共事業新技術は、(132)の無害無給油全自動循環連続燃料電池水発電機を、積載した世界初の(135)のタイヤ入りホイルチューブレスタイヤと(3)の高出
力高速真空装置技術と(13)の高出力電動モーター仕切り弁装置を使った装置と(134)のモーター撹拌装置によって、生ゴミを粉になるまで撹拌して、(3)の高出力高速真空装置
によって、生ゴミを瞬間撹拌して、水分を瞬間に取り除く装置を積載した電気トラックで有り、生ゴミのエアー吸着フイルターとして、(133)の3連フイルターを、積載した世
界初の生ゴミ撹拌瞬間乾燥装置で有る。
【００２５】
従って、図23の公共事業の除雪車は、都市内では、雪はダンプ運搬の為、除雪運搬費が、莫大に成り、豪雪地帯の悩みの種で有った。
本発明では、(132)の世界初の半永久無給油連続作動燃料電池を、積載した(3)の高速真空装置と(13)の高出力電動モーター仕切り弁装置を、使った(140)の雪の気化水放出型の
(140)の気化水放出型の世界初の技術の(139)のスクリュー雪の気化水放出官を使った(99)の世界で一番電気消費の少ない新開発のモーターを使って、空気中に雪の気化物質の
連続放出装置によって、豪雪地帯の除雪対策とした除雪運搬費を、全て無くした世界初の装置。
【００２６】
従って、図24の公共事業のでん粉カス処理は、現在でも、でん粉カス処理場近くになると、でん粉カスの臭いに気が付く状態の発酵臭が現在でも、わかる状態で有る。
更に、鶏糞処理施設に於いても、鶏糞を加熱処理している為、近くになると鶏糞臭がわかる状態で有る。
この他、浜辺の魚カスに至っても、魚カスが、直ぐにわかる状態で有る。
その為、本発明では、でん粉カス及び鶏糞カス及び魚カスを、一度に収納出来る世界初の技術の(13)の高出力電動モーター仕切り弁の装置の力を、使ってでん粉カスと鶏糞と
魚カスを、密封した部屋で、(143)の高出力モーターを使った(142)の撹拌装置を、作動させて粉状態にして、(3)の高速真空装置で、瞬間乾燥させる装置までは、世界で一番新
しい機械技術を、使ったでん粉カスと鶏糞と魚カスの瞬間乾燥装置で有り、おそらくこの分野では、世界初の技術で有る。
問題の臭い処理技術として、世界初の(146)の乾燥木材粉材と乾燥竹粉材と乾燥笹粉材と乾燥麦ワラ粉材と乾燥稲ワラ粉材と乾燥雑草粉材の混合発酵物資を、貯蔵室に、でん粉
カス気化物質と鶏糞気化物質と魚カス気化物質を、発酵気化物質によって、世界で発酵気化物質処理を行う事の出来る世界初の悪臭を、発酵分解して処理する世界初の技術と
145)の発酵熱軽水素トリチウム電子入り圧電素子磁石体粒子内蔵シリコン発電パネル装置の発酵熱を、瞬間に電気に変える世界初の技術で有る。
【００２７】
従って、図25の公共事業の地震対策装置としは、高価な一戸建て免振装置が、テレビマスコミでは、報道しているが、安い弱者庶民でも、買える地震対策装置は、テレビマス
コミ報道されていない現状で有り、現在のテレビマスコミに手紙を、書いて特許番号の情報公開を、求めても殆んどが、判りませんの回答の情報公開制度に反した不正競争を、
黙認している現在の理由として、マスコミも、企業に特許番号特願番号の公開を、求めないで宣伝している利益主義で有り、企業側は、特許権取得まで、時間がかかり過ぎる
理由から、長年に渡って、マスコミの株取得理由などで、特許番号公開を、しない方法の不正競争の賠償裁判まで、貧困層から逆に裁判を掛けられる状態にして、物作り優先
主義を取っているのは、一理納得は、出来ても、販売に対して、特許権を、得て無い先技術を、無視出来ると言う日本の法律説明は、詐欺罪と財産横領罪としか考え付かない
理由の一つでも有るが、確かに資本主義が、永遠に潰れては、困るのも大学の経済学部の教授と企業と企業株に支えられているマスコミなのかも知れないのも事実で有る。
日本国内では、賠償裁判には、賠償請求額に応じて裁判費用が、上がる為、誰でも賠償裁判が、出来ない長年に渡って、大学の法学部の名誉教授及び有識者全員が、今現在も、
黙認し続けている事実は、先発明を、優先した場合と賠償裁判か゛ゼロ円にした場合、企業が、潰される恐れを考えて、お金優先主義の日本の資本主義国家が、日本の国と都
道府県市町村区の借金地獄社会の現在の事実を、マスコミを含めて、本当の対策案を、国民の消費税以外話をしない事実で有る。
弱者貧困層の救済の為の、公共事業新技術は、安い金額設定が可能な、特に(149)のグラスファイバー板パネルの再生材は、安く手に入る為、一部屋だけ守る地震崩壊防止装置
は、今後の貧困弱者層を、お金の面で救う対策の公共事業の新技術で有る。
【００２８】
従って、図26の公共事業のトイレ廃棄物のアンモニアを、発酵アルコールに変える技術は、世界の何処にも、存在していない技術だと考えられる。
現在は、殆んどが、燃やして処理されているのが現状の様で有る。
更に、真空トイレ技術を、使った(3)の高速真空装置と(13)の高出力電動モーター仕切り弁装置とを使って、トイレ廃棄物を瞬間乾燥させて、(159)の複数穴空き液体マグネシ
ウム内蔵軽水素トリチウム電子入り複数針穴形状の圧電素子発電パネルによつて、燃料電池パネル発電と、トイレ廃棄物を、乾燥廃棄物と液体アンモニア水に分ける事が出来
る。
次に、液体アンモニアを、(155)のアンモニア水高出力遠心分離機によって、アンモニアと水素と酸素に変える世界初の試み技術で有る。
この他、アンモニア水を、石灰中和して、肥料にする方法が有る。
【００２９】
従って、図27の公共事業は、リニアーモーターカーの電磁石説明と、電磁石に使用する世界初のコイル説明で有るが、通常鋼鉄電磁石コイルが、使用されているのは、言うま
でも無い。
そして、世界で一番製品の良い超電導配線は、マスコミ公開発表の日本の慶応大学のケイ素とヨウ素などを、使った超電導配線が有るが、東芝のセラミック超電導配線なども
有るが、超電導コイル配線のマスコミ発表は、していない実情で有る。
従って、リニアーモーターカーの電磁石超電導配線は、まだ出来ていないのが、現状だと言えるのは、超電導配線モーターのマスコミ発表が今までに無いのも現状で有る。
本発明の、図27は、超電導配線の考え方の丸っきり反対の、電気の通り易い物質だけを、世界初の新技術の銅筒官配線に世界初の新技術の軽水素トリチウムと圧電素子磁石体
を、混合合成させた物質を、内蔵させた世界で初めて、電気の通り易い物質だけを、銅筒官配線に入れてリニアーモーターカーの(161)の合成重ね合わせ永久磁石の(162)の軽
水素トリチウム電子入り圧電素子磁石体と複数穴空き鋼鉄板の交互重ね合わせ磁石板に、(164)の軽水素トリチウム電子入りの圧電素子磁石体混合粒子を、入れた銅筒官配線を
、(161)に巻いた世界初の電磁石を、リニアーモーターカー線路に設置して、(166)の軽水素トリチウム電子入り圧電素子磁石体粒子内蔵シリコン塗料を錆び止めに被せた他に
無いリニアーモーターカーの電磁石構造事情説明。
この他、世界初の電気中の電気熱抵抗電気だけを、取り除く(94)の世界初の圧電素子4電子磁気分割装置が、世界で初めて積載した世界初の新技術は、超電導電気時代を、変え
る世界初の技術で有る。
【００３０】
従って、図28の公共事業は、リニアーモーターカーの暴走を、止める非常緊急ブレーキ装置だが、マスコミ報道と九州と長野甲府のリニアーモーターカーの試験場にも、暴走
緊急ブレーキシステムは、マスコミ公開されていないのも現状で有り、実際に取りけられているとは、考えずらいのが現状で有る
その為、緊急ブレーキシステムとして、エアーブレーキと、一部分を、水槽にした駅ホームに出来る水圧プールリニアー線路ブレーキによって、暴走を止める手段としている。
【００３１】
従って、図29の公共事業は、墫野和夫の実用新案登録に成っている水発電機装置つまり、燃料電池の水循環型発電機の総合発電量を、更に、総合発電量をパアーアップさせた
世界初の新技術を、一度に複数積載した、おそらく燃料電池の世界技術史上、例の無い技術を、集めた燃料電池の水循環発電機で有る。
そして、簡単な新技術として、(3)の高速真空装置は、通常モーターから、電気消費の少ない高出力モーターに変えた世界初の技術と高出力電動モーター仕切り弁を、通常電動
モーター仕切り弁から、高出力電動モーター仕切り弁技術に変えた技術で有り、(175)の高出力水中ポンプ技術を、通常水中ポンプの電気消費を、更に少なくした高出力モータ
ーを使用した世界初の新技術で有り、(2)の世界初のスクリュー水道官と(6)の高出力ダイナモを、水送りエネルギーを、世界初の技術の高出力ダイナモ新技術を、新たに積載
した世界初の技術は、高出力モーターと(6)の高出力ダイナモの世界初の新技術積載の水循環式のわかり易く説明すると燃料電池世界最新技術で有る。
更に、通常使用されている燃料電池発電装置の液体マグネシウム装置の水素と酸素の瞬間発電装置は、熱発生が多い為、無駄な熱エネルギーを、瞬間に磁気電気に変える世界
初の技術として、複数針穴式の圧電素子磁石体パネルの熱電気磁気変換パネル装置と軽水素トリチウム電子入り圧電素子磁石体粒子内蔵シリコン熱吸収発電パネルまたは発電
膜を、圧電素子磁石体パネルと重ねて使用する事で、発電熱を軽水素トリチウム電子と圧電素子とシリコン効果で、磁気電気変換の世界初のパネルを、(2)のスクリュー官に内
蔵したり、(214)の真空装置気化室全体に取り付ける事と(215)の燃料電池発電室の壁全体に取り付ける世界初の技術によって、燃料電池総合発電量を、更にアップさせた世界
初の新技術で有る。
更に、(62)の2連振子型機械式発電機は、通常ダイナモから、(6)の高出力ダイナモ技術に変えた世界初の発電装置で有り、世界初の新技術の発電回路技術が積載内臓された、
おそらく全世界に無い、機械部品だけを、使った連続無休憩ダイナモ発電装置に成る。
そして、最後に、通常のバッテリーの考え方を丸っきり変えた世界初の(178)の組み立て解体可能な、軽水素ニッケル発電回路循環発電全自動充電型の発電バッテリー技術に
よって、電気を、原子力発電に頼らない燃料電池の総合増幅発電装置の燃料電池の簡単な違い説明で有る。
別途追加説明
現在、盛んに燃料電池の水素給油式と天然ガスから水素を取り出す燃料電池発電技術の日本企業と経済産業省以外の墫野和夫の技術説明として、(179)の都市ガスタンクに軽水
素を入れた軽水素都市ガスは、水素入りの都市ガスより、爆発が、少なくて、燃料電池の水素を、取り出した天然ガスタンクに、軽水素を補充して、燃料電池発電技術とした
世界初の技術と都市ガスに、少量の水を入れた燃料電池タンク用の都市ガスに少量の水を入れる技術公開で有る。
【００３２】
従って、図30の公共事業は、本発明の高出力2連結以上モーターの5連結以上モーター図で有る。
本発明は、通常モーターの5連結以上モーターより、電気消費を少なくする為に、新しく超軽量型、高出力モーターとして、モーター構造を、全て変えた外コイル式のモーター
図で有り、モーター外コイルは、世界初の新技術の(170)の銅筒官コイル配線を使って(171)の軽水素トリチウム電子入り圧電素子磁石体配線を、内蔵した電気の通り易い物質
構造のコイル配線は、全世界の超電導配線の考え方と事成る世界初の電気配線で有る。
更に、永久磁石部分の従来構造では、全てが永久磁石磁石で有り、重すぎるのが、まず第一欠点の為、永久磁石力を、そのままの状態で、モーター回転スピードを、上げる為
に、世界初の新技術として、(185)の複数穴空きステンレス超薄板と(186)の軽水素トリチウム電子入り圧電素子磁石体超薄型永久磁石パネルを、交互に重ねあわせて、ポルト
ナット止めした、人工の多層永久磁石体は、超軽量型の磁石体で有る。
【００３３】
従って、図31の公共事業は、本発明のダイナモ装置以外の(187)の発電回路で有るが、過去から現在まで、電気を通しただけで発電出来る装置は、ダイナモ以外最近では、燃料
電池以外、構造上全世界に、無かったのは、テレビマスコミと新聞マスコミには、無かったのが事実で有るのは事実だったと思います。
しかしながら、夢の装置の実現は、二つの発明が、夢を、現実に変える事に成る。
まず、一つ目に、どの様にしたらダイナモ以外に、電気を通しただけで、発電するかは、圧電素子の圧電効果を、使った発電装置ですが、通常は、電子ライター等の磁気圧に
よって、発電する電磁誘導発電が有るが、電気発電量が少ないのが欠点で有る。
その為、簡単説明として、世界初の新技術を使った軽水素トリチウム電子を、圧電素子磁石体に混合合成して、(188)のプラス発電回路にプラス電気の強い電気打撃と(189)の
マイナス発電回路にマイナス電気の強い電気を、流す事で増幅発電する装置の今までに無い発電装置で有る。
【００３４】
従って、図32の公共事業は、本発明のソーラーパネルは、雨降りでも、弱冠の発電可能な、蒸気吸収発電出来る燃料電池パネルを、一部取り付けた夜でも、外気温度が、高い
と発電出来る世界最新式の外気温度でも、発電出来る世界初のソーラーパネルで有る。
その為、簡単な構造は、(207)の軽水素トリチウム電子入り圧電素子粒子内蔵シリコンソーラーパネルのソーラーパネルの世界最新技術と、(206)の液体マグネシウム圧電素子
磁石体内臓軽水素トリチウム入りシリコンソーラーパネルは、雨及び雪及び水分の水蒸気吸収で瞬間発電が、効率良く出来る用に、燃料電池液体マグネシウム発電の熱放出を、
少なくする為に、圧電素子磁石体に、液体マグネシウムを、内蔵させた世界初の燃料電池発電パネルで有り、熱発生エネルギーを、軽水素トリチウム電子入りシリコン発電シ
ートで、雨の多い地域での世界で一番発電量の多いソーラーパネル技術公開の紹介で有る。
【００３５】
従って、図33の公共事業の、熱感知煙センサーの両方を備えた装置は、現在無いはずなのはデジタル体温計は有っても感度が悪い為、外気温度まで計測出来ない為、水銀温度
計構造を、変えた場合、少し装置が大きくなるカラー色ライン位置認識装置に成る構造で有り、世界最新技術の軽水素トリチウム電子入りシリコン又は軽水素トリチウム電子
入り、圧電素子磁石体粒子入り熱吸収発電パネルを使った熱感知センサーは、熱吸収発電率が良い為、本発明の(209)の軽水素トリチウム電子入り圧電素子磁石体内臓シリコン
ダイオード熱感知パネルは、世界最新技術で有り、煙センサーの二酸化炭素感知センサーは、古くから有る様で有るが、煙センサーが鳴ってからでは、余り助かった例は少な
かった様で有る。
更に、世界最新技術の、(214)の自動電池の世界最新技術と(215)の自動充電池の世界最新技術で有り、(216)の2連振子型自動充電池は、発電電池量がかなり多く成り、世界最
新技術の、(213)の循環発電型発電回路内蔵充電池は、発電回路を、複数使用した増幅電気を繰り返して発電量を多くする世界初の(187)の発電回路を、複数取り付けた装置な
ので有る。
しかしながら、更に、煙に巻かれた場合の、出入り口が、暗がりでもわかる用にした(217)の緊急ライト装置で有り、世界最新技術の軽水素トリチウム電子入り発光ダイオード
ライト玉の使用も、有るが値段的に、通常ライト玉装置の方が経費的に安いのも実情で有る。
この他、室内温度の連絡装置として、3段階方式の(211)のブザー音とメロデー音と音声切換え装置によって、部屋の温度の危険の事前連絡出来る装置で有る。
そして、最終装置として、(212)の携帯波連絡装置は、熱煙感知センサーに、超小型ライトカメラによって、部屋の状況が遠く離れた携帯電話でも、確認出来る世界初の形態電
話映像連絡装置で有る。
【００３６】
従って、図34の、公共事業の貧困社会層の寒冷地と積雪地帯の冬場の莫大な暖房費の節約の為に、考えた発酵熱発電装置で有るが、発酵ガスを集めて発酵ガス燃焼装置は、実
際に、大学と国が、試作した家畜農家の施設が、試験用として実際に有るのは言うまでも無い。
但し、発酵堆肥を、袋詰めした装置を、家の周りに積んで暖房設備とした装置も、実際には無いのも現状で有る。
この他、手動仕切り弁と堆肥熱に、循環式の水道官を引いて、家の床暖房にした装置も、実際には、無いが、床を剥がして、発砲スチロール付きの水道官を取り付けるだけな
らば、街から離れた場所の堆肥蓄積場を、家の近くに設けれる場所は、農業などの特権としか言えない何故なら、馬小屋付き農家は、昔から実在していたからで有る。
最新技術の、(218)の発酵合成堆肥熱吸収発電パネル装置は、世界初の技術を、使用積載した最新式パネルで有り、(223)の軽水素トリチウム電子入り圧電素子磁石体粒子内蔵
シリコン熱吸収発電パネル装置は、世界初の堆肥熱吸収発電パネルで有る。
更に、悪臭のしない発酵堆肥として、木材チップ粉材と乾燥竹チップ粉材と乾燥笹チップ粉材とスイトコン茎チップ粉材と乾燥雑草チップ粉材と乾燥牛乳粉材と大豆粉材など
を、混合合成して、(224)の軽水素トリチウム電子入り酸素水を、少し入れて撹拌して、熱を与えて何日か置くと自然発酵より、一週間ほどで速く発酵するが、大豆は腐りが速
い為、今回は、止めておくが牛乳発酵はおそらく余り温度上昇しない為、木材粉材と乾燥竹チップ粉材と乾燥笹チップ粉材とスイトコン茎チップ粉材の混合構成した方が、悪
臭が無く、軽水素トリチウム電子と酸素水を、少し入れて撹拌して、熱を与えて密封すると発酵速度が速まり、本発明の発酵パネルの世界初の技術の燃料電池発電パネル付き
の世界最新技術の(222)の複数針穴空き軽水素トリチウム電子入り圧電素子磁石体粒子シリコンパネル内蔵液体マグネシウム燃料電池ダブル発電パネル装置。
上記の、発酵合成材を、使った暖房装置も、実際に無い状態だから、テレビマスコミ等で不況対策が無いのかで、不況の文字だけが行きかう状態で有る。
【００３７】
従って、図35の、公共事業の農業ハウス暖房設備は、現在、木材まきストーブ暖房と石炭ストーブ暖房とガスストーブ暖房と重油ストーブ暖房と石油ストーブ暖房と余り使わ
れない電気ストーブ暖房設備が有るが、いずれにしても、暖房費のお金が、掛り過ぎて商品の市場価格の経費負けする事も、有る農業ハウス事業で有る。
確かに、図34の合成堆肥暖房は、安く済むが、場所を取り過ぎる為、場所を取らない暖房装置として、(228)の農業ハウス熱送風管と(229)のモーターファン電熱送風管と、世
界初の新技術の(231)の軽水素トリチウム電子入り酸化鉄内蔵銅板パネル内蔵穴空き鋼鉄板装置は、モーターファンを、超スロー回転させて、酸化鉄のモーター回転混合撹拌熱
と軽水素トリチウム電子入りの酸化鉄撹拌熱を、フアンのスロー熱で、送る世界初の電気消費を、少なく抑えた酸化鉄と軽水素トリチウム電子撹拌熱を、利用した世界初の技
術で有り、今後暖房装置に使われる技術の一つと言える。
【００３８】
従って、図36の、公共事業の寒冷地の除雪を、はぶく為の温熱パネル装置で有る。
実際には、寒冷地の積雪地帯の、道路舗装の坂道に、電気熱ニクロム線を、使った舗装の除雪を、はぶく装置が有る。
この他、パネル発電装置のソーラーパネルは、有るが寒冷地積雪地帯には、余り効果を、発揮しないのが現状で有る。
上記の、欠点を克服した、(236)の合成発酵材入り床パネル発電装置は、夏冬通して発電するが、夏場はエアーカーテンが必要になる。
この他、(223)の軽水素トリチウム電子入り圧電素子磁石体粒子内蔵シリコン熱発電パネル装置と(233)の化粧デザインパネル熱発電軽水素トリチウム電子入り発光ダイオード
デザインライトパネル装置は、リモコンスイッチと配線スイッチ型が有る。
更に、燃料電池パネルと合成発酵材を使用積載した(222)の複数穴空き軽水素トリチウム電子入り圧電素子磁石体粒子パネル液体マグネシウム内臓シリコン熱発電装置は、燃料
電池パネル発電の熱が発酵熱を、上回る熱エネルギーの為、外の土間パネル用に成り、世界初の新技術で有る。
この他、著作権上あらゆる発電パネル使用が考えられる。
【００３９】
従って、図37の、公共事業の世界で初めての合成発酵材発電パネルを使った更に、世界で初めての高出力モーターを使った電気自動車になるが、最近は、水素補給式の燃料電
池車が、今だ普及しないのが、水素ガス補充スタンドの高価な設置条件だと言えるのは、日本大手のガソリンスタンドが、今だ水素スタンドとガソリンスタンドの両方を、備
えたガソリンスタンドが、出来ていないのも現状で有る。
更に、電気自動車に乗せる合成発酵材発電パネルは、現在、二種類世界最新技術として墫野和夫が用意したのが有る。
まず、最初に、合成発酵材の熱発電のみの装置として、(223)の軽水素トリチウム電子入り圧電素子磁石体粒子内蔵シリコン熱吸収磁気電子変換パネル装置は、合成発酵材の軽
水素トリチウム電子の合成発酵材撹拌熱の増幅熱の気化物質電子作用を、行える世界で使用された例の無い物質で有り、重水素ジュテリウムのプルトニュームを、取り除く為、
大きい爆発はしなくなるり、軽水素トリチウム自体が電子の気化物質の為、瞬間に磁気変化と磁気電気変化が可能に成り、今までに無い世界初の技術で有る。
もう一つの技術は、おそらくまだ、不明だが、世界特許権のはずの燃料電池の液体マグネシウムと軽水素トリチウム電子入り圧電素子磁石体粒子入りシリコンパネルの二つの
発電パネルを、重ねたダブル発電パネル装置は、合成発酵材パネル熱発電と軽水素トリチウム電子酸素水の合成発酵材熱蒸気の燃料電池の液体マグネシウム発電または固形水
素の軽水素と酸素瞬間吸収発電出来る世界初の装置は、場所を取らないばかりか、燃料電池パネル発電装置は、合成発酵材熱蒸気を、使用する為、現在公開して有る様々な燃
料電池車の発電装置を、更に小型化したばかりか、燃料電池の発電装置を、作る経費が安く済む。、
そして、3年程度は、合成発酵材の交換不要だと、現在、考えた結論に成る。
本発明が、特許庁公開及び国土交通省のネテス公開になってから、国の新エネルギー機関等の、国の機関の反応とマスコミテレビ反応とマスコミ新聞反応の今後の動向が、弱
者庶民全体としては、気になるニュースに成りそうで有る。
【００４０】
従って、図38の、公共事業の世界で初めての、合成発酵材の臭いなどを、外に漏らさない構造の、世界最新技術を使った(13)の高出力電動モーター仕切り弁装置と世界で一番
電気消費の少ない(99)の高出力卍形状インバータ制御モーターを積載した(242)の内部壁軽水素トリチウム電子入り圧電素子磁石体粒子内蔵シリコン熱発電パネルと(222)の世
界最新技術の複数穴空き軽水素トリチウム電子入り圧電素子磁石体粒子パネル液体マグネシウム内臓シリコン熱発電装置などは、連続発電量が、大幅アップに成る燃料電池発
電機の改良型で有る。
【００４１】
従って、図39の、公共事業の発電パネルの構造違いの(236)の合成発酵材入り床発電パネルで有る。
この他、床暖は、石油ストーブ等の湯熱床暖ジュータンが有る。
更に、合成発酵材を、粉にする事で、軽水素トリチウム電子入りの圧電素子磁石体粒子内蔵のシリコン発電シートの薄い発電シートも可能に成り、太陽光発電パネルより、発
電量を、多く望める世界初の技術は、(249)の合成発酵材入り合成軽水素トリチウム電子入りシリコン発電シートは、(247)の多層合成発酵材入りシート重ね発電装置は、超薄
型パネルも、可能に出来る世界初の連続発電パネル装置で有る。
【００４２】
従って、図40の、公共事業の(255)の劣化防止ケーブル配線は、現在のビニールゴムの銅配線カバーと光ファイバー配線のビニールゴムの代わりに、ガラス筒官と石粉粒子入り
ガラス材を、銅線に被せて金属官に、(256)のグラスファイバーを、被せたシールド抗及び地下埋め立てのプラスとマイナスを、別々にした電気熱燃焼防止地下ケーブル配線
で有る。
この他、(253)のアルミニュームジョイントアダプタカバーと(252)の乾燥竹チップ粉入りシリコンクッションシートか、強化ゴムの二重のジョイント水漏れ漏電防止装置に成
り、(250)の差し込み型銅筒官配線構造になる、今までの地下ケーブル配線を変えた世界初の地下ケーブル装置で有る。
この他、(251)の軽水素トリチウム電子入り圧電素子磁石体粒子内蔵銅筒官配線の地下ケーブル装置は、世界初の技術に成る。
【先行技術文献】
【特許文献】
【００４３】
【特許文献１】特願２００９−２７１６６５
【発明の概要】
【発明が解決しようとする課題】
【００４４】
以上に述べた従来の公共事業では、一例を上げてのコンクリートビルでは、50年位しか持たないコンクリート物件に成り、50年経った頃には、直ぐに解体して、新しく作る公
共事業の繰り返しでは、国の借金が増えるだけで、減らす為の、利益の上がる公共事業が、少ないばかりか、利益の上がる公共事業全てが、企業利益にしか成らないのが、現
状の為、今回、日本国の900兆円越えの全額借金返済と都道府県市町村区の全額借金返済の為に、特許提出した理由の一つで有る。
【００４５】
特許提出にあたっては、日本国内の無料の先行技術調査が出来るが、海外の無料の先行技術調査出来る特許法は、無い為、特許提出後の日本国内先行技術調査書が、来てから、
経済産業省大臣に、日本国の全額900兆円越えの全額借金返済と都道府県市町村区の全額借金返済の為に、海外の無料先行技術調査が、出来る用に経済産業省大臣と総理大臣に
嘆願書を、書いて出して、一日も早く日本国の全額900兆円越えの全額借金返済と都道府県市町村区の全額借金返済が出来る用に願う公共事業新技術の発明者の墫野和夫の言い
分で有る。
【００４６】
本発明は、この様な従来の日本国の特許法が有していた不平等で、国民が、まとめて知的所有財産で、国の全額900兆円越えの借金と都道府県市町村区の全額借金をを、支払ず
らくしたお金提出主義の特許法を、国の、経済産業省大臣と総理大臣に、実際に会えない為、嘆願書提出して、現在の900兆円越えの国の全額借金返済方法と都道府県市町村区
の全額借金返済を、弱者国民全員から、税収だけでかたずけるのか文書回答を、戴いて全国民にインターネット特許公報公開によって、個人の知的所有財産で、国の全額借金
返済と都道府県市町村区の全額借金返済が、特許の全額無料提出の上で可能なのか自由民主党時代の内閣府と経済産業省と特許庁は、日本国の全額借金返済と都道府県市町村
区の全額借金返済の為の特許法改正を、何度も拒んで来たのは、特許庁の現在の特許法で明らかで有る。
【００４７】
本発明は、化石燃料の石油及び天然ガス及び石炭及び原子力及びゴミ焼却熱エネルギーなどを、一切使わない循環発電型の無給油全自動の燃料電池発電機技術など、ソーラー
パネルなどは、太陽光発電のみならず、外気熱及び部屋熱発電出来る世界初の技術など、軽水素トリチウム電子と圧電素子磁石体の高出力技術のダイナモ及び高出力モーター
技術と世界初の発電回路積載の2連振子型機械式発電機技術と自動充電池技術など、一度作ると、半永久無給油の発電機と発電池の世界初の技術を、使って、国税納付の電気税
カードと国税納付と都道府県市町村区納付の電池税の取り決めによって、永遠に石油及び石炭及びガス燃焼技術を、一にも早く無くして、京都議定書の二酸化炭素排出規制を、
クリアー出来る事と、世界の経済の電気化を、日本の弱者国民一人一人の財団設立によって、日本の企業と日本の大学が、出来なかった事を、今まで最低保障の人間呼ばわり
されて来た人間が、世界の経済トップの日本の弱者庶民一人一人の財団として、今度は、日本の企業全体と日本の大学全体に、国税等の収める税金を、少なくする事で、恩返
しする事で、全世界の弱者庶民の救済の一歩とする事を目的とした公共事業の新技術公開で成る。
【課題を解決するための手段】
【００４８】
そして、本発明は、上記目的の国の全額900兆円の借金全額返済と都道府県市町村区の全額借金返済を、不可能から可能にする為の、無害無給油全自動半永久連続無休憩発電機
は、国民が、一度手に入れると、日本の国の税収不足と日本の都道府県市町村区の税収不足に成る、お金が一切壊れるまで掛らない全世界に例の無い財産は、使い方次第で国
の経済と地方の経済を、駄目にしてしまう事が、絶対に避ける為、圧電素子磁石体物質を、使った電気税カードと電池税カードを、日本国民全員に、理解して戴く事で、資源を
燃やす時代から、資源を、保護する時代へ日本国民全体が、考え方が変わるだけでなく、国の無料の試作品公開によって、国民全体に理解を、得て行きたい心情で有る。
【００４９】
本発明の、公共事業の第1の課題の、水力ダムの通常ダイナモでは、総合発電量が少ない為、図2の高出力ダイナモを、積載する事とダム本体からの落下水のスピードを上げる
為に、ストレート官から、スクリュー官に変える事と通常ダイナモの中央部分に、世界初の技術の軽水素トリチウム電子入り圧電素子磁石体を、内蔵する事で、ダイナモが発
電した電気打撃で、軽水素トリチウム電子入りの圧電素子磁石体は、軽水素トリチウム電子の圧電素子磁石体の圧電の電気打撃効果で、軽水素トリチウム電子の圧電素子磁石
体の電気打撃効果によって、通常ダイナモ発電量と圧電素子磁石体発電量と軽水素トリチウム電子入り圧電素子磁石体の発電量の三種類の発電量が望める世界初のダイナモ新
技術を、現在有る水力ダムのダイナモ交換するだけで、総合発電量が多くなる事実説明で有る。
従って、スクリュー水官と高出力ダイナモ技術は、他の火力発電所及び原子力発電所の沸騰水タービンの高出力ダイナモ新技術に成る。
この他、電気自動車のダイナモ装置など、発電機などの総合発電量を、上げる事の出来る世界初の装置。
【００５０】
本発明の、公共事業の第2の課題の、水力ダムは、昼間発電した発電残水を、夜間に、ダム本体に大型水中ポンプで実際に戻しているが、干ばつ時等の水不足対策までは、成っ
て無い。
その為、ダム本体の発電する水全てを、瞬間にダム本体に送る今まで世界各地で、行わなかった世界最新技術は、真空装置と電動モーター仕切り弁装置と地下の大型金属内張
り貯水槽を複数作って、順番に地下貯水槽の水を瞬間に気化させて、ダム本体まで、軽い気化物質を、高速フアンによって、ダム本体水中に気化水を、連続して送る世界初の
技術で有る。
但し、一つ言える事は、おそらく世界特許権の液体マグネシウムの特許権使用料の契約が出きれば、地下の大型燃料電池液体マグネシウムパネルの超大型発電も可能に成る。
第2の課題解決手段では、真空装置のベルト切れを無くす為に、ベルトの代わりに複数の歯車を、使用した真空装置と、モーターを、高出力モーター構造の内コイル板の中央部
分全てを、刳り貫いた場所に軽水素トリチウム電子入り圧電素子磁石体を、入れた世界初の技術のモーター内コイル板軽量技術に、二つ目の新技術として、モーターコイルの
構造を、通常の銅線から、銅筒官に変えて、軽水素トリチウム電子入りの圧電素子磁石体粒子を、銅筒官に内蔵した世界初の、電気の通り易い物質で作ったモーターコイル配
線によって、モーターの内コイルの軽量化と電気がコイル配線に通り易くした構造と通常のモーター内コイルは、只の鉄板だが、軽水素トリチウム電子入りの圧電素子磁石体
を内蔵して、銅筒官配線を巻いて電気を通す事で、軽水素トリチウム電子入り圧電素子磁石体のコイル電気発電効果によって、高出力モーターは通常モーターより、更に電気
消費を、少なく出来るモーター成り、高出力真空装置の電気消費を、少なくしたり、高出力電動モーター仕切り弁装置の電気消費を少なくしたり出来る世界初の新技術装置に
よって、今までの公共事業利益を、大幅に上げる事が可能に出来る世界最新技術。
【００５１】
本発明の、公共事業の第3の課題解決手段は、干ばつ時の水不足対策として、確かにフイルターと電熱線を使った海水を、真水に変える技術は存在しているが、一度に大量の真
水を真水に変えるのは、現状では難しい様で有る。
その為、本発明の世界最新技術は、大型貯水槽を、二つ用意して、更に電動モーター仕切り弁装置と大型真空装置とスクリュー官と大型水中ポンプを、使って大型貯水槽室の
空気を、全て真空装置で、抜き取ってしまう事で、大型貯水槽の海水を、瞬間に連続気化させる事で、塩分と水を、瞬間に分ける事によって、瞬間気化した真水は、もう一つ
の大型貯水槽の水中に気化水を入れる為、海水は、塩分と真水に瞬間的に大量の真水を、海水から作る事が出来る世界初のシステムで有る。
本発明の世界最新技術を、真空装置にはベルトとの代わりに複数歯車使用の世界最新技術と、高出力ダイナモの通常モーターのコイル板の内側を刳り貫いた場所に軽水素トリ
チウム電子入り、圧電素子磁石体を入れて、超薄板複数穴空き鋼鉄板を被せて、更に、世界最新技術のコイル配線は、銅筒官配線を、使った軽水素トリチウム電子入り圧電素
子磁石体粒子を、銅筒官配線に、入れた世界初の新技術高出力モーター構造説明で有る。
つまり、水中ポンプも高出力モーターを積載内臓すると電気消費が少なく成り、高出力電動モーター仕切り弁装置も電気消費を少なく出来きて、真空装置も電気消費を、少な
く出来る世界初の高出力モーター新技術説明で有る。
【００５２】
本発明の、公共事業の第4の課題解決手段は、ダムのコンクリート劣化を、遅らせる為の世界最新技術説明で有る。
今までは、コンクリートむき出し技術は、雨風雪と太陽光熱劣化の繰り返しで、コンクリート劣化を、速める為に、対策として、安い価格のグラスファイバーパネルに、固形
窒素材を、入れたパネルを、コンクリートパネルとして、コンクリート打設ごも、永遠に外さないコンクリート型枠の管理工事とした世界初の技術で有り、コンクリートは、
太陽光熱は、固形窒素の冷却効果で守られ、雨風雪はグラスファイバー枠で守られ、コンクリートとグラスファイバー枠の接地面を、真空にする事でコンクリート劣化を、更
に遅らせた世界初の新技術で有る。
従って、道路のふち石の固形窒素入りのグラスファイバー使用技術と、ビルなどのコンクリート剥き出し防止を行う為の固形窒素入りグラスファイバーパネル技術は、あらゆ
るコンクリート製品に対して、コンクリート劣化防止の効果を発揮出来る。
【００５３】
本発明の、公共事業の第5の課題は、線路敷地の有効活用が、出来て無い点で有り、雪の降らないローカル線の線路敷地にソーラーパネルを、設置する事によって、土地代を確
保出来ている為、ソーラーパネルを設置するだけになるが、通常のソーラーパネルだけでは、発電量が少ないのも、公共事業の課題になる。
従って、本発明の、ソーラーパネルは、(38)の軽水素トリチウム電子入り圧電素子磁石粒子内蔵シリコンソーラーパネルは、夏場なら夜の気温の暖かい日は、軽水素トリチウ
ム電子効果によって、シリコンの外気温吸収率が良くなって、発電出来る太陽光と外気熱発電の二つの光発電と熱吸収発電出来るだけでなく、圧電素子磁石体粒子入りの軽水
素トリチウムシリコンは、軽水素トリチウム電子すなわち電子電気を、圧電素子磁気の磁気発電電気を、瞬間にプラスとマイナスに電気の磁気分割によって、電気を分ける事
が出来る世界初の、太陽光ソーラーパネルは、光吸収のみならず熱吸収によって発電する為、暖かい地方の赤道付近では、かなり発電量が望める世界初の太陽光発電と外気温
発電の二通りの発電が出来る世界初のソーラーパネル技術で有る。
現在、2009年は、国を挙げてソーラーパネル発電の個人の家の売電事業に、国が賛同しているが、本発明の軽水素トリチウム電子入り圧電素子磁石体粒子内蔵シリコンソーラ
ーパネルは、世界で一番総合発電量の多いソーラーパネルの世界トップ技術に成るが、今後の経済産業省と内閣府と消費者庁と総務省などの国の機関の世界最新技術の(38)の
軽水素トリチウム電子入り圧電素子磁石体粒子内蔵シリコンソーラーパネルは、今後、総合ソーラーパネル発電量が多い事に、国の施策機関が、気が付いた場合の国の機関の
動向に対して、弱者庶民全体の保護の対処に注目したい。
【００５４】
本発明の、公共事業の第6の課題は、寒冷地豪雪地帯の、新幹線の除雪とリニアーモーターカーの除雪対策で有る。
従って、本発明の寒冷地豪雪地帯の除雪方法は、世界初の技術で有る線路内に雪を入れない対策として、超小型コンプレッサーを、線路の両端に複数設置して、スクリュー官
構造のコンプレッサーエアー官を、隙間なく線路両端に並べてコンプレッサーのエアー放出力によって、線路両端からスクリューエアーが連続して放出される事で、雪が線路
に入り込まない、または雨または氷が、線路内に入らない世界初の複数のコンプレッサーとスクリューエアー官を、使った世界初の雪を、線路内に入れない世界初の技術で有
る。
従って、コンプレッサー構造説明として、ベルト切れの心配を無くす為に、ベルトの代わりに世界初の複数歯車構造のコンプレッサーは、電気消費を抑えた世界初の技術の高
出力モーター構造は、モーター内コイル板の鋼鉄板の中央部分を刳り貫いた場所に軽水素トリチウム電子入り圧電素子磁石体を、内蔵させて超薄鋼鉄複数穴空き板を、被せた
世界初のモーター内コイル構造に対して、もう一つの世界初の技術の銅筒官コイル配線に、世界初の新技術の軽水素トリチウム電子入り圧電素子磁石体粒子を、銅筒官コイル
配線に内蔵させた世界初のモーターコイル配線で有り、モーターコイル配線に、電気の通り易い物質だけで、コイル配線にした技術は、マスコミ公開上無い為、おそらく世界
初と言えるモーター内コイル技術とモーターコイル配線技術で有る。
高出力モーターの呼び名の由縁としての説明。
従って、高出力モーターの内コイル板は、鋼鉄板又は、通常鉄板又は、アルミニューム板の細枠が考えられるモーターコイル板の内枠構造で有り、モーター電気消費を、少な
くする為には、モーター内枠を、超軽量にしなければならない理由と、モーター内コイル板を、軽水素トリチウム入り圧電素子磁石体構造にして、コイルを、巻いて電気を通
す事で、軽水素トリチウム電子の圧電素子のコイル磁気打撃の軽水素トリチウム入り圧電素子磁石体発電が出来る為、電気消費は、更に少なく成り、銅筒官配線の軽水素トリ
チウム電子入り圧電素子磁石体の銅筒官コイル配線は、銅コイルだけの配線より、軽量で有る事と、銅筒官コイル配線が電気を通り易くしている為、電気消費が、少なく成っ
た世界最新技術の高出力モーター技術説明に成る。
【００５５】
本発明の、公共事業の第7の課題は、現在水力発電が間に合わなくて、原子力発電の追加に成り、夏場は火力発電を国が、二酸化炭素排出基準オーバーでも、容認し続ける事に
成り、原子力廃棄物処理が問題視される現状で有る。
従って、夏場の電気確保の為の、公共事業の問題の課題解決策は、夏場の舗装熱を、利用した世界初の発電装置で有る。
構造として、簡単に説明すると世界初の技術として、舗装と採石の間にソーラーパネルを、入れた構造になるが、発電量が少ない為、新しく地熱吸収発電パネルとして、世界
初の技術説明として、ソーラーパネルのシリコンに、圧電素子磁石体粒子を、混合合成して、シリコン吸収熱の電気変換を速める構造にする事と、軽水素トリチウム電子を、
シリコンと圧電素子磁石体に入れた混合物質内に、更に、軽水素トリチウム電子をシリコンと圧電素子磁石体粒子と混合合成する事で、軽水素トリチウム電子は、熱吸収の最
高に良い物質の為、シリコンに混合合成すると、シリコンの熱吸収発電が高まり、圧電素子磁石体磁気粒子効果で、軽水素トリチウム電子入りシリコン発電した電気を、素早
く磁気変換する事で、通常のソーラーパネル以上に発電量を、多くする事が出来る世界初の地熱発電パネルの軽水素トリチウム電子入り圧電素子磁石体粒子内蔵シリコンパネ
ルは、太陽光ソーラーパネルにも、使用出来る使用分野が、広くなる世界初の装置有り、海外事業進出には、最高の技術に成る為、経済産業省などは、どのような判断を、し
て行動するのか、今後の動向に注目する事とする。
【００５６】
本発明の、公共事業の第8の課題は、現在マスコミテレビで、騒がれている沖縄県の飛行場騒音の問題点で有る。
従って、飛行場の騒音を、取り除く為、浅瀬の海を、埋め立てた場合、環境破壊と莫大な金がかかる為、陸地から、5キロメートル程離れた、海上の浅瀬を、埋め立てしないで
飛行機滑走路を、作る事の出来る方法を説明する。
公共事業の課題解決手段として、太い掘削ドリルで、海底を掘る為、筏式の掘削機が必要に成り、浅瀬の海底に鋼鉄杭を、固定する為の海底掘削装置に成るこの段階では、お
そらく日本に有る掘削機械で間に合うはずで有る。
問題は、掘り上げた海底の穴に、穴あき鉄筋入りコンクリート空洞二重筒装置を設置して、空洞部分を、そのままにして、杭の外側を、コンクリトで固定した後に鋼鉄イボ付
き杭を、海底空洞縦穴に設置して、再びコンクリートで、固定する構造に成る。
この場合、海底を埋め立てしないで、部分的に鋼鉄杭が複数海底に立つ事に成るが、鋼鉄杭50センチに成ると、どんな地震でも、耐える事が出来る構造と言える。
次に、アルミニューム厚板または、アルミニューム鉄合金または鉄板に、グラスファイバー加工した板を、海底に複数設置した杭に鋼鉄杭固定装置を、取り付けて厚鉄板など
を、固定する世界に無い海上飛行場に成り、厚鉄板は、鋼鉄ポルトナット止めに成る。
問題は、海上の飛行機から、降りた人間は、海底トンネルと海底エレベータを、使って近くの陸地まで゛移動する事に成り、天気の良い日は、ポート移動でも良いと考えられ
る。
但し、この考え方は、沖縄県住民が、了解した場合、飛行機騒音を、無くす為の公共事業対策で有り、現在テレビマスコミで、言われている海外グアム移転などが、決まれば
必要としない公共事業にも成る。
更に、浅瀬の日本近海の海は、沖縄近辺と鹿児島近辺と長崎近辺などが、有るが今後住民との話し合いに、於いて、埋め立てをしない海上飛行場の滑走路下の24時間ライト点
滅と海産物の毎年の無料稚魚放流と稚貝の放流などで、海産物の保護は、出来るが、今後の国の対応を、注意深く見て行かなければ成らない。
【００５７】
本発明の、公共事業の第9の課題は、河川の増水の処理に対して、東京都の神田川の地下放水路は、お金が掛り過ぎる為、新しい河川の増水を少なく出来る世界で、例の無い公
共事業の工法に付いて説明する。
従って、公共事業の課題解決策は、河川の増水した水を、複数の河川サイドに、全自動モーター水門を、用意して、地下シールド貯水槽か、地下大型貯水槽を、設けなければ
成らないのが第1条件で有り、地下大型シールド官は、エアー漏れが有ればダメな為、一度シールド官を、入れた後、シールド官の内側に、ビニール管をエアー漏れ防止の為に
取りつける対策が必要で有る。
この他、大型地下貯水槽に対しても、エアー漏れが、有っては、絶対に困る事に成る。
次に、世界初の技術の高出力モーターの構造は、公共事業課題6で説明した、高出力モーターを積載した電動モーター仕切り弁を、地下大型シールド官か地下大型貯水槽の河川
増水取り入れ口と河川増水の瞬間気化水放出スクリュー官口の2箇所に取り付ける構造に成る。
その上で、大型シールド官又は、大型地下貯水槽のエアーを、全て高速真空装置で抜き取る事によって、地下大型シールド官の河川増水の水は、真空作用によって瞬間に気化
して、地下大型シールド官の気化水放出の為のスクリュー官を通じて、空中に気化水放出される為、場合によっては、ダム本体に気化水を、戻したり、遠く離れた風どまりの
無い海岸近くまで、河川の増水した気化水を放出出来る為、気化水放出の為のスクリューエアー官を、取り合えず伸ばさないで、工事を行った場合、工事費は東京都の神田川
河川増水の放水路事業より、工事費が安く済む事に成る。
その為、メリットとしては、この装置を使って、大型の燃料電池発電施設が、安い工事費で、作れる為、電気の心配も無くなる。
更に、干ばつなどの、地下貯水設備として、使用出来る為、今後の国の、経済産業省と国土交通省と総務省と農林水産省と内閣府などの対応と行動に弱者庶民全体の注目なマ
スコミ全体のニュースに成るのは、果たして今まで国の900兆円越えの全額借金返済出来ないままの2009年まで、一般庶民を、テレビ局などに入れるのを、拒み続けて来たマス
コミテレビの動向に注目したい。
【００５８】
本発明の、公共事業の第10の課題は、一般家庭の水道水量の減らし方と干ばつ時の水不足に対応した家庭の台所流し水の瞬間濾過装置と家庭の風呂水の瞬間濾過装置によって、
現在2009年でも、少ない一般家庭の雨水貯水タンクなどの、一般家庭用の地下貯水タンクと一般家庭の台所流し水と、風呂の流し水の瞬間濾過装置説明を干ばつ時の水不足対
策と、水道料を、少なくする為の対策で有る。
まず、最初に家庭の台所流し水と風呂の流し水の瞬間濾過装置とし、地下に電動モーター仕切り弁を取り付けた貯水槽を設置して、真空装置によって、地下の貯水槽に台所流
し水と風呂のの流し水を、水位センサーが、満水を示すか、一回一回手動スイッチを入れて、真空装置を作動させて、地下貯水槽のエアーを、瞬時に連続して抜き取る事で、
地下貯水槽の台所流し水と、風呂の流し水を、瞬間気化させる事が出来ると同時に、地下にもう一つの少し大きめの地下貯水タンク槽を用意して、地下大型貯水槽の水中に、
瞬間気化した、一般家庭の流し水と一般家庭の風呂流し水の瞬間濾過の気化水を、貯水出来る世界初の家庭排水の流し水と風呂の流し水の瞬間濾過した水の貯水方法と瞬間ろ
過する説明で有る。
この場合、世界初の技術として、真空装置のベルトの代わりに、複数の歯車使用積載によって、ベルト切れ事故を、防いでいる構造と通常モーターより、電気消費の少ない高
出力モーターを、真空装置に積載した世界初の技術と圧電素子4電子磁気分割装置の電気中の電気熱抵抗電気を、取り除く世界初の装置を取り付けた経済性を考えた世界初の一
般家庭用に考えた装置で有る。
この他、寒冷地用として、合成発酵材の木材チップ粉と竹チップ粉材とレントコーンチップ粉材と稲ワラチップ粉材と軽水素トリチウム電子入り酸素水を、少量入れて混合撹
拌した物質を、パネルに密封した発酵パネルを、地下水槽に取り付ける事で、冬場の電熱費を、安く済ませる事が出来る。
夏場は、反対に固形窒素内蔵のグラスファイバーパネルを、地下水槽に入れる事で冷えた水が使用出来る利点が有る。
この生活排水処理装置によって、一般家庭の流し水と風呂流し水の濾過処理が、半永久的に可能に成り、地下の水位センサーによって、雨水補給と水道水補給が出来る世界で
例の無い、家庭の生活排水の完全濾過装置と、循環濾過水の説明になるが、此の事は、現在日本国の、経済産業省などでは、ダムの新設などで、対応しているが、公共事業費
が、全国の土木事業者全体の仕事に成らない為、不景気対策には成らないが、本発明の家庭排水の瞬間濾過装置は、水不足対策と、工事費も、超小型真空装置と地下貯水タン
ク二つと電動仕切り弁と工事費に成り、大量生産による海外企業含めての商品の安い商品によって、設置費用含めて、50万円以下にしたいが、実際に国の補助が受けた場合、
ダムを作るか、一般家庭の生活排水の台所流し水と風呂流し水の瞬間濾過装置の、今後の経済産業省などの、判断と経済産業省の全国の国民に対しての、マスコミテレビ公開
回答の動向の行き末を、確認して行きたい。
【００５９】
本発明の、公共事業の第11の課題は、公共事業で、古い下水道管の交換及び古いガス官の交換及び古いケーブル官の交換に、基ずく埋設管の公共事業事故を、無くして、スム
ーズムに、公共事業作業を進める為の、対策と課題解決案で有る。
従って、マンホール無いに、半分上が魚眼レンズと半分下が、とつレンズの合わせレンズ一つ削りの世界初のカメラレンズを、使用積載して、世界初の技術の軽水素トリチウ
ム電子入り発光ダイオードライト装置は、軽水素トリチウムを、ダイオードに入れる事で、ダイオードが、軽水素トリチウム電子をダイオートに入れると同時に、発光する時
に使用する電気量が減る理由として、軽水素トリチウム自体が、電子と言う電気に換算される為、ダイオート中に電気が、混合内臓された発光ダイオードライト玉に成り、世
界初の新技術に成り、衛生位置確認の送受信装置と超小型圧電素子磁気地図カードとガス濃度確認認識連絡装置と衛星波送受信アンテナ装置とマンホールの蓋の外面には、ク
リスタルガラスカバー製の世界初の技術の軽水素トリチウム電子入り圧電素子磁石体粒子内蔵のシリコンソーラーパネルを積載した、マンホール蓋鍵付きの世界初の装置で有
る。
【００６０】
本発明の、公共事業の第12の課題は、公共事業のプラスチック材が、今後不足になった場合の対策案で有る。
今後、コンクリート劣化防止の対策装置の固形窒素入りグラスファイバー装置のプラスチックビニール不足が、目に見えて明らかな為、混合ゴミの電熱線または、高温温風に
よって、プラスチック回収対策とした、公共事業の混合ゴミのプラスチック回収技術説明で有る。
この場合、電熱線は世界最新技術のテングステン金属をニクロム線筒に入れた構造の世界初のニクロム線構造に成り、金属網目板を、通してプラスチック材が、回収される構
造に成って入る。
【００６１】
本発明の、公共事業の第13の課題は、公共事業の電力不足の対策として、全世界のビル街のガラス窓の、太陽光熱発電とビル室内暖房熱発電出来る世界初の技術説明を始める。
従って、世界新技術の太陽光熱吸収発電ガラス構造は、軽水素トリチウム電子入りシリコン網入り二枚合わせガラスは、二枚合わせガラス内部に、軽水素トリチウム電子入り
シリコン網を入れる二枚合わせガラスは、太陽光を、網目状に室内取り入れる構造に成る為、夏は、冷房費節約に成り、冬は、部屋の内側の暖房熱発電が可能に成る世界初の
熱吸収ガラス発電装置で有る。
更に、ガラス発電装置の総合発電量を、上げる対策技術として、軽水素トリチウム電子入りのシリコンに、圧電素子磁石体粒子を、混合合成する事で、軽水素トリチウム電子
入りのシリコン発電の太陽光吸収率を高める事と、軽水素トリチウム電子が、吸収した熱電子エネルギーを、素早く磁気変換させて、電気に変えるシステムで有り、ガラス一
枚一枚に発電電気の取り入れ電気配線の取り付いた世界初の発電ガラス説明に成る。
【００６２】
本発明の、公共事業の第14の課題は、阪神大震災など、海外の大きい地震によって、崩壊するコンクリートビルの地震対策鉄筋構造説明に成る。
通常の鉄筋は、曲り安い為、自分で加工して、使用出来る為、安い価格で使用出きるのが特徴で有るが、強い地震には、不向きなのは、鉄筋自体が曲がるからで有る。
従って、本発明では、通常鉄筋より、硬い鋼鉄鉄筋の新しい鉄筋デザインに成り、鋼鉄四角形波形状鉄構造に成り、結束線滑り止め装置として、滑り止め砂鉄吹き付け構造鉄
筋に成り、錆び止め対策として、グラスファイバー溶液を、薄く塗った鋼鉄鉄筋構造は、鋼鉄鉄筋を、繋げる場合は、鋼鉄四角形波形状繋ぎ装置は、鋼鉄鉄筋同志を、鋼鉄鉄
カバー装置で繋げてから鋼鉄あて鉄筋をしてから、溶接する手段を講じた今までに無い鉄筋の溶接方法で有る。
従って、鋼鉄鉄筋の曲り部分の鉄筋は、注文だけに成り、一切生の鉄の鉄筋を使わないのが、本発明の鋼鉄鉄筋のビルの趣旨になるが、鋼鉄鉄筋は、通常鉄筋より高く付く為、
使用する業者が、少なくなるのは、言うまでも無いが、高層ビルに使われると、100年以上、壊さなくても良いビルが、出来るのも夢で無い。
【００６３】
本発明の、公共事業の第15の課題は、2009年度に再び新型インフルエンザの流行が全世界で困る事態を、作りえた対策案として室内の空気清浄機の構造を説明する。
通常の空気清浄機の場合、フイルターの空気清浄機が、長年使われて来たが、フイルターの目ずまりによって、電気消費が多くなる欠点が有った。
しかしながら、空気清浄の本発明は、室内及び外気を取り入れる際、通常の空気取り入れ官を、ストレート官にした場合、空気フイルター変わりの水又は、軽水素トリチウム
電子入り酸素水に、直接ストレート官を、使った場合、ホコボコと言う水の音が騒音に成る為、世界初の技術のスクリュー官を使う事で、水中にエアーを取り込んだ時の騒音
を、少し減らす事が出来る事と、フイルター目ずまりによる電気消費が多くなるのは、防ぐ事が出来る世界初の技術で有る。
この他、電源には、家庭電源を、使用しない世界初の技術の2連振子型機械式発電機を使用積載した空気清浄機。
もう一つの、電源として、世界初の技術として、循環発電バッテリーは、複数の発電回路装置のプラス発電回路とマイナス発電回路から、構成されている圧電素子磁石体の圧
電効果を、応用した強い電気を圧電素子磁石体のプラス発電回路のプラス圧電素子磁石体には、強いプラス電気を流して、圧電素子磁石体には予め世界初の新技術として、軽
水素トリチウム電子入り圧電素子磁石体構造とした装置の、圧電素子磁石体のプラス発電回路の中間部分に増幅発電した電気を、取り込む超小型銅板装置を、内蔵したプラス
発電回路とマイナス発電回路で有り、強いプラス電気を、プラス発電回路のプラス磁気に流した場合、軽水素トリチウム電子の圧電効果によって、プラス磁気電子電気の増幅
電子電気を、プラス発電回路のプラス発電回路増幅電気取り出し配線から、増幅電気が取りだす事が、可能に成り複数のプラス発電回路に順番に電気を流す事で、増幅発電が、
可能に成る世界初の装置で有り、マイナス発電回路も、プラス発電回路と同じ手順の構造に成る。
従って、全世界でおそらく初めてとなる発電回路付きバッテリーは、発電回路が発電した電気を、無駄無く全て充電出来る理由として、世界初の技術の圧電素子4電子磁気分割
装置を、バッテリーの発電回路に積載する事で、発電回路が、軽水素トリチウム電子圧電素子磁石体の電気打撃発電効果の発電した電気中の電気熱抵抗電気を、全て取り除い
たプラス発電回路電気とマイナス発電回路電気は、バッテリーに無駄無く急速充電可能に成り、世界で初めて、バッテリー寿命が、来るまで充電のいらない世界初のバッテリ
ーの循環発電バッテリー装置で有る。
本発明の空気清浄機の世界初の新技術の構造として、ニクロム線を一切使わない熱風モーターファン装置説明で有る。
世界最新技術の、送風フアンの羽根の内部に、酸化鉄と軽水素トリチウム電子を混合合成した世界初の電熱線を使わないで、モーターファンを、ゆっくり回転させて、酸化鉄
撹拌熱と、軽水素トリチウム電子の熱吸収エネルギーによって、モーターファンの羽根の銅板に、熱エネルギーが、伝わってゆっくりしたモーター回転によって、世界で初め
て熱風を、送る事の出来る世界初のニクロム線を使わない温風装置で有る。
従って、冬場の温風空気清浄機は、今までの用に電気消費が、多く成らない温風装置に成る。
【００６４】
本発明の、公共事業の第16の課題は、特許庁主張と本田技研の主張するＤＣブラシレスインバータ制御モーターの総合電気消費より、少ない世界初の構造の卍形状インバータ
制御モーターの構造説明を始める。
今までの、ＤＣブラシレスインバータ制御モーターは、世界で一番電気消費が少ないモーターで有ったが、高出力ＤＣブラシレスモーターは、通常電磁石または圧電素子電磁
石とは、構造が異成る世界初の軽水素トリチウム電子入りの圧電素子磁石体に、世界初の新技術の銅筒官コイルは、銅筒官コイル形状に軽水素トリチウム電子入り圧電素子磁
石体粒子を銅筒官に入れた世界初のモーターコイル配線を積載したＤＣでブラシレスインバータ制御レールモーターで有り、更に、電気消費の少なくした卍形状インバータ
制御モーターの構造説明を始める。
高出力卍形状インバータ制御モーターの場合、高出力ＤＣブラシレスレールモーターの場合、少なくても、インバータ制御装置が、16から32が必要に成り、高出力卍形状イン
バータ制御モーターの場合は、二つのインバータ制御装置で、8本の卍形状モーター内コイルの一部分永久磁石の8本の永久磁石を、取り付けた複数穴空き内コイル板は、永久
磁石以外は、通常モーターは全て鉄金属に成るが、本発明の卍形状インバータ制御モーターの場合は、Ｌ型部分の一部分だけが永久磁石の為、圧電素子磁石体を、使った高出
力ＤＣブラシレスインバータ制御モーターとは、モーター軸側全体の総重量が軽くなる為、電気消費は更に少なく成る。
更に、高出力卍形状インバータ制御の電磁石は、超薄型複数穴空き鋼鉄電磁石と超薄型軽水素トリチウム電子入り圧電素子磁石体を、交互に重ね合わせた人工の永久磁石に世
界初の技術の銅筒官に、世界初の技術の軽水素トリチウム電子入り圧電素子磁石体粒子を内蔵した世界初の合成重ね合わせ電磁石を、二つにする事で、モーター電気消費を更
に少なくした今までに無いモーターデザイン形状と高出力電磁石を、積載した世界初の高出力卍形状インバータ制御モーターの構造説明で有る。
【００６５】
本発明の、公共事業の第17の課題解決手段は、一般家庭に全て取り付けられている換気栓の換気栓フイルターの説明に成る。
実際に、2009年は、新型インフルエンザ対策としては、不十分な換気栓は、金属ベルト式のナット止め方式の3重フイルターの十字網入りガーゼ布は、木材チップ粉材と稲ワラ
チップ粉材と雑草チップ粉材と竹チップ粉材などを、合成撹拌したフイルターを、3重構造にしたフイルター換気栓後ずけ装置で有る。
しからば、最新式の換気栓は、世界最新技術の高出力モーターの電動モーター仕切り弁構造の装置を、取り付けた世界初の卍形状インバータ制御モーターを、主体とした換気
栓モーターに、2枚の網目金網の間にフイルターを入れる方式の換気栓に成り、寒い場合は換気栓の出入り口を、高出力電動モーター仕切り弁装置によって、完全にふさぐ構造
が、省エネルギー対策の観点から望ましい換気栓の構造に成る。
【００６６】
本発明の、公共事業の第18の課題解決手段は、一般家庭の風呂の世界初の湯熱風暖房と世界初の湯熱発電装置の説明を始める。
2009年の近年では、風呂を沸かすガスから水素を取り出して外気酸素と発電させる技術は、東京ガスの特許だから、テレビ公開して、販売している燃料電池技術の液体マグネ
シウムまたは、燃料電池技術の固形水素のまだ誰とはわかって無い特許権使用料を、払っての技術だが、実際に存在するが、湯熱発電と風呂の熱風を室内に官を這わせて温風
を、送る技術は実際に無い。
従って、本発明は家庭風呂を沸かすのに、お金がかかり過ぎる為、風呂の湯熱水蒸気を、吸収発電出来る世界初の技術として、風呂壁の液体マグネシウム内蔵軽水素トリチウ
ム電子入り圧電素子磁石体複数針穴空き燃料電池風呂壁発電パネルは、圧電素子磁石体のプラス磁気電気取り込み配線とマイナス磁気電気取り込み配線の取り付いた風呂壁燃
料電池発電パネル構造の世界初の技術に成る。
理由として、通常燃料電池パネルは、余分な熱を、放出するが本発明の風呂壁燃料電池発電パネルは、圧電素子磁石体パネルに液体マグネシウムまたは固形水素を、内蔵させ
る構造によって、瞬間に磁気電気変換出来る為、余り燃料電池発電機の余分な熱は、発生させない事に成る。
更に、圧電素子内蔵の液体マグネシウムまたは固形水素内蔵の燃料電池発電パネルに熱吸収発電パネルの軽水素トリチウム電子入りの圧電素子磁石体粒子内蔵のシリコンシー
トを、世界で初めて燃料電池発電パネルに重ねて使用する事で、燃料電池が発電時発生させる電気発電の水素と酸素の化学反応熱エネルギーを、軽水素トリチウム電子入りシ
リコンが、熱吸収して、圧電素子磁石粒子によって、瞬間に熱電子磁気電気変換を、可能にした技術によって、今まで不可能だった燃料電池の熱エネルギーを、電気変換させ
る事を可能にした世界初の技術。
上記説明しただけでは、各部屋の風呂の湯熱風暖房装置の説明に成らない為、説明を始める。
各部屋に、湯熱風を、送る官は、軽水素トリチウム電子入り圧電素子磁石体粒子入りシリコン製のスクリュー官は、熱吸収し易い軽水素トリチウム電子効果によって、浴槽と
浴槽壁の間に湯熱風が受けやすい構造とした世界初の湯熱風スクリュー官で有り、予め湯熱送風スクリュー官の内部の空気を、全て取り除いた官に、軽水素トリチウム電子を、
少量だけ入れる世界初の新技術によって、湯熱スクリュー官の内部の軽水素トリチウムが、熱吸収して、備えつけの高出力卍形状インバータ制御モーターによって、熱送風が
行われ、超小型高出力ダイナモは、水車型圧電素子磁石体粒子入りのプロペラ付きに成る構造に成って入る。
この場合、まだ未確認だが、スピード軽水素の付いた熱エネルギー軽水素を、圧電素子磁石体に高速で、当てた場合、圧電素子磁石体は、おそらく増幅発電する計算になるが、
試作品を、無料で国と作れる時代が来た時証明される事実とエネルギーの事実を、信じて見たい墫野和夫書成り。
この他、液体軽水素トリチウム電子入り圧電素子磁石体粒子内蔵風呂湯熱風貯蔵装置によって、各部屋に風呂の軽水素温風熱を、手動仕切り弁操作によって、送れる事が出来
る。
【００６７】
本発明の、公共事業の第18の課題解決手段は、一般家庭の電子レンジの電気消費と電気釜と電気ポットなどの、電気消費を少なくする対策世界最新技術を説明する。
今までの、2009年までの、電子レンジは電気消費が大きい為、貧困弱者層では、国民年金の二つき7万の生活費では、大変な電気消費で有った。
その為、電気消費を、改善する為に燃料電池パネルの世界最新技術の液体マグネシウム内臓軽水素トリチウム電子入り圧電素子磁石体粒子入りシリコンダブル発電パネルを、
電子レンジの加熱蒸気の燃料電池パネル発電を、目的にした装置で有り、湯沸かし器及び料理器具の蓋など、蒸気燃料電池発電出来る発電パネルを、電子レンジの蒸気取り入
れ口に燃料電池パネル発電室を、設けた電子レンジ及び湯沸かし器及び電気ポット及び調理鍋の蓋に、燃料電池発電パネルを取り付けた構造に成る。
その為、電子レンジに関しては電子レンジの室内に、世界初の新技術の燃料電池パネルの液体マグネシウム内蔵の軽水素トリチウム電子入り圧電素子磁石体粒子入りシリコン
ダブル発電パネルを、ポルト止めで止める方法または、新作の電子レンジは、蒸気を、外に取り入れて燃料電池パネルの蒸気発電させて、発電後の処理タンク水を、設けた世
界初の装置に成る。
電気ポットなどは、電気ポットの上部部に蒸気で、発電出来る燃料電池パネルと発電後の処理水を、貯蓄する貯蓄タンクが必要に成る。
この他、鍋の蓋の大きさを、手動で変える事の出来る鍋蓋は、蓋のサッシを、何か所かで伸ばしたり縮めたり出来る装置に、燃料電池発電パネルの液体マグネシウム内臓軽水
素トリチウム電子入り圧電素子磁石体粒子入りシリコンダブル発電パネルを、鍋の蓋に内蔵して、圧電素子磁石体のプラス磁気にプラス電気取り出し配線と圧電素子磁石体の
マイナス磁極にマイナス電気取り出し配線を取り付けた世界初の料理器具の蒸気で、発電出来る世界初の装置で有る。
従って、世界最新技術の燃料電池パネル説明は、他人の無名の燃料電池発電装置の液体マグネシウムの特許権使用料金を払って作る世界最新式の燃料電池パネルは、液体マグ
ネシウムを軽水素トリチウム電子入り圧電素子磁石体で、液体マグネシウムを、全体を包み込んで複数針穴を、軽水素トリチウム電子入り圧電素子磁石体に空ける事で、蒸気
の吸収取り込みを、良くしただけでなく、最大の理由は液体マグネシウムに瞬間吸収された、酸素蒸気と水素蒸気が、液体マグネシウムに瞬間吸収発電した時、電気熱が発生
するのだが、全ての電気が、電気変換されないのが、今までの液体マグネシウムに電極棒だけ付けた発電装置では、電気が無駄な熱放出に成る為、本発明の軽水素トリチウム
電子入り圧電素子磁石体パネルで、囲んだ液体マグネシウムの水素と酸素の発電した電気は、圧電素子磁石体のチタン酸バリュームと混合合成成っている軽水素トリチウム電
子は、圧電素子磁石体によって、磁気電子化している為、酸素と水素の発電した電気は、磁気化した軽水素トリチウム電子のプラス磁気とマイナス磁気に、瞬時に分けて備え
付けの電気配線に発電した電気が流れる構造で有る。
二つ目の技術が、シリコン膜シートに圧電素子磁石体粒子と軽水素トリチウム電子を、混合合成させた世界初の熱吸収発電パネルまたはシートを、燃料電池発電パネルの、軽
水素トリチウム電子入り、圧電素子磁石体の液体マグネシウム発電パネルに、貼るか、包み込むか、合わせパネル状にする対策を講じる。
問題の、圧電素子磁石体粒子に軽水素トリチウム電子混合合成のシリコンパネルまたはシートは、なぜ熱吸収発電出来るかの説明をしときます。
軽水素トリチウム電子とシリコンを、合成した場合、シリコンは、発電を少しだけ行う物質に、軽水素トリチウム電子を、混合合成すると、シリコンの発電に伴って軽水素が、
陽イオンと陰イオン化すると同時に、熱を陽イオンと陰イオンに分けて、軽水素トリチウム電子が熱吸収シリコン熱電気吸収するのが第一で有る。
従って、軽水素トリチウム電子と圧電素子磁気のチタン酸バリュームと混合合成された軽水素トリチウム電子は、圧電素子磁気のプラス磁気軽水素トリチウム電子と圧電素子
磁気のマイナス磁気軽水素トリチウム電子に成る事に成る。
従って、燃料電池パネルの軽水素トリチウム電子入り圧電素子磁石体パネル内蔵の液体マグネシウムの燃料電池パネル発電によって、発生した熱エネルギーを、もう一つの熱
吸収発電シートまたはパネルの軽水素トリチウム電子入り、圧電素子磁石体粒子混合合成シリコンの熱吸収発電シートは、軽水素トリチウム電子の圧電素子磁石体粒子の磁気
効果によって、プラス磁気とマイナス磁気を形成して、シリコンに軽水素トリチウム電子を、混合する事で、シリコンの熱吸収の補助的役割が、軽水素トリチウム電子で有り、
シリコン合成によって、軽水素トリチウム電子のプラスイオンと軽水素トリチウム電子のマイナスイオンに別れて、熱吸収発電されたエネルギーは、軽水素トリチウム電子磁
気分割を、瞬時に行って、燃料電池発電パネルの電気熱を、再び電気に変える事の出来る世界で初めての燃料電池発電と燃料電池発電時に発生する熱エネルギーを瞬間吸収し
て、発電出来る世界初のダブル発電燃料電池発電パネルに成る。
本発明が、インターネット特許公報の早期公開に、成った場合、経済産業省及び国土交通省及び総務省などは、実際に燃料電池発電パネルの世界最新技術として、誰よりも一
番早く読む事を、なされるのが官庁の仕事だと考えますが、燃料電池の酸素と水素の発電を、無駄無く電気エネルギーに瞬時に変えて、発生した熱エネルギーを、再び電気エ
ネルギーに変える世界初の技術は、今後の日本国の全額900兆円越えの借金全額返済と都道府県市町村区の全額借金返済に対して、絶対に必要な世界初の財産に成り、国の経済
産業省と国土交通省と総務省と内閣府の今後の対応の動向とマスコミの今後の行動に、弱者庶民の関心は、必然的に集まる事に成る。
【００６８】
本発明の、公共事業の第19の課題解決手段は、現在全て燃やして処理している生ゴミの再利用の方法の説明に成る。
現在、2009年までの、都道府県市町村区では、大半が生ゴミ全てを燃やして処理している。
従って、生ゴミを、世界最新の技術によって、瞬時に瞬間乾燥させて、撹拌させて粉状に刻んだ物資を、4トン電気トラックなどで回収しながら、乾燥生ゴミ肥料と飼料の作り
かた説明に入る。
今まで、家庭用として、電熱式の生ゴミ乾燥器が、実際に販売されているが、電気代と乾燥生ゴミ処理に、お金が掛り過ぎる欠点がある為、新しく別の生ゴミ乾燥撹拌粉砕装
置として説明する。
その為、4トントラックは、世界初の無害無給油全自動循環連続の燃料電池水発電機の発電した電気で、作動する電気トラックの4トンの小型4トン形式とする。
更に、4トントラックは、高出力モーターを使用した電気トラックとする。高出力モーター構造は、上記で説明済みで有る。
更に、圧電素子4電子磁気分割装置によって、電気中の電気抵抗熱電気を、取り除く装置によって、電気消費を更に少なくした電気システム。上記で説明済み。
この他、一般生ゴミは、家庭それぞれに、回って回収する方法などを、視野にして4トン小型トラックに、世界初の技術の高出力電動モーター仕切り弁を、積載した生ゴミ搬入
口から、家庭の生ゴミのみを、回収する事に成る。
回収した生ゴミは、世界最新技術を使った高出力モーターを、積載内臓した高速真空装置を、使って生ゴミの瞬間気化させて、モーター撹拌によって、乾燥した生ゴミの粉材
を、作る事を可能にした世界初の別の生ゴミを、短い時間で乾燥した粉に出来る装置で有る。
本発明の、生ゴミ回収瞬間乾燥粉装置は、タイヤ入りホイルチュープレスタイヤは、ホイルと細タイヤが、一体になった措置にタイヤを、被せた世界初のタイヤ構造で有る。
この他、真空装置を使う為、真空装置は、ベルト切れの恐れが有る為、全て複数歯車を使用した真空装置で有る。
その他、真空装置のエアーフイルターは、通常1枚フリルターを、3枚使用した3連フイルターを使用した構造で有る。
更に、臭いが漏れないように、水タンクの水中に、真空装置のエアー放出口を、スクリュー官にして、水タンクに生ゴミの悪臭を、閉じ込める事の出来る世界初の水フイルタ
ーで有る。
本発明の、生ゴミ回収車は、生ゴミ乾燥粉肥料事業と生ゴミ乾燥飼料事業の二つを、兼ね備えた生ゴミ回収車で有り、現在都道府県市町村区が、利益を上げる生ゴミ回収事業
を、成功させる為には、先行技術調査書などを、確認して考えて行きたい墫野和夫で有る。
しかしながら、経済産業省なども、都道府県市町村区の利益アップの為、海外の無料先行技術調査の無料公開請求に、おそらく応じると考えてます。
【００６９】
本発明の、公共事業の第20の課題解決手段は、寒冷豪雪地帯の除雪運搬費を、ゼロにする世界最新技術の除雪車の構造を説明する。
従って、通常の除雪車は、ダンプカーに雪を、積み込むのが特徴になるが、本発明の世界最新技術の除雪車は、雪かき込機で、除雪車本体に雪をかき込んで、世界初の技術の
高出力電動モーター仕切り弁装置によって、かき込んだ雪を密封して、世界最新技術の高出力モーター仕切り弁装置内蔵の真空装置によって、雪を瞬間に気化させて空気中に
放出する除雪車は、世界中に無かったのは、マスコミテレビを、見る限り世界最新技術の除雪車の除雪手段に成る。
尚、本発明の除雪車は、半永久無給油連続作動燃料電池発電装置を、積載している為、今後、経済産業省などが、無料の施策実験を、しない限り、日本国の全額借金返済の道
は、遠のく為、経済産業省には、海外特許技術の情報公開請求書によって、寒冷豪雪地帯の除雪費削減の為の世界最新技術の確認と無料の海外特許提出制度によって、都道府
県市町村区の全額借金返済の道筋を、国に求めて行く考えで有る。
この他、本発明の除雪車装置は、ＧＰＳ衛星アンテナ装置による地図位置による除雪車位置の確認出来るＧＰＳの世界初の技術で有る。
高出力電動仕切り弁装置の世界最新式モーターは、高出力卍形状インバータ制御モーターで有る。高出力卍形状インバータ制御モーターは、他の課題解決手段で説明したので
重複する為、重複して説明しない事とする。
【００７０】
本発明の、公共事業の第21の課題解決手段は、でん粉カスと鶏糞と魚カスの混合撹拌乾燥堆肥を、作る為の装置説明で有る。
これら、でん粉カスと鶏糞と魚カスの混合乾燥撹拌堆肥を作る施設だが、現在まで稼働している施設は、奥深い山奥で、時間とお金を、掛けて別々に乾燥鶏糞堆肥及び乾燥魚
カス堆肥など、乾燥でん粉カス飼料などが、有るが臭いを、発生するのが、困りの元だった。
その為、本発明では、世界初の新技術の高出力モーターと撹拌装置と世界初の技術の高出力モーターを使った電動モーター仕切り弁装置と世界最新技術の高出力モーターを、
積載した高速真空装置によって、でん粉カスと鶏糞と魚カスを、混合撹拌して、瞬間乾燥出来る世界初の混合合成肥料の作成の仕方説明で有る。
従って、合成肥料を作る場合、真空装置で瞬間乾燥させた、悪臭ガスの処理説明を始める。
通常、悪臭気化ガスは、燃焼方法が、考えられるが京都議定書の2酸化炭素排出基準が有る為、悪臭ガスの燃焼方法は、止めにして、次成る手段として、合成発酵材のガスによ
って、発酵ガス触媒無臭化処理にょって、でん粉カスの臭いと鶏糞の臭いと魚カスの臭いを、分解して消す世界初の技術で有る。
この場合、合成混合発酵物質に、廃材木材チップ粉材と竹チップ粉材と笹チップ粉材と麦ワラチップ粉材と稲ワラチップ粉材と雑草チップ粉材とレントコーンチップ粉材の混
合合成発酵材は、軽水素トリチウムガスを、入れて密封して、少し温度を与えて寝かすと発酵しますので、発酵しだしたら、悪臭ガスを、入れて悪臭ガスを、発酵ガス分解さ
せて、処理させる世界初の技術で有る。
この装置には
、世界初のスクリュー官を、高速真空装置の排出口に付けた構造と発酵室全体の壁は、発光熱軽水素トリチウム電子入り圧電素子磁石体粒子内蔵シリコン発電パ
ネル装置と世界初の技術の液体マグネシウム内臓軽水素トリチウム電子入り圧電素子磁石体粒子入りシリコンダブル発電パネルなどが積載予定に成る。
従って、経済産業省と農林水産省の農業関係の電気を、自分で安い工事費で、発電装置を作れる目途の確認の為の、無料の施策品作りの国の動向に注目で有る。
【００７１】
本発明の、公共事業の第22の課題解決手段は、貧困社会層の木造建築物の地震対策として、安い費用で出来る一部屋だけの地震対策装置として、地震が来て木造家屋が、潰れ
ても中の人が助かる地震対策装置の構造説明を始める。
初めに、本発明のアルミニューム板パネルまたはジュラルミン板パネルまたはグラスファイバー板パネルまたは合金板パネルが、地震の家屋の重みに耐える事の出来る厚みで
有る事が、第一条件で有る。
強度不足の場合の対策。
一部分のパネル板に、鋼鉄幅狭いパネルを、補強したタイプの地震対策装置が、必要とされる。
この場合、パネルダブル平板取付金具とパネルＬ型取り付け金具とパネル引っ張り金具装置が必要に成る。
この装置の床部分は、杭何処にコンクリートを部分的に打設するか、敷き板ゴムが、考えられる。
安く済ませる場合、屋根瓦の重みで、装置が潰れ無い用に鋼鉄一部分補強が重要になるが、瓦屋根で無ければ、潰れないが今後の鋼鉄材料金の見積もりによって、グラスファ
イバーパネル材の補強問題は、厚くなるが地震対策として、一部屋だけは5万以下で確保したい。
止めポルトは、取り合えず、鋼鉄ポルトナットを、使用する事になる。
従って、神戸阪神大震災の様な惨事によって、死亡事故だけは、無くして行きたい発明者の意見で有る。
本発明は、簡単な発明の為、装置自体の総合費用も安くなる為、一戸建て木造建築物の一部屋だけ地震対策をした部屋が望ましいと考える。
本発明の、試作品実験を、経済産業省などが、無料の実施を、行う費用は、200万程度で済む施策費用だが、経済産業省の今後の動向とテレビマスコミの今後の動向が、弱者国
民全体の地震対策の行く末を、左右する大事な、経済産業省の判断に成る。
【００７２】
本発明の、公共事業の第23の課題解決手段は、一般家庭のトイレ廃棄物の別の処理方法の説明に成る。
本発明では、まずトイレ廃棄物の、瞬間乾燥物とアンモニア水に分けて、アンモニア水を、アルコールに変えて、他の使用用途の薬品としての活用を、試みる事とする。
まず、最初にトイレ廃棄物は、世界初の新技術の真空装置と電動モーター仕切り弁を、使ってトイレ廃棄物を、瞬間乾燥物とアンモニア水に分ける事に成り、トイレ乾燥物は、
発酵物質と軽水素トリチウム電子と混合合成させて、少量の水分と熱で、発酵させてアルコールを、作って科学薬剤使用または、天然ガスの燃料電池使用後の追加物質に使用
したり、現在資源の無い国の、最先端技術として、位置ずけなければ、やがて資源の枯渇とトイレ廃棄物の今までの燃焼処理を、何処まで続けて行けるのかも疑問に成る。
更に、トイレ廃棄物を、真空装置と電動モーター仕切り弁を使って、瞬間乾燥物と問題の気化アンモニア水を、燃料電池発電パネルに、よって発電出来るのは、実用新案登録
技術でも、確認出来るが、燃料電池発電が可能に成る世界初の技術だが、アンモニアの処理が問題に成り、アンモニア水を、水とアンモニアに分ける技術説明を始める。
従って、アンモニア水は、高出力モーター積載の遠心分離機で、水と気化アンモニア物質に分けてから、気化アンモニア物質は、麹菌などの半乾燥物質と混合合成して、軽水
素トリチウム電子と少量の水分と熱を、加えて発酵させて気化アルコール物質に変える世界初の技術に成る。
問題の、麹を作る為の米が、現在余ってる為、工事費は安く済む為、アルコールは、アルコール回収車事業として、今後アルコールの製品作り事業を、新たに開発して行く考
えで有る。
トイレ乾燥廃棄物は、北海道の旭川市の個人の特許か実用新案が有るのは、テレビマスコミで確認済で有り、トイレ乾燥物と木材チップ発酵処理の対策案が有る。
この他、トイレ乾燥廃棄物は、既に無臭に近い為、燃やして処理するのは、可能で有り、現在のトイレ廃棄物の燃焼処理より、安く済むだけで無く、電子熱と太めの電熱線に
よって、燃料電池発電機の電気エネルギーを、使って一気に、100度を超える高温熱風を、一気に上げて燃やす事で、短時間で炭素化してしまうのも、明白で有り、世界最新技
術で有る。
この他、燃料電池発電パネルには、世界初の複数針穴空きの液体マグネシウム内蔵軽水素トリチウム電子入り圧電素子磁石体発電パネルは、世界最新式の燃料電池発電量の無
駄な放出電気熱を、避ける為の、水素と酸素の瞬間発電した電気を、瞬時に圧電素子磁石体磁気電気エネルギーに変える世界初の技術で有る。
ここの、分野で、一番期待するのは、気化アンモニアを、アルコール化する事業を、日本の経済産業省が、どの様に考えるのか、今後の経済産業省の動向に注目して行きたい
のは、資源が、段々と無くなる未来社会までの考え方と国の方針を、聞かなければならない。
【００７３】
本発明の、公共事業の第24の課題解決手段は、今後、未来鉄道の主力に成るリニアーモーターカーに積載する世界初の電磁石技術説明を始める。
まず、最初に、リニアーモーターカーの線路内の電磁石構造として、現在鋼鉄電磁石が、使用されているのが現状で有り、現在の鋼鉄電磁石より、磁極切換えの速くなる電磁
石は、圧電素子電磁石が考えられるが、実際には使用されていないが、更に磁石力と磁極切換えの速い電磁石説明に成る。
従って、世界初の新技術の電磁石技術説明を始める。
まず、鋼鉄磁石は、磁気力は強いが、磁極切換えは圧電素子磁石体より、磁極切換えが数段劣る為、鋼鉄磁石を、複数穴空きの超薄板の鋼鉄磁石体を、複数枚用意して、軽水
素トリチウム電子入りの圧電素子磁石体の薄板を、交互に重ね合わせて圧縮して、鋼鉄磁石の薄板で固定する事で、軽水素トリチウム電子圧電素子磁石体効果と、超薄板複数
穴空き鋼鉄板の磁石効果によって、磁極切換えが鋼鉄磁石体板より、早い合成永久磁石体の超薄複数穴空き鋼鉄板と軽水素トリチウム電子入りの圧電素子磁石体の合成複数重
ね装置によって、世界初の合成軽量の鋼鉄半軽量の永久磁石体は、鋼鉄磁石体より、磁極切換えが早くなる為、リニアーモーターカーの電磁石装置の取り合えず電磁石板の世
界初の技術説明に成る。
更に、電磁石に必要なコイルとして、世界初の新技術説明を始める。
問題の、世界初の新技術のコイルは、銅線を筒官状にした装置に、世界初の新技術の軽水素トリチウム電子と圧電素子磁石体のチタン酸バリューム液と軽水素トリチウム電子
を、混合合成させた世界初の新技術に、圧電素子磁石体物質を混合合成した電気配線を、銅筒官装置に入れた世界初の装置で有る。
世界初の、説明に対して、超電導物質が有るが、今まで電気の通り易い物質で作った電気配線の超電導電気配線は、実は、無かった理由として、軽水素トリチウム電子は、水
素系の重水素を、取り除いた物質の為、シリコン及びダイオード及び電気の通るプラスチック材を、必ず少量必要視されるのは、軽水素が、配線から出てしまう現状だったと
言える。
従って、世界初の技術の合成重ね合わせの磁石体に、更に、世界初の技術の銅筒官配線の軽水素トリチウム電子入りの圧電素子磁石体の電気配線を、銅筒官に入れた世界初の
コイル配線を、鋼鉄複数穴空き薄板と軽水素トリチウム電子入りの圧電素子磁石体の薄板を、複数重ねた磁石体パネルに、銅筒官配線コイルを、巻いた世界初の電磁石構造を、
リニアーモーターカーの線路に積載内臓した世界初の、磁極切換えの速い電磁石構造に、よってリニアーモーターカースピードを、更に上げる事が、可能にした世界初の電磁
石コイル技術説明で有る。
雨ざらしにすると、電磁石劣化が危ぶまれる為、世界最新技術の軽水素トリチウム電子入り圧電素子磁石体粒子内蔵のシリコン塗料液を、リニアーモーターカーの線路上の電
磁石装置に、塗る世界初の技術に対して、鋼鉄網に、軽水素トリチウム電子入り圧電素子磁石体を、被せて固めた電磁石カバー等の対策に、よって世界最高速度のリニアーモ
ーターカースピードに挑戦していきたいと考えます。
更に、世界初の新技術の電気中の熱抵抗電気のみを、取り除く世界初の技術の圧電素子磁石体の圧電素子4電子磁気分割装置の導入によって、リニアーモーターカーの電気配線
を、全て、超電導配線に変えなくても、超電導と同じ理屈に成る、電気抵抗の取り除いた電気を、圧電素子4電子磁気分割装置で、可能にした技術の世界初の導入によって、世
界最高速度のリニアーモーターカースピードを、可能にした世界最新技術の圧電素子4電子磁気分割装置は、リニアーモーターカーの超電導電気技術に、貢献出来る世界初の技
術説明で有り、墫野和夫の特許公報公開物件の手続き補正文章を確認して理解して戴きたい。
従って、経済産業省は、世界の鉄道技術のリニアーモーターカーの世界最新技術の墫野和夫の世界最新技術を、どの様に理解して、無料の試作品とＪＲ鉄道に話を、進めるか
が、今後のマスコミテレビの動向とマスコミ新聞の施策実施ニュースの結果公表の事実を、見守って行くしか無いのも事実で有り、何より経済産業省の動向に注目したい。
【００７４】
本発明の、公共事業の第25の課題解決手段は、リニアーモーターカーの万が一の暴走対策としての、緊急ブレーキの説明に入る。
まず、最初に、現在日本の鉄道機関の全てに、緊急ブレーキを、列車以外に設けた装置は、余り無いのも現状で有る。
従って、世界最新技術のリニアーモーターカーの暴走止め対策の緊急ブレーキの世界初の技術説明を始める。
まず、駅に止まれ無い暴走リニアーカーを、止める為に、水圧ブレーキと空気圧ブレーキの二重ブレーキを、可能にする技術の為に、リニアー駅一部分を、世界初の大型電動
モーター仕切り弁を使用するか、リニアーモーターカーの駅を、湾曲に下げて、水を短時間で満水にして、水圧ブレーキと世界初の技術の駅上部の非常ブレーキの空気圧ブレ
ーキ装置に成る。
従って、客の乗り降りは、エレベーターの電動モーター仕切り弁付きの世界最新技術に成り、ここでも、世界最新技術の高出力モーター技術が、積載使用される事に成る。
上記、構造はリニアーモーターカーの線路ごとの電磁石の電気切断ブレーキを、可能にしても、気が付くのが遅く成ると大惨事に成る為、今後のJR鉄道の動向と経済産業省の
動向とテレビマスコミと新聞マスコミの動向に、注目が集まのが、税金を支払う弱者国民一人一人の注意しなければ成らないＪＲ鉄道と経済産業省の行動と、それを発表する
テレビマスコミと新聞マスコミの発表に注目が、集まるのは言うまでも無い現状と考えられる。
【００７５】
本発明の、公共事業の第26の課題解決手段は、未だに、経済産業省が、燃料電池発電機の水循環型燃料電池発電技術が、不可能な技術として、経済産業省の燃料電池推進室全
員が、考えてる為、テレビマスコミ報道では、移動式の水素スタンドを、栃木県に設けているが、いずれにしても、弱者国民全体の国税徴収によって、作る燃料電池の移動ス
タンドとしか言えないのが、税金社会の説明に成る。
更に、燃料電池発電装置の水循環式は墫野和夫が、既に、実用新案登録証の登録第3145903号の省エネルギー水気化水発電機(別名水発電機)技術が、実用新案登録確定に成って
入る為、なぜ、無駄な税金を、使って燃料電池スタンドを、作らなければならないか、国民が、経済産業省の燃料電池の推進機関を、一日も無駄な税金使用と国民の知的所有
財産の無料施策実施の無視が、明白で有る事を弱者国民の人権無視で、訴え続けなければ、無駄な税金を、永遠に支払って生活を、台無しにする悪循環社会を、止めなければ
成らない時代が、来てしまっていたのも事実で有る。
本題の、世界初の燃料電池の水循環式の連続無給油と無休憩の総合燃料電池の発電量を、上げた世界初の技術の説明を始める。
しからば、世界最新式の2連振子型機械式発電機の無害無給油の半永久連続作動発電機は、世界初の技術で有り、特許公報の墫野和夫の技術として公開して有る2連振子型機械
式発電機を、更に改良した、既に紹介した、世界最新技術の高出力ダイナモと世界最新技術の既に紹介した発電回路を、複数積載した、今までの総合発電量の2連振子型機械式
発電機以上の総合発電量を、得る事の出来る世界初の新技術を、積載した2連振子型機械式発電機の電気量によって、作動出来る水循環型の世界最新技術の燃料電池発電装置の
説明に成る。
次に、組立解体によって、バッテリー掃除によって、リサイクルバッテリーとして、使用可能にした世界初の技術の既に説明した発電回路を、複数積載した世界初の技術の軽
水素子ニッケル発電回路電気エネルギー循環発電バッテリーは、世界初の技術の為、今後ソーラーパネル併用技術のバッテリー電気自動車などが、道路を走るのも夢で無い世
界初の発電回路技術を、積載した急速充電装置の圧電素子4電子磁気分割装置の世界初の装置を、内蔵した充電時間の短い軽水素ニッケルバッテリーの世界最新技術を、積載し
た、世界初の水循環型の燃料電池発電装置を連続作動させる為の電源の世界最新型の軽水素ニッケル発電回路循環バッテリーに成る。
追加説明
軽水素ニッケルバッテリーは、水素ニッケルバッテリーの水素を、重水素と軽水素に分けて、軽水素のみを使った軽水素ニッケルバッテリーに成り、水素ニッケルバッテリー
技術より、充電時間が、重水素の熱電気抵抗物質を、水素中から、取り除いた分急速充電が可能に成る。
更に、世界最新技術の燃料電池の発電技術の公開説明を始める。
しからば、燃料電池の発電パネルの液体マグネシウムパネルと固形水素燃料電池発電パネルは、水素と酸素の化学反応発電装置は、公知の別の名前のわからない技術者の技術
だが、水素と酸素と化学反応して、発電する時点で大量の無駄な熱エネルギーを、放出する無駄を無くす為の世界最新技術説明を始める。
世界最新技術の、燃料電池の酸素と水素を、瞬間吸収する液体マグネシウム燃料電池パネル及び固形水素の無駄な熱放出を、避ける世界初の技術の燃料電池の水素と酸素の瞬
間吸収発電パネルの世界最新技術は、重複説明で有るが、燃料電池の液体マグネシウム全体を、囲む装置と燃料電池の固形水素全体を、囲む装置の無駄な熱放出を避ける装置
の説明として、世界最新技術の圧電素子磁石体のチタン酸バリュームに、世界初の新技術の軽水素トリチウム電子を内蔵させた圧電素子軽水素合成化合物質で、作った複数の
針穴空洞付きの圧電素子パネル内に、他人の技術の液体マグネシウム全体を、包み込む用にした世界初の燃料電池の水素と酸素の瞬間吸収発電の熱放出を、圧電素子磁石体の
軽水素トリチウム電子の圧電素子磁気電子誘導と圧電素子自体の磁気瞬間磁気電気誘導の世界最新技術によって、今まで、不可能にされて来た為、逆に燃料電池発電機自体を、
冷やす他社全体の技術とは、丸っきり考え方の違う瞬時に、水素と酸素の発電した電気を、世界最新技術の軽水素トリチウム電子の圧電素子磁石体の瞬間磁気誘導装置の軽水
素トリチウム電子入り圧電素子磁石体に、他人の技術特許権の液体マグネシウムを、包み込むように、複数針穴形状のパネル内部に、液体マグネシウムを入れた世界初の燃料
電池発電パネル技術で有る。
もう一つは、軽水素トリチウム電子内蔵の圧電素子磁石体パネルの複数針穴構造パネルに、他人の燃料電池発電パネルの固形水素を内蔵させた世界初の燃料電池の無駄な熱エ
ネルギー放出を止めた世界初の技術説明に成る。
次に、本発明は、世界初の燃料電池パネルが、酸素と水素の瞬間液体マグネシウム吸収発電時の弱冠な熱エネルギーを、瞬間に電気エネルギーに変える世界初の技術の重複す
るが、再び説明する。
従って、世界初の熱吸収発電パネルは、シリコンに圧電素子磁石体粒子を、混合合成する技術と圧電素子磁石体粒子入りシリコンに軽水素トリチウム電子を混合合成する場合、
圧電素子磁石体のチタン酸バリュームに、軽水素トリチウム電子を、混合合成する事で、軽水素トリチウム電子は、磁気電子化すると同時にシリコンの磁気化が、可能に成り
燃料電池の水素と酸素の瞬間液体マグネシウム発電で、発生する熱エネルギーを、軽水素トリチウム電子入り圧電素子磁石体のシリコンパネルまたはシートの軽水素トリチウ
ム圧電素子シリコン磁気によって、熱吸収が、軽水素トリチウム磁気電子効果によって、熱吸収の瞬間軽水素トリチウム電子入り圧電素子磁気シリコン効果によって、熱エネ
ルギーは、瞬時にして、圧電素子軽水素トリチウム電子入りシリコン磁気の瞬間磁気の熱磁気変換を、可能にした世界初の熱瞬間吸収発電可能な世界最新技術によって、燃料
電池発電パネルの総合発電量を、海外企業技術の燃料電池総合発電量より、更に燃料電池総合発電量を増やす事を可能にした世界最新技術説明に成る。
更に、世界最新式のダブル燃料電池発電パネルを、水発電機装置の燃料電池パネル発電室全体の壁まで、燃料電池発電パネルを壁に積載した世界初の新技術説明。
更に、燃料電池の発電後の水を、貯水して溜める水中ポンプ室の壁全体に、世界最新技術の燃料電池ダブル発電パネルを、水中ポンプ室全体に貼り付けた世界初の燃料電池発
電装置の世界最新技術説明で有る。
更に、水中ポンプ室から、真空装置気化室の貯水室へ水を、送る為の世界最新技術のスクリュー水官構造に、燃料電池のダブル発電パネルの軽水素トリチウム電子入り圧電素
子磁石体内臓シリコン熱発電パネル官によって、燃料電池の温度が、上がった水の熱エネルギー瞬間吸収磁気電気変換を、世界で初めて可能にした燃料電池発電機の水循環式
の熱吸収発電パネル装置の世界初の内蔵積載説明で有る。
更に、燃料電池発電機の真空装置気化室全体の壁を、世界最新技術の燃料電池ダブル発電パネルの液体マグネシウム燃料電池発電物質内蔵の軽水素トリチウム電子入り圧電素
子磁石体粒子複数針穴形状パネルと軽水素トリチウム電子入り圧電素子磁石体粒子入りのシリコン吸収発電パネルを、真空装置気化室の壁全体に貼り付ける構造によって、燃
料電池発電機の総合発電量を、更に増やす事を可能にした世界初の燃料電池ダブル発電パネル装置で有る。
この他、重複説明に成る世界で電気消費の最も、少ない高出力モーターを、水循環式の燃料電池発電機の水中ポンプと真空装置と電動モーター仕切り弁に内蔵設置した世界初
の新技術説明で有る。
この他、燃料電池の水中ポンプの汲み上げする世界初のスクリュー官の水移動流れ水スピードエネルギーを、世界初の新技術の高出力ダイナモと水車型羽根装置によって、高
出力ダイナモを、回転させて発電出来る燃料電池の高出力ダイナモの世界最新技術を、積載した燃料電池の水循環型の装置説明で有る。
上記の、世界初の燃料電池の水循環型発電機は、水エネルギーを、軽水素トリチウム電子酸素水に、変える事で、軽水素トリチウム電子入り酸素水の気化変化電気使用エネル
ギーを減らす事を可能にした技術で有る。
以上の、総合発電技術を、積載した水循環式の燃料電池発電機は、全世界の全ての燃料電池総合発電量に対しても、全ての燃料電池発電技術に対しても、総合発電量が、上回
る燃料電池技術の世界最新技術に成り、墫野和夫の水発電機より、更に総合発電量を増やした世界初の技術を、複数積載した世界最新技術を、複数積載した無害無給油全自動
循環連続燃料電池水発電機の世界で最も新しい構造説明と、燃料電池の課題解決手段を、説明した文章で有る。
上記の、説明の水循環型の世界最新技術を、集めた燃料電池発電機が、東京ガスの用に、燃料電池の液体マグネシウム発電物質の特許権使用契約又は、燃料電池の固形水素の
水素と酸素の瞬間吸収物質の発電装置の特許権使用料の支払契約が、現在、成立していてテレビマスコミ公開の上で、商品販売している事実の用に、燃料電池の水素と酸素の
瞬間吸収発電パネルの特許権使用料金契約もしくは、著作権特許物件使用料金契約によって、墫野和夫の世界最新型燃料電池発電パネルの燃料電池の水素と酸素の瞬間吸収発
電パネルの特許権者を、経済産業省殿の紹介によって、燃料電池の水循環式連続作動発電機の話し合いと特許使用料金の契約の元で、日本国の全額900兆円越えの借金全額返済
と、都道府県市町村区の全額借金返済の道筋を、付けたいのが墫野和夫の日本人としての山と魂の言い分で有る。
以上の本発明の世界最新技術の燃料電池技術の公開に伴って、全世界の経済界動向に対しての、テレビマスコミの行動と新聞マスコミの行動に、注目して行きたいばかりか、
経済産業省の世界最新技術の取扱に対して、どの様に取り扱うのか、今後の経済産業省の行動と動向に注目したい。
【００７６】
本発明の、公共事業の、第27の課題解決手段は、燃料代金の負担によって、経費倒れして行く、船の貨物船事業と列車の貨物事業と飛行機の貨物事業と大型トラックの貨物事
業に、絶対必要視される世界最新技術の高出力2連結以上モーター技術説明を始める。
既に、墫野和夫は、特許公報で、2連結以上モーター説明で、5連結以上のコイル連結モーターは、電気消費が、多い為、燃料電池積載の船及び燃料電池積載の列車及び燃料電
池積載の飛行機及び燃料電池積載のトラックには、高速スピードを得る為に、絶対必要な技術だが、日本国内では、5連結〜7連結以上の複数コイルモーター積載技術になると
墫野和夫しか、無いのは、第26の課題解決の手段に説明した、世界最新技術の水循環型の燃料電池発電機の無給油連続発電機技術などが、なければ必要しない技術だから、他
の特許提出の少ない技術説明は、うなずける事実に成る。
本題の、本発明の、高出力2連結以上モーターは、重複説明だが簡単に説明する。
本発明では、内コイル式と外コイル式と卍形状式と高出力DCブラシレスインバータ制御レールモーター式の複数コイル連結モーター形状のデザイン形状モーターが有る。
次に、内コイル式の高出力2連結以上モーターは、内コイルに、鋼鉄板又は、通常の鉄板が使用されている通常内コイルモーター構造に対して、高出力技術では、内コイルの鉄
板の中央部分を、全て刳り貫き、刳り貫いた場所に、世界最新技術の高出力内コイル板技術として、軽水素トリチウム電子入り圧電素子磁石体構造に対して複数穴空きの鋼鉄
薄板もしくは、ステンレス薄板を、貼り付けた内コイル板に、世界最新技術のコイル配線技術として、銅筒官に、世界最新技術の軽水素トリチウム電子入り圧電素子磁石体粒
子を、銅筒官に入れた世界初の技術の銅筒官コイル配線を、コイル板の中央部分が、軽水素トリチウム電子入り圧電素子磁石体構造に成っているコイル板に、巻きつけた世界
初の内コイル技術説明で有る。
外コイル型の高出力2連結以上モーターの世界最新技術説明。
従って、上記説明した、世界最新技術の銅筒官コイル配線の軽水素トリチウム電子入り圧電素子磁石体粒子入り銅筒官コイル配線の世界初技術のコイル配線を、でたらめにモ
ーター外コイルに、巻く技術を、止めて同じ長さの銅筒官コイル配線を、順番にキチンと配列並びさせた外コイル式の銅筒官外コイル配線の世界最新技術で有る。
次に、外コイルモーターの内側の永久磁石構造説明に入る。
通常の鋼鉄永久磁石の外コイル式の内側永久磁石の総重量が重い為、外コイル式は電気消費が多い為、内側の永久磁石の磁気力を変えないで軽くする世界初の技術説明で有り、
複数の穴空き鋼鉄板磁石の薄板と、複数の軽水素トリチウム電子入り圧電素子磁石体の薄板を、交互に貼り合わせて固定した、永久磁石体は、磁気力を変えないままに、軽量
化した世界初の外コイル式の世界最新技術のモーター永久磁石体の総重量を、軽くした世界初の技術説明に成る。
更に、圧電素子4電子磁気分割装置を、モーター配線それぞれに取り付けると、電気中の熱抵抗電気を、取り除く世界初の装置によって、更に、本発明の高出力2連結以上モー
ターの世界初の構造説明に成る。
上記、高出力2連結以上モーターの特徴は、軽量モーターに成ってる為、電気モーター飛行機には、絶対必要になる技術説明だと言える。
従って、本発明の高出力2連結以上モーターは、電気モーター時代に絶対必要な世界最新技術で有り、インターネット特許公報公開時点で、経済産業省の未来志向の墫野和夫の
高出力2連結以上モーターの取扱と無料の施策実施を、行うか行わないかで、弱者国民全体への明治時代の戦争中の国の対応の仕方の完全無視なのか、今後の経済産業省の動向
と、テレビマスコミの動向と新聞マスコミの動向に、弱者国民一人一人は、注意して、見守って行きたいのが現在の心境で有る。
【００７７】
本発明の、公共事業の、第28の課題解決手段は、コンクリート劣化防止の固形窒素内蔵グラスファイバーにの太めセパ装置に取り付ける世界初の新技術の軽水素トリチウム電
子入り圧電素子磁石体粒子内蔵のシリコンソーラーパネルの外気熱と太陽光のダブル発電パネルの更なるソーラーパネルとして、雨降りの高温の時、少しでも発電出来る様に、
世界初の新技術の軽水素トリチウム電子入りの圧電素子磁石体粒子入りのシリコンパネルに、筋状に新しく、軽水素トリチウム電子入り圧電素子磁石体の複数針穴式内に内蔵
した液体マグネシウムの燃料電池発電パネルを、筋状に、世界最新技術の軽水素トリチウム電子入りの圧電素子磁石体粒子入りのシリコンパネルに、筋状に燃料電池発電パネ
ルを、内蔵した世界初の装置で有り、実際には、夏の高温多湿地域では、燃料電池の気化水素蒸気と気化酸素蒸気の瞬間吸収出来る条件日は、おそらく少ないが、総合発電量
の多くなる世界最新式のソーラーパネル技術として、本発明の世界最新技術として、公開して置きます。
従って、高温多湿の地域では、ソーラーパネルの両面式デザイン構造が、本発明の追加技術としては、ふさわしい世界初の液体マグネシウム圧電素子磁石体内臓軽水素トリチ
ウム入りシリコンソーラーパネルは、今後発電量が、多い事を、経済産業省の無料試作品で、実証を得た場合、全世界で、使用される燃料電池発電パネル内蔵のソーラーパネ
ルの世界最新技術に成り、今後の、経済産業省の、試作品の無料実施試験に期待したい世界最新技術のソーラーパネルの経済産業省の無料試作品実施検査の判断に期待したい、
何がなんでも、日本国の900円越えの全額借金返済の道筋を、作りたい弱者国民の一人で有る。
【００７８】
本発明の、公共事業の、第29の課題解決手段は、家庭の煙センサーと熱感知装置の二つを、合わせた世界初の装置によって、実際にどの位、家庭の火事を、減らす事が出来る
のか、対策手断として構造説明を始める。
まず、最初に、構造説明として、世界初の技術として、熱感知センサーとして、軽水素トリチウム電子入り圧電素子磁石体粒子内蔵シリコン熱感知パネルは、通常シリコンパ
ネルの場合、超微妙な熱感知が、出来ないのがソーラーパネル技術で有り、更に、シリコンパネルに、圧電素子磁石体粒子を内蔵すると、シリコンパネル自体が実際に温めら
れてからしか、熱反応したシリコン磁気シリコンは、通常シリコンのみのパネルより、電気変換率が、多くなるが、部屋の微妙な温度対応が出来ない。
しかし、世界最新技術の軽水素トリチウム電子入り圧電素子磁石体粒子入りシリコン熱吸収発電パネルは、微妙な温度に、軽水素トリチウム電子入りシリコンが、熱吸収して
更に、圧電素子磁石体粒子によって、瞬時に、熱電気変換出来る為、熱感知軽水素トリチウム電子入り圧電素子磁石体粒子入りシリコン熱感知パネルは、かなり信頼が持てる
装置に成る。
この他、水銀温度計と複数カラー色ラインの設定温度の水銀球のカラー色ラインの光感知軽水素トリチウム入りダイオードの光感知センサーは、設定温度毎に、回路毎に軽水
素トリチウム電子入りダイオードスイッチ回路スイッチ配線を設けたこの装置も、世界最新温度センサー技術に成り、微妙な温度非常連絡では、電波の携帯電話波の送受信装
置を、内蔵した世界初の煙温度感知センサーは、温度センサーで一度温度を、確認認識したのを、携帯電話電波で、送受信出来る世界初の煙温度センサーの特徴で有り、室内
の状況を、世界初の技術の半分から、上が魚眼レンズの半分から下がとつレンズの一つ削りレンズを使用した世界初の新技術の軽水素トリチウム電子入りの発光ダイオード玉
装置は、ダイオードに軽水素トリチウム電子を入れる世界初の技術によって、発光ダイオードの軽水素トリチウム電子の電気熱効果によって、発電する為、軽水素トリチウム
電子入り発光ダイオード玉装置は、他の発光ダイオード玉装置より、電気消費が少なく出来る世界初の新技術説明に成る。
この他、ブザー音とメロデー音と音声を、部屋の設定温度に合わせて、自動に超小型スピーカーから、出る音によって、部屋の換気装置または、部屋の暖房装置の温度設定を、
手動及び全自動で出来る装置と言える。
この装置の、電源には、世界初の自動電池技術及び自動充電池技術及び2連振子型自動充電池技術及び発電回路と圧電素子4電子磁気分割装置積載の充電池は、連続充電出来る
世界初の装置で有り、電気量計測センサーにて、電池切れの音声連絡などが可能な世界初の煙熱感知センサーで有る。
されど、煙センサーの二酸化炭素センサーは、特許切れ契約の元で、煙熱感知センサーとして、安い価格を作り上げて、弱者国民の火事から人の命を、守って見たい墫野和夫
の煙熱感知センサーの説明で有り、設定温度を超えた場合、消防署に、カメラ映像がいち早く送られる世界最新技術を、集めた煙熱感知センサーによって、今後の火事火災の
被害を、少なくする消火対策作りを考えて行きたい。
上記、の煙熱感知器公開よって、経済産業省は、どのような行動によって、国民を守るかその動向を見守って行きたい。
【００７９】
本発明の、公共事業の第30の課題解決手段は、農業のビニールハウス電源確保と寒冷豪雪地帯の家の周りの雪を発酵合成材で、雪を解かして家の周りの除雪対策を、行う為、
の昔から有る堆肥熱の有りかたを、応用した世界最新技術の無臭合成発酵材の熱吸収発電装置の説明をする。
しからば、鶏糞及び牛糞及び馬糞は、発酵材だが悪臭が有る為、使用しても後処理に金がかかる為、懸念するしか無い。
その為、木材チップも、発酵するが発酵するまで、時間が掛る材料に成る。
従って、合成発酵材は、悪臭を避ける為と、短時間で発酵させる為に、通常の木材チップを、粉材になるまで超微粒子化するまで細かくする作業が必要に成り、竹チップ粉材
と笹チップ粉材とスイトコーン茎粉材と乾燥雑草粉材と稲ワラ粉材と麦ワラ粉材を、混合合成して、軽水素トリチウム電子を、入れて撹拌して、少量の水を入れて撹拌して、
密封した後、温度を、与え続けると無臭発酵が必ず成り、ここまで、手を加えた合成発酵材は、無いはずで有り、合成発酵材の熱で、発酵熱蒸気を、使った燃料電池パネル発
電技術が、装置を小さくして、無給油の連続発電装置が出来る実に得な発電装置で有る。
従って、世界初の発酵材熱発電パネル装置は、複数針穴空き軽水素トリチウム電子入り圧電素子磁石体粒子パネル液体マグネシウム内臓シリコン熱発電装置は、合成発酵材熱
と合成発酵材熱蒸気の連続発電装置で有り、複数針穴空き軽水素トリチウム電子入り圧電素子磁石体粒子パネル液体マグネシウム内臓シリコン熱発電装置は、合成発酵材熱の
水蒸気を、複数針穴形状の軽水素トリチウム電子入り圧電素子磁石体パネル内に内蔵した他人の技術の燃料電池マグネシウムの瞬間水素と酸素の吸収発電物質を、内蔵した水
素と酸素の瞬間吸収燃料電池発電物質で有り、軽水素トリチウム電子入りのチタン酸バリューム入り圧電素子磁石体パネルは、軽水素トリチウム電子の圧電素子磁気電子化を
可能にした事で、酸素と水素の液体マグネシウムの瞬間吸収発電物質は、瞬間発電と同時に発電した電気は、磁気電気化して、瞬時に別れて電極電気配線に水素と酸素の化学
反応発電した電気が、瞬時に流れる世界初の燃料電池の水素と酸素の瞬間吸収物質の瞬間発電磁気電気分割を、可能にした世界初の新技術に成る。
以上の、燃料電池の世界最新型装置でも、発電熱が発生して無駄に成る為、再び世界最新技術の熱瞬間吸収の磁気電気変換発電装置の説明と同時に、熱瞬間吸収磁気電気変換
発電装置パネル又はシートを、燃料電池発電パネルの複数針穴式の軽水素トリチウム電子入り圧電素子磁石体の液体マグネシウム内蔵パネルの熱エネルギー発電シート又はパ
ネルとして、貼り付ける事とによって燃料電池発電パネルの熱放出の熱エネルギーを、瞬間吸収して発電出来る世界初の技術の熱吸収発電パネルの説明を始める。
従って、熱瞬間吸収発電シート及びパネル構造の、軽水素トリチウム電子入り圧電素子磁石体粒子内蔵シリコン熱発電装置は、燃料電池の発電時に放出する無駄に成る熱エネ
ルギーを、電気に変える技術は、シリコンに軽水素トリチウム電子を内蔵させて、シリコンに更に圧電素子磁石体粒子を内蔵する事で、シリコンの圧電素子磁気シリコンが出
来上がり、軽水素内蔵によって、シリコン磁気電子パネルまたはシリコン磁気電子シートが出来る事に成り、シリコン磁気電子の軽水素トリチウムは、熱エネルギーの融合又
は、吸収が非常に優れている物質の為、太陽光発電と外気熱発電出来るソーラーパネルとしても、期待される熱吸収発電装置の構造説明で有る。
本発明の、合成発酵材を使った発電パネル及び発電シートの複数針穴空きの軽水素トリチウム電子入り圧電素子磁石体粒子パネルの液体マグネシウム内臓シリコン熱発電装置
のシートとパネルの使用用途説明と軽水素トリチウム電子入り圧電素子磁石体粒子内蔵シリコン熱発電装置のパネル及びシートの使用用途説明を始める。
以上の、合成発酵材の連続して、発生する熱と連続して発生する水蒸気の水素水蒸気と酸素水蒸気を、瞬間吸収発電出来る発電装置の積載使用として、合成発酵材は、3年程
土に成らない為、合成発酵材の交換は3年間一切、無給油に成り、超小型の電極配線を用いた発電装置は、現在、各社が公開して有る水素給油式の燃料電池発電装置より、作る
のにも、お金が、燃料電池液体マグネシウムのまだ名前の判らない特許権使用料金代の契約で済む為、超小型発電パネルとして、電気自動車は前のボンネット部分または、椅
子の下に合成発酵材入り燃料電池発電パネルを、積載可能に成り、通常のボンネット部分にクッションゴムを入れて衝突衝撃軽減の車も、可能に成るなどの、各発電装置の設
置して合った場所の違う装置を、入れたり超小型化が、可能に成るのは、言うまでも無く、船などの電気船の発電装置として期待出来る。
この他、寒冷地豪雪地帯の、冬場用の除雪費軽減装置と冬場に暖房費として使用する電気確保の為の、家の周りの敷き板の合成発酵材発電装置パネルの設置によって、除雪す
る手間と合成発酵材の発電した電気を得る事が出来る装置で有り、この場合、合成発酵材発電パネルに、黒ゴム厚手シートを被せる事で、冬場の電気確保の心配が外でも、無
くなる。
この他、室内の床パネルと壁パネルとして、合成発酵材の発電パネルを敷いて、カーペットを、敷くと合成発酵材の熱暖房と合成発酵材の発電した電気を得る事が、出来る世
界初の合成発酵の熱エネルギーと水蒸気水素と水蒸気酸素の瞬間吸収出来る燃料電池発電パネル装置の連続した燃料電池パネル発電電気を得る事が出来る。
合成発酵材パネルは、パネル形状の強化プラスチック板内蔵のゴムパッキンなどによって、合成発酵材のパネル蓋装置のボルトナット止めのシンプルな簡単な構造で有る。
この他、自動車及び船などに、積載する合成発酵材内蔵の燃料電池ダブル発電パネルの複数針穴空き軽水素トリチウム電子入り圧電素子磁石体粒子パネル液体マグネシウム内
臓シリコン熱ダブル発電装置のパネルに、世界最新技術の高出力モーター積載内蔵の電動モーター仕切り弁装置を、積載した世界初の合成発酵材を、内蔵して発電出来る発酵
熱臭いを、全く外に出さない装置説明に成る。
更に、寒冷地豪雪地帯の屋根に敷き詰めて、ゴムシートを被せる構造によって、屋根の雪下ろしの心配を無くして、合成発酵材の発酵熱発電電気によって、冬の生活を、楽に
過ごす事が、可能にした合成発酵材パネル装置の使用用途説明で有る。
この他、街の歩道に合成発酵材パネルを、敷き詰めて、カラーデザインゴムシートを敷く事で、冬場の除雪費を省いて街路地の電気供給にする事で、冬場の都道府県市町村区
の電源確保が出来る世界初の技術の試みに成る。
上記の、本発明の世界初の、新技術の合成発酵材を、使用した燃料電池ダブル発電パネルの複数針穴空き装置の軽水素トリチウム電子入り圧電素子磁石体の液体マグネシウム
内蔵の燃料電池発電パネルともう一つの軽水素トリチウム電子入りの圧電素子磁石体粒子内蔵シリコンシートまたはパネルを、最新型の燃料電池パネルに、取り付ける事で、
水素水蒸気と酸素水蒸気の瞬間吸収発電の燃料電池発電物質の発電電気エネルギーと燃料電池発電パネルが、発生する熱エネルギーを、瞬間吸収して、発電出来る世界初の連
続無給油燃料電池発電パネルの特許公報公開によって、現在国の経済産業省の推進している燃料電池は、何処まで行っても水素給油式の為、日本全国の弱者庶民から、国税徴
収して、作り上げる水素給油スタンドが、一切必要しない、世界初の合成発酵材の発電した電気で走る自動車等の経済産業省が、主体となって、無料の試作品の実施とマスコ
ミ公開によって、今後の電気税と電池税の取扱方次第で、国の財政運営を決めて行かなければ成らない時代に、来てしまったのも事実に成る。
従って、国の、経済産業省の動向と燃料電池推進室の動向と農業水産省の動向と、テレビマスコミの動向と新聞マスコミの動向に注目したいのが、貧困弱者の生活を虐げられ
ている自立出来ずに着ている社会層全員だと言える。
【００８０】
本発明の、公共事業の第31の課題解決手段は、地下埋設ケーブルの電気配線のプラスチックゴム劣化対策に付いて説明する。
従って、電気配線の短い部分は、銅線に、ガラス材又は石の粉を、混ぜた絶縁体電気配線を、使用する事で、取り合えず電気配線のプラスチックゴム劣化対策は出来る。
この他、地下埋設ケーブルのプラス配線とマイナス配線を、別々にする事で出来熱漏電事故を少なくして、今まで地下ケーブルなどは、プラス配線とマイナス配線を、一緒に
して居た金属二重官の配線状況を、別々にして、今までの地下ケーブル漏電事故を無くした設置改善説明で有り、地下ケーブル官は、金属二重管で無い、半永久持つ塩化プラ
スチック官か、再生グラスファイバー官を、使用する事で、経費の削減に努める事とする。
この他、銅線をガラス石粉材カバーの地下ケーブルの複数配線官は、乾燥竹チップ粉材入りのシリコンゴムシート等の防水処理とアルミニュームジョイントアダプタカバーな
どで、地下ケーブルガラス石粉絶縁体の地下ケーブル配線は、差し込み銅筒官配線構造の金属官を、使用しない地下ケーブル配線官で有り、道路歩道で横抜き排水官を、取り
付けたケーブル床は、プラスチック石の水抜き装置に砂を敷いた場所に地下ケーブルを、埋設する構造に成り、プラスチック石は、現在燃やされている混合ゴミのプラスチッ
クを、使用する廃材の再利用システムに成る。
【００８１】
本発明の、公共事業の第32の課題解決手段は、都道府県市町村区のお見合い制度の問題点は、市町村区の管轄内の人だけを、対象としたお見合いの為、会費ゼロ円でも、結婚
の相手が、見つかりづらい欠点が有り、マスコミ公開の婚活のインターネットは、メール交換に最低500円がかかり、2009年の仕事の無い時期の低所得者では、婚活出来ない状
況に成り、二人で生活した方が、2009年の時代ならば、なおさらに、生活して行く為には、相手のパートナーが、必要に成り、国の進める少子高齢化対策に対しても、都道府
県市町村区が、唯のお見合いセンターを、作るだけで、少子高齢者対策に成って無いのが、現状で有り、市町村区でも、インターネット開設をしているのも、現状だが、婚活
のインターネットの無料登録と婚活制度は、取ってないのが現状で有り、一般社会の民間の婚活は、結婚を目的としている為、都道府県市町村区と国が無料の婚活インターネ
ット制度を、立ち上げて少子高齢化対策を、行う事で夫婦共働き制度の充実を計って行くのが国の勤めだと考えます。
従って、都道府県のインターネット婚活は、身分証明を、明白にして、年間所得を明白にして、婚活パーティーを、お金の掛らない都道府県市町村区の機関の部屋を使う工夫
及び、インターネットの無料電話制度などの活用と大型バス等による集団見合いなどが、出来るシステムなどによって、低所得者でも生活出来る夫婦の道を、国が手助け願う
為のインターネット婚活の都道府県市町村区の開始を願う国民からの願いで有り希望でも有る。
【発明の効果】
【００８２】
上述したように本発明の公共事業新技術は、全てに於いて、嘘いつわりの無い、弱者国民一人一人の自立社会を目指す、弱者国民一人一人の財団設立の上で、日本国の全額900
兆円越えの借金返済と都道府県市町村区の全額借金返済を、無償で終わらせない限り、日本国全体の弱者貧困層の自立と安定生活を日本の国の借金苦から脱出出来ない状態を
続けると、日本国全体が、滅びる為、世界の経済大国の一番〜二番目とテレビマスコミから、騒がれている企業は、お金が有り余ってるから、心配は永遠にいらないが、現状
の経済大国の世界で一番〜二番のマスコミテレビの常々の放送の意味だと確信していると同時に、大和魂を、無くさない弱者貧困社会層の自立の為の一日も早い国の900兆円越
えの全額借金返済を、終わらせる為と都道府県市町村区の自立社会の為の、経費を、一切掛けず化石燃料の使用を、ゼロにする時代施工と世界最新技術の無害無給油発電機の
使用によって、全世界の二酸化炭素排出を、ゼロに持って行く新しい時代に向けての世界最新技術の公共事業対策の世界最新技術で有る。
【００８３】
長年、原子力発電などは、民間個人の世界特許権発明技術として、過去に於いて原子力むつの南極観測船の国の数年分の予算を、原子力発電発明者に支払った事が、過去の国
会質疑で、明らかな事件等が有り、原子力放射線漏れ事故などを、繰り返しても、未だに原子力廃棄物処理の原子力特許権の発明者との示談も、公開の話し合いも無く、また
国と都道府県市町村区が、仲立ちして、原子力発明特許権者との原子力廃棄物処理の公開示談の話し合いの場も、設けないまま、2009年現在まで、来てしまった現在、原子力
発電を、使わない技術が、企業側で無い弱者国民の一個人の知的所有財産が、実際に存在している事実を、経済産業省及び新エネルギー機関などは、真剣に考えてマスコミ公
開の話し合いと、海外原子力廃棄物処理の原子力発明特許者の海外賠償の公開説明を、行うと同時に、なぜ、原子力発電を、止めれないのか、国の機関一人ひとりが、公開説
明の上で、実際に日本国の900兆円越えの借金全額を、個人の知的所有財産の使用以外の借金返済方法を、今度こそ日本国民の前で説明して頂ける機会を持てる説明と言う時間
を、作る効果を発揮して、日本国の借金900兆円越えの全額支払いの方法説明を国から聞く事が出来る。
【図面の簡単な説明】
【００８４】
【図１】本発明の公共事業の世界最新技術の水力発電の発電量を増やす為のスクリュー官と高出力ダイナモと高速真空装置と高速気化水送り官装置の配置図
【図２】本発明の公共事業の世界最新技術の高出力ダイナモ構造説明図。
【図３】本発明の公共事業の世界最新技術のダム水取り込み装置と高速真空装置と高出力電動モーター仕切り弁装置の配置図
【図４】本発明の公共事業の世界最新技術の水力ダムの発電残水を、ダム本体の水中に戻す装置の配置図
【図５】本発明の公共事業の世界最新技術の海水を瞬間に真水に変える世界最新技術の装置の配置図
【図６】本発明の公共事業の世界最新技術のコンクリート劣化防止パネルの配置設置図
【図７】本発明の公共事業の世界最新技術の線路内の敷地の世界最新式のソーラーパネル設置位置指定場所の配置図
【図８】本発明の公共事業の世界最新技術のコンプレッサー配置図と、世界初の新技術のエアースクリュー官の配置図
【図９】本発明の公共事業の世界最新技術の舗装熱発電パネルの歩道設置の配置図
【図１０】本発明の公共事業の世界最新技術の海上滑走路装置構造説明図
【図１１】本発明の公共事業の世界最新技術の河川増水処理装置の配置図
【図１２】本発明の公共事業の世界最新技術の生活排水の処理装置の簡単な構造説明図
【図１３】本発明の公共事業の世界最新技術のマンホールの位置確認GPSとライトカメラ等の装置位置配置図
【図１４】本発明の公共事業の世界最新技術の混合ゴミからのプラスチック材の採取方法説明図
【図１５】本発明の公共事業の世界最新技術の軽水素トリチウム電子入りシリコン網入り二枚合わせ発電ガラスの配置図
【図１６】本発明の公共事業の世界最新技術の鋼鉄四角形型波形状鉄筋の構造説明図
【図１７】本発明の公共事業の世界最新技術の空気清浄機の構造説明図
【図１８】本発明の公共事業の世界最新技術の高出力卍形状インバータ制御モーターの構造図
【図１９】本発明の公共事業の世界最新技術の換気抗の構造説明図
【図２０】本発明の公共事業の世界最新技術の家庭風呂の湯熱風送風装置と湯熱発電装置の配置図
【図２１】本発明の公共事業の世界最新技術の家庭の料理器具の世界初の水蒸気吸収の燃料電池発電パネル配置図。
【図２２】本発明の公共事業の世界最新技術の生ゴミ瞬間粉砕乾燥の飼料及び肥料移動作成車の構造説明図
【図２３】本発明の公共事業の世界最新技術の雪を瞬間気化させて処理出来る除雪車の構造説明図
【図２４】本発明の公共事業の世界最新技術のでん粉カスと鶏糞と魚カスの大型瞬間乾燥撹拌による混合肥料作成施設の構造説明図
【図２５】本発明の公共事業の世界最新技術の地震による木材家屋の崩壊に基ずく人災防止パネル装置の構造説明図
【図２６】本発明の公共事業の世界最新技術のトイレ廃棄物の処理とアルコール化する為の麹菌アンモニア分解までの説明図
【図２７】本発明の公共事業の世界最新技術のリニアーモーターカーの電磁石構造説明図
【図２８】本発明の公共事業の世界最新技術のリニアーモーターカーの緊急ブレーキ説明図
【図２９】本発明の公共事業の世界最新技術の無害無給油全自動循環連続燃料電池水発電機装置の構造説明図
【図３０】本発明の公共事業の世界最新技術の高出力2連結以上モーターの構造説明図
【図３１】本発明の公共事業の世界最新技術の発電回路のプラス発電回路とマイナス発電回路の構造説明図
【図３２】本発明の公共事業の世界最新技術の燃料電池発電パネルを、内蔵したソーラーパネルの構造説明図
【図３３】本発明の公共事業の世界最新技術の煙熱感知センサーの構造説明図
【図３４】本発明の公共事業の世界最新技術の合成発酵材の発電装置の部品設置図
【図３５】本発明の公共事業の世界最新技術の農業ハウスの合成発酵材の熱送風装置と発電装置の構造説明図
【図３６】本発明の公共事業の世界最新技術の合成発酵材発電パネルの敷きパネル配置図
【図３７】本発明の公共事業の世界最新技術の合成発酵材発電パネルの電気自動車積載図
【図３８】本発明の公共事業の世界最新技術の合成発酵材発電パネルの発酵臭漏れ防止の高出力モーター電動仕切り弁装置の構造説明図
【図３９】本発明の公共事業の世界最新技術の合成発酵材発電パネルの構造図シート図
【図４０】本発明の公共事業の世界最新技術の劣化防止ケーブルの構造説明図
【図４１】本考案の都道府県市町村区の婚活のインターネット無料登録制度の私案説明図
【図４２】本発明の公共事業の世界最新技術の先著作権技術文章を、北海道知事に郵送した証拠図
【発明を実施するための形態】
【００８５】
以下、本発明の実施の形態を、図1〜図40に基ずいて説明する。
【００８６】
図1においては、公共事業の最新型の水力発電装置配置図で有り、ダム本体の水は、通常ではストレート官構造の所を世界初の技術の2のスクリュー官に変える事で、ダム水の
落下スピードを、上げる事が出来て、1の世界初の高出力ダイナモ装置を、水車型板装置で、連続回転させて発電出来る通常のダム水力発電より、発電量を多く得る事を、可能
にした世界初の装置で有る。
更に、最新型の水力発電装置の1の高出力ダイナモで、発電した処理水を、3の高速真空装置によって、地下の発電処理水を、瞬間気化させて4の高速気化水送り装置によって、
5の気化水スクリュー送り官によって、ダム本体の水中に発電処理水を、戻す装置までの装置配置説明の役割説明図で有る。
【００８７】
図2においては、公共事業の、世界最新型の技術の6の通常ダイナモは、6の通常ダイナモの中央部分を、刳り貫いた場所に9の高出力軽水素トリチウムトリチウム電子入り圧電
素子磁石体構造の物質を、代わりに元有った状態まで、9の高出力軽水素トリチウム電子入りの圧電素子磁石体を、代わりにきっしりと填め込んで超薄ステンレス及び超薄鋼鉄
板を、被せた世界初の8のダイナモ軸構造を、高速連続回転させる事で、6の通常ダイナモ発電したダイナモ発生電気は9の高出力軽水素トリチウム電子入り圧電素子磁石体に6
の通常ダイナモ電気が、連続して流れる事によって、9の高出力軽水素トリチウム電子入り圧電素子磁石体は、6の通常ダイナモ電気の軽水素トリチウム電子入りの圧電素子磁
石体の通常ダイナモ電気打撃効果で、6の通常ダイナモ発電電気と9の高出力軽水素トリチウム電子入り圧電素子磁石体の6の通常ダイナモ電気打撃分の発電した電気打撃発電し
た増幅の、軽水素トリチウム電子の圧電素子磁石体の電気打撃増幅電気を、得る事が出来る装置出来る世界初の技術の6の通常ダイナモに、9の高出力軽水素トリチウム電子入
り圧電素子磁石体の世界初の圧電素子磁石体の電気打撃増幅発電出来る装置を、設置した世界初の6の通常ダイナモの増幅電気打撃発電出来る高出力ダイナモ装置で有る。
【００８８】
図3においては、公共事業の、世界最新型の技術の12の雨水と増水河川水の瞬間気化装置の17の錆び止めアルミニューム地下貯水官は、一度に大量の水を、貯水出来る地下貯水
槽官で有り、河川真空装置のの増水した水を、瞬間気化して、空中に気化水放水する為の、一時的に大量の水を、貯水する為の装置で有り、3の高速真空装置は、通常真空装置
の通常モーターを、高出力モーターに、変えた構造装置で有り、真空装置のフアンベルトの代わりに、複数歯車ギアーが、取り付けられた世界初の真空装置構造装置で有り、3
の高速真空装置は、17の錆び止めアルミニューム地下貯水官の全ての空気を、抜き取る為に14のエアー取り込み官装置が、取り付けられている構造で有り、17の錆び止めアル
ミニューム地下貯水官に、16の水力ダム残水取り入れ口が取り付けられている構造で有り、13の高出力電動モーター仕切り弁の仕切り弁装置回転軸に高出力モーターの軸が、
取り付けられた構造の水の取り入れ官に取り付けられる装置で有り、15の水位センサーの満水作動によって、13の高出力電動モーター仕切り弁が作動して、水の供給を止めて、
別の17の錆び止めアルミニューム地下貯水官に連続して河川増水の水を貯水して行く装置で有り、3の高速真空装置で、14のエアー取り込み官の17の錆び止めアルミニューム地
下貯水官内に、取り付けられている14のエアー取り込み官装置を、通じている3の高速真空装置によって、エアーを取り除く装置によって、河川の増水した水を、貯水している
17の錆び止めアルミニューム地下貯水官に貯水した河川貯蓄水を、複数の17の錆び止めアルミニューム地下貯水官に貯水している水を、連続して、3の高速真空装置に取り付け
られているスクリュー官気化水放水官によって、遠く離れた場所の空気中または、水中に大量の増水した気化水を、放出して河川の増水氾濫を、避ける事が出来る装置構造の
部品装置の取り付け状況と、連続全自動の河川増水の水を、連続して瞬間気化処理する為の、本発明の実施形態の装置取り付け状況で有る。
【００８９】
図4においては、公共事業の、世界最新型の技術の12の雨水と増水河川水の瞬間気化装置の18の高出力2連結以上モーターの作動形態の実施説明に成る。
図1のダムの水力発電処理水の瞬間気化した常温気化水を、余り電気消費をしないでダム本体まで水を戻す装置の構造形態として、ダム発電後の処理水は、13の高出力電動モー
ター仕切り弁装置は、25の気化水エアー取り込みプロペラ板の取り付けられてる18の高出力2連結以上モーターが、20のモーター軸に取り付けられた構造で有り、常温気化水の
送風力が、弱い場合二か所に18の高出力2連結以上モーターを設置した構造に成り、瞬間気化した水は、27のダム水戻り官の2のスクリュー官を経てダム本体の水中に水を、戻
す装置の作動実施形態で有る。
従って、18の高出力2連結以上モーターの作動実施形態として、19の鋼鉄枠のモーター内コイル板の中央部分の刳り貫いた場所に21の軽水素トリチウム電子入り圧電素子磁石体
板装置を、鋼鉄板の代わりに高出力構造の軽水素トリチウム電子入り圧電素子磁石体装置を、設置した内蔵装置で有り、28の複数穴空きステンレス鋼鉄板を、21の軽水素トリ
チウム電子入り圧電素子磁石板の滑落防止板の28の複数穴空きステンレス鋼鉄板を設置した装置に、23の銅筒官コイル配線の24の軽水素トリチウム電子入り圧電素子磁石体粒
子物質の内蔵した23の銅筒官コイル配線を19の鋼鉄枠の21の軽水素トリチウム電子入り圧電素子磁石体の枠に23の銅筒官配線の24の軽水素トリチウム電子入り圧電素子磁石体
粒子物質を内蔵した装置を、積載内蔵した世界最新型モーター内コル構造の部品設置形態説明で有る。
【００９０】
図5においては、公共事業の世界最新技術の、海水を、瞬間に真水に変える装置の実施の形態の説明で有る。
従って、海水は、29の海水取り入れ官によって、18の高出力2連結以上モーターを、積載した29の海水取り入れ官で有り、取り入れられた海水は、28の高速真空装置の貯水槽に
海水を、貯めて3の高速真空装置によって、海水を瞬間気化させる装置積載に成ってる構造で有り、30の海水の残り物の海塩は、13の高出力電動モーター仕切り弁の全自動開閉
によって、地下に設置している海塩処理車に積載する事が可能に成り、瞬間気化した真水は、31の飲料水貯蓄タンクの水中に全自動放出されて真水貯水出来る世界初の海水を
瞬間に真水に変える装置説明で有る。
この他、31の飲料貯水タンクに、貯水しないで、遠くに離れた場所の地下貯水タンク槽の水中に放出する事は可能に成り、高速の真水の32の気化水送りプロペラと18の高出力
2連結以上モーターによって、瞬間気化水真水を、高速移動を、2のスクリュー官によって、水道官の水移動の数倍の速さで移動出来る構造形態の実施説明で有る。
【００９１】
図6においては、公共事業の世界最新技術のダム本体のコンクリートダムのコンクリート劣化防止装置の、35の透明グラスファイバーのコンクリート防護枠の中に34の固形窒素
のコンクリート熱劣化防止装置を、図の例のＡ〜ＡＧに、35の固形窒素入り透明グラスファイバーコンクリート防護枠を、特製のコンクリト鋼鉄太めセパに固定して有る、世
界初のコンクリートを、太陽光熱と、雨及び風及び雪の自然コンクリート削りの害から、保護するパネル形状の形態説明で有る。
【００９２】
図7においては、公共事業の世界最新技術の、鉄道敷地の有効活用方法として、37の世界初の最新型ソーラーパネルのＡ〜Xの配列の用に並べて設置する事で、38の軽水素トリ
チウム電子入り圧電素子磁石体粒子内蔵シリコンソーラーパネルを、並べて設置した装置の配置形態の説明で有る。
従って、38の軽水素トリチウム電子入り圧電素子磁石体粒子内蔵シリコンソーラーパネルは、258のクリスタルガラス構造に、259のプラス電極配線と260のマイナス電極配線を
軽水素トリチウム電子入り圧電素子磁石体の磁気極に取り付けた発電した電気を、取り込む為に取り付けた電気配線で有る。
【００９３】
図8においては、公共事業の世界最新技術の、寒冷豪雪地帯の線路内に雪を、入れない対策の装置の構造形態と配置設置形態の説明を始める。
本発明の、41の超小型コンプレッサーは、通常コンプレッサーのベルトの代わりに複数歯車を、積載した世界初のベルト切れ防止対策のコンプレッサーの配管は、世界初の新
技術の42のスクリューエアー官配管を、線路の両脇に隙間なく配置する事で、降ってくる雪を42のスクリュー配管のエアーによって、強制的に線路内に雪を、入れない装置設
置形態説明に成る。
【００９４】
図9においては、公共事業の世界最新技術の、夏場の電気不足を補う為の、夏場の歩道舗装熱を、利用した世界初の舗装熱瞬間吸収発電装置で有り、43の舗装熱発電パネルは、
歩道舗装5センチ下の砂利層との間に内蔵積載する夏場の舗装熱発電装置で有り、装置構造は、45のセラミックカバーまたは陶器カバーをポルト止めで取り付けた44の熱電動の
銅金属カバーを同じくポルトナット止めした構造の、世界最新技術の46の軽水素トリチウム電子入り圧電素子磁石体粒子内蔵シリコン熱吸収発電パネル発電装置を、積載内臓
した世界最新の軽水素トリチウム電子入りの圧電素子磁石体粒子内蔵のシリコンが混合合成した軽水素トリチウム電子磁気の熱吸収シリコンの瞬間熱磁気電気変換出来る世界
初のソーラーパネル熱磁気電気変換出来る地熱吸収発電にも使える世界初の技術の外気熱瞬間吸収発電パネルにも成る世界初の熱吸収発電パネル構造の内蔵形態説明で有る。
【００９５】
図10においては、公共事業の世界最新技術の、現在テレビマスコミで騒がれている沖縄県の沖縄海軍飛行場の世界最新技術を、使った海上滑走路の構造形態の取り付け実施形
態説明で有る。
従って、海上の浅瀬に、筏に乗せた49の掘削ドリルが使える機械を乗せて海上で海中に49のドリルで穴を開けて掘削する方法の手段によって、海上の浅瀬に複数の穴を、掘っ
て余り、海上のサンゴなどを、傷つけない埋め立てによる自然破壊防止対策を講じた方法によって、50の穴空き鉄筋入りコンクリート空洞抗の二重筒装置を、49の掘削ドリル
で、掘り上げた後、50の穴空き鉄筋入りコンクリート空洞抗の二重装置を設置して、一度外部だけを、コンクリート固定した後、51の世界初の技術の鋼鉄イボ付き杭を、50の
穴空き鉄筋いりコンクリート空洞抗の二重筒装置に51の鋼鉄イボ付き杭を、設置してコンクリート打設固定した海上複数鋼鉄杭に、52のビニールナイロンカバー付き鋼鉄杭固
定装置を取り付けた後、海上滑走路用の複数穴空き厚鉄板を、複数乗せて鋼鉄ポルトナット止めした構造形態の世界初の海上滑走路構造で有り、複数穴空き鉄板を、敷いた後
は、複数針穴式のアルミニューム薄板を、貼り付けまたはポルト止め後に舗装を行う海上滑走路で有る。
【００９６】
図11においては、公共事業の世界最新技術の、何年置きかに全国の河川増水氾濫事故が、引き起こし続ける河川増水事故を、防ぐ世界初の河川増水の河川水一時貯蓄の瞬間気
化の空中高速スクリュー官空中放出の水害対策手段の、世界最新技術は、河川氾濫すると思われる場所に水門を設けて、河川水を、地下の沢山の河川水を、貯水出来る55の河
川水取り込みシールド官に河川水を、閉じ込めて57の電動モーター仕切り弁水門によって密封した後、56の高速真空装置河川気化処理装置を設置して、55の河川水取り込みシ
ールド官の中の空気を、全て瞬間に取り除く真空装置の河川水瞬間処理の世界初の技術によって、55の河川水取り込みシールド官の大量の河川水を、瞬間に常温気化させて、
遠くの場所まで、スクリュー官などを使用して、海上の海中または空気中に河川増水した水を、通常ストレート官の水の流れスピードの数倍の速さで、処理出来る世界最新技
術の構造形態説明で有り、地下シールド官は、最も、値段が安く設定出来る太厚の塩化ビニール管の、海外中国製及び海外インド国製及び海外韓国製の地下シールド官を、使
用した河川増水の水を、瞬間処理出来る装置設置の実施形態説明で有る。
【００９７】
図12においては、公共事業の世界最新技術のテレビマスコミで、騒がれている脱水力ダム建設中止の為に、水不足に成る事を防ぐ対策の世界初の65の生活排水瞬間濾過処理装
置の構造形態の説明を始める。
従って、家庭で使われる水の中の、貯蓄雨水タンクなどの、設置数も少ない現在で有るが、家庭で使用する水道水の61の風呂排水と台所排水と濾過水気化水取り入れ官によっ
て、66の真空装置を内蔵すると同時に、家庭排水を、一時的に貯水出来る小型タンク付きの装置の63の台所流し水のタンクに、60の風呂排水台所排水取り入れ口の高出力電動
モーター仕切り弁装置を、内蔵設置の上で、63の別名の排水貯水タンクの空気を、全て66の真空装置を、使って取り除く世界初の65の家庭生活排水の瞬間濾過処理装置によっ
て、63の排水貯水タンクの水を瞬間気化させた常温気化水を、もう一つの家庭貯蓄タンクの水中に放出する事で、家庭生活で使用する水道水の連続に何度でも、濾過して使用
出来る世界初の装置で有り、運搬設置用の64のリモコン高出力モータータイヤの設置と世界最新技術の停電対応の世界初の新技術の62の2連振子型機械式発電機の積載によって、
停電時の、家庭の貯蓄水の水中ポンプの作動電源の確保としている世界初の新技術説明の装置設置状況の形態説明で有る。
【００９８】
図13においては、公共事業の世界最新技術として、現在有る67のマンホールに設置して有る水道官埋設状況管理と下水道埋設状況管理とガス官埋設状況管理と電気配線埋設状
況管理とテレビ配線埋設状況管理とラジオ配線埋設管理状況とインターネット配線埋設状況管理と埋設物ＧＰＳ位置連絡装置の装置構造設置形態の説明を始める。
従って、68のカギ付きマンホール蓋のマンホールには、世界最新技術の69の軽水素トリチウム電子入り圧電素子磁気粒子内蔵シリコンダイオードソーラーパネル装置の世界初
のクリスタルガラスを使った世界初のマンホール蓋装置のソーラーパネル設置の世界最新技術の設置形態実施に成り、この他、世界最新技術の72の自動充電池及び2連振子型充
電池を、半永久の電源とした世界最新の電源技術の積載等によって、70の衛星波送受信アンテナ装置を、内蔵したマンホールは、網目等の形状マンホールに、衛星アンテナ樹
脂を被せた構造の世界初のマンホール蓋の衛星波送受信装置で有る。
この他、73の軽水素トリチウム電子入り発光ダイオードライト装置と71の魚眼とつレンズの一つ削りレンズを積載して、74の衛星位置確認の地図内蔵の圧電素子磁気カードに
内蔵した装置とガス濃度感知センサー装置等を積載内臓した装置によって、67のマンホール内の各配線の埋設位置とマンホール内のコンクリート劣化状況とマンホール内のガ
ス管理を、行う為の装置説明の装置設置形態説明に成る。
【００９９】
図14においては、公共事業の世界最新技術の、コンクリート劣化防止用の、世界最新技術の固形窒素入りグラスファイバーパネルの、使用料が多くなるのが考えられる為、プ
ラスチックと再生ガラスのストックの為、混合ゴミから、プラスチックを回収する技術として、76の現在燃やしているプラスチックを熱回収して、77の安い海砂と廃棄プラス
チックの混合合成によって、クッションデザイン採石等に利用したり、78のビルとビルの間に小石の代わりに敷く材料にしたり、79の石油汲み上げ停止の時に、再生プラスチ
ックとして、活用する為の、プラスチックのストック方法の技術形態説明で有る。
【０１００】
図15においては、公共事業の世界最新技術の、窓ガラスの太陽光熱吸収発電と部屋熱及び外気熱吸収発電出来る、今までに無かった世界最新技術の81の軽水素トリチウム電子
入り、シリコン網入り二枚合わせ発電ガラスは、二枚合わせのガラスとガラスの間に、軽水素トリチウム電子とシリコンを混合合成した網上のシリコン合成網シート膜構造の
熱瞬間吸収発電装置を内蔵した世界初の装置で有る。
【０１０１】
図16においては、公共事業の世界最新技術の地震でも、ビル免振装置を使わないでも、100年以上持つコンクリートビルを全世界で信用を得る事の出来る80の固形窒素入りグラ
スファイバーパネルコンクリート劣化防止パネル取り付けビルに使用する世界初の技術として、全世界で、加工料金が高い理由の為、一度も使われなかった83の鋼鉄四角形型
波形状鉄筋は、世界初の技術の84の鉄筋滑り止め砂鉄滑り止め吹き付け砂鉄鋼鉄鉄筋によって、結束線の滑り止めを図り、世界最新技術の85の錆び止めグラスファイバー溶液
取り付け鋼鉄鉄筋は、世界初の技術の82の鋼鉄四角形型波形状繋ぎ装置複数穴空きタイプは、溶着可能な鋼鉄鉄筋の仮止めの筒状の鉄筋繋ぎ装置にもう一本の鉄筋を、溶接す
るダブル接合構造に成る。
【０１０２】
図17に於いては、公共事業の世界最新技術の、インフルエンザ防止の為の、空気清浄機の実施形態を説明する。
通常の、空気清浄機は、家庭配線の電気使用だが、本発明の空気清浄機は、62の世界初の今後、絶対必要視される無害無給油の無休憩連続作動型の、機械部品だけの62の高出
力ダイナモを、二つ積載した62の2連振子型機械式発電機の電源または、世界初の新技術の87の循環発電回路積載バッテリー装置のバッテリの電気を、使った世界初の軽水素ト
リチウム電子入り圧電素子磁石体の連続電気打撃発電の世界初の新技術のバッテリー発電電気を使用した、循環発電バッテリー電源を使用した86の空気清浄機で有る。
【０１０３】
図17の、86の空気清浄機は、通常の水の代わりに、88の軽水素トリチウム電子入り酸素水タンクに、粉石灰入りの臭い取り装置も有り、98の水量計は、プラスチックガラスの
ゴムパッキン式または、ガラス接着式に成ってる構造で有る。
【０１０４】
図17の、冬場は、世界最新技術の93の酸化鉄スクリューエアー撹拌温風装置は、フアンの羽根に酸化鉄粒子と世界最新技術の軽水素トリチウム電子が、酸化鉄粒子と軽水素ト
リチウム電子との混合材を、フアンの銅板筒フアン板構造に内蔵した世界初の、ニクロム電熱線を、全く使用積載しない温風装置を、モーター回転を、スローにして酸化鉄粒
子と軽水素トリチウム電子入りの世界初の酸化鉄粒子の撹拌熱の軽水素トリチウム電子の増幅装置で有る。
【０１０５】
図17の、世界最新技術の86の空気清浄機は、世界最新技術の92のエアー取り込みスクリュー官は、通常ストレート官と異なる世界初のスクリュー官を使用した世界初の水また
は、お湯を送る事の出来る世界初のエアー空気スピードを、上げる事を可能にした装置で有り、91の水車板型エアー取り込みプロペラ装置によって、高速で、エアーが取り込
まれて90の高出力電磁誘導発電装置によって、軽水素トリチウム電子入り圧電素子磁石体の高出力電磁誘導圧電素子の磁気連続打撃発電によって、部屋の汚れた空気を、スイ
ッチ切換え式の高速のエア回収して88の軽水素トリチウム電子酸素水タンクの水中に汚れた空気を取り込む事で、空気清浄を、可能にした世界初の特許技術の水フイルターを
使った世界初の88の空気清浄機で有る。
【０１０６】
図17の、世界最新技術の86の空気清浄機は、冬場の暖かい空気熱を、利用した発電装置と夏場の外気熱と部屋熱を、使った世界初の発電装置として、86の空気清浄機の気化熱
水蒸気発電を、可能にする為の、88の軽水素トリチウム電子入り酸素水タンクの内側に内蔵設置した世界初の新技術の、96の複数穴空き液体マグネシウム入り軽水素トリチウ
ム電子入り圧電素子磁石体発電フイルター装置に、よって、86の空気清浄機の88の軽水素トリチウム電子入り酸素水タンクの気化熱蒸気の世界最新技術の水蒸気を、使用した
気化熱水蒸気連続発電を、可能にした世界初の86の空気清浄機で有る。
【０１０７】
図17の、世界初の最新技術積載の86の空気清浄機は、世界最新技術の89の軽水素トリチウム電子入り圧電素子磁石体粒子内蔵のシリコン外気熱吸収発電パネルは、外気熱の瞬
間吸収連続発電出来る世界初の外気熱及び部屋熱瞬間吸収出来る世界初の新技術の熱吸収発電パネル装置。
【０１０８】
図17の、世界初の最新技術積載の86の空気清浄機は、夏場の冷却空気清浄機にする為に、97のエアー取り込み口のジャバラ窓枠は、世界最新技術の80の固形窒素入りグラスフ
ァイバーパネル使用技術とフアンの羽根を、80の固形窒素入りグラスファイバー式のフアンの羽根にした世界最新技術で有る。
【０１０９】
図17の、世界初の最新技術積載の86の空気清浄機は、世界最新技術の94の圧電素子4電子磁気分割装置の、電気中の電気熱抵抗電気を、取り除く装置によって、86の空気清浄機
の電気消費を、世界で最も少なくする事を可能にした装置。
【０１１０】
図18の、世界初の最新モーター技術の99の高出力卍形状インバータ制御モーターの構造形状の実施説明を始める。
従って、99の高出力卍形状インバータ制御モーターは、世界最新技術の100のインバータ制御高出力電磁石装置を、通常のＤＣインバータ制御モーターの電磁石設置角度と異な
る外向きにした電磁石は、楕円形の上下に一か所づつの100の二つの電磁石のインバータ制御高出力電磁石は、103の高出力電磁石は、複数の穴空きステンレス鋼鉄薄板と軽水
素トリチウム電子入り圧電素子磁石体の薄板を、交互に貼り合わせた合成永久磁石体に、世界初の新技術の104の銅筒官コイル配線の軽水素トリチウム電子と圧電素子磁石体粒
子を、104の銅筒官コイル配線に内蔵した世界初の、少ない電気消費で電磁石に成り、磁極切換えの速い世界初の電磁石構造で有り、100のインバータ制御高出力電磁石に電気
を、流すと同時に軽水素トリチウム電子のコイル磁気誘発によって、圧電素子磁石体の軽水素が活発に作動して、少ないて電気で、電磁石が成立して磁極切換えの速い電磁子
が、可能に成る構造形態説明で有る。
更に、99の高出力卍形状インバータ制御モーターのもう一つの異なった特徴は、モーター内コイルは、通常は、十字形状で有るが、99の高出力卍形状インバータ制御モーター
は、コイル板が、丁度卍形状の101の人工合成永久磁石部分がＬ字を、更に外向きにした世界初の、モーター内コイル構造を主体として、Ｌ字部分だけが、101の人工合成永久
磁石は、軽水素トリチウム電子入りの圧電素子磁石体の薄板と複数穴空き鋼鉄薄板を、交互に貼り合わせた世界初の101の人工合成永久磁石部分とする事で、内コイルの金属重
量を軽減した構造にして、更に世界初の技術として102の複数穴空き軽金属内コイル板にする事で、モーター内コイル回転に必要な消費電気を抑えた世界初の99の高出力卍形状
インバータ制御高出力電磁石の内コイル形状構造によって、世界で一番電気消費の少ないモーター形状デザインの作動形態説明に成る。
【０１１１】
図18の、世界初の99の高出力卍形状モーターの電気消費を、少なくする為に、94の圧電素子4電子磁気分割装置をモーター配線に設置内蔵する事で世界で一番電気消費の少ない
モーターが出来る説明に成る。
【０１１２】
図19の、世界初の公共事業対策として、107の通常家庭換気栓及びクーラー装置の106の換気栓フイルター後付け用装置の構造形態説明を始める。
従って、通常フイルターは、薄くて新型インフルエンザなど等のウイルスを、全て取り除けない為、106の換気栓フイルター後付け用として、109の3重フイルター構造として、
世界初のフイルター内容物として、木材活性炭粉材及び稲ワラ炭粉材及び麦ワラ炭粉材及び乾燥雑草炭粉材などを、111の十字網入りガーゼ合成活性炭に混合合成したフイルタ
ーと110のスッポンジフイルターと112のグラスファイバー糸網フイルターの109の三重フイルターを、106の換気栓フイルター後付けようとして取り付けた装置で有る。
この他、換気栓に108のスプリングフイルター留め金装置を付けた構造の物は、現在の換気栓にポルトナット止めして、フイルターの取り付ける場所を確保しなければならない
事に成る。
【０１１３】
図20の、世界初の公共事業対策として、家庭風呂の湯熱の温度20度〜40度の湯熱温度を、瞬間吸収して発電出来る世界初の新技術形態実施説明を始める。
従って、一般家庭風呂の浴槽及び壁全体に、世界初の新技術として、世界初の新技術として、261の軽水素トリチウム電子入り圧電素子磁石体粒子内蔵シリコンダイオード熱発
電パネルを、内蔵設置した浴槽室内全体の発電壁装置。
【０１１４】
図20の、世界初の公共事業対策として、家庭風呂の湯熱熱風を、一戸建ての各部屋を暖める為に、世界初の新技術として、89の軽水素トリチウム電子入り圧電素子磁石体粒子
内蔵シリコンダイオードスクリュー官熱発電装置は、風呂浴槽のサイドに湯熱のエアー吸収ようとして、世界最新技術の118の液体軽水素トリチウム電子入り圧電素子磁石体粒
子内蔵シリコン風呂湯熱貯蓄発電装置の、軽水素トリチウム電子入りシリコン材の熱瞬間吸収発電装置の熱吸収材に、89の軽水素トリチウム電子入り圧電素子磁石体粒子内蔵
シリコンダイオードスクリュー官に、99の高出力卍形状インバータ制御モーター備え付けの117の風車風送り装置によって、89の軽水素トリチウム電子入り圧電素子磁石体粒子
内蔵シリコンダイオードのスクリュー熱発電官装置を通じて熱風を、送る事が出来て、各部屋の熱風エアー仕切り弁によって、各部屋の暖房を確保出来る湯熱送風装置で有る。
この他、軽水素トリチウム電子は、圧電素子磁気シリコンと混合合成する事で、暖められたシリコン熱を、圧電素子磁気粒子の熱磁気粒子に、瞬間に変える事が出来て、更に
熱磁気を、軽水素トリチウム電子の磁気電子変換を、瞬間に行う事で、湯熱を瞬間に、熱磁気電子電気変換出来る図20の形態実施説明に成る。
【０１１５】
図21の、世界初の公共事業対策として、家庭の調理器具から、発生する蒸気を、使った世界初の新技術の燃料電池発電パネルの121の液体マグネシウム内蔵軽水素トリチウム
電子入り圧電素子磁石体粒子入りシリコンダブル発電パネルを、電子レンジの水蒸気吸収の出来る電子レンジの内壁に設置したり、123の鍋取って蓋に、内蔵したりする事で、
燃料電池発電物質の液体マグネシウムまたは固形水素燃料電池パネルに、水蒸気を、連続吸収発電を可能にした装置を、内蔵設置した世界初の装置の取り付け状況の形態実施
説明に成る。
この他、特殊鍋構造として、122の酸化鉄粒子を129の銅金属板のなべ底に内蔵した構造と、130のお湯の沸騰熱を、利用して鍋を温める方法で有る。
【０１１６】
図22の、世界初の公共事業対策として、現在の家庭生ゴミを、瞬間に粉末乾燥生ゴミ肥料または資料に変える為の装置の作動実施の形態説明を始める。
従って、家庭の生ゴミは、瞬間乾燥する為に、世界最新技術の3の高速真空装置の高出力複数モーターコイル使用の超高速回転出来るモーターを、積載内臓した高速真空装置に
よって、134のモーター撹拌装置の生ゴミ粉砕装置によって、瞬間乾燥した生ゴミを、粉々にして13の高出力電動モーター仕切り弁装置によって、瞬間乾燥して粉々に成った生
ゴミを取り出せる構造に成っており、乾燥した生ゴミの粉材は、粉材ストック室に貯める事が出来る構造に成って入る。
この他、生ゴミは、136の踏み台を、通じて生ゴミ乾燥粉砕処理車の生ゴミ取り込み口へ入れる事が可能に成る。
更に、生ゴミ回収車のタイヤは、パンクしても、少しの間だけ走行可能な、135のタイヤ入りホイルのチープレスタイヤを、使用しているのが特徴で有る。
また、3の高速真空装置を、使って生ゴミを瞬間乾燥させる為、生ゴミの気化ガスの処理は、133の三連エアーフイルターを、使用しているが、この他、生ゴミ気化ガスを、水
中に取り込む生ゴミ臭い公害防止対策も有る。
最後に、本発明の生ゴミ乾燥粉砕回収車の電源は、132の無害無給油全自動循環連続の燃料電池水発電機の電源活用に成っている。
【０１１７】
図23の、世界初の公共事業対策として、豪雪地帯の除雪ダンプを一切使わない世界初の除雪方法の有りかた説明で有る。
従って、本発明の除雪車は、雪を除雪ダンプ等で運搬するので無く、除雪車本体に雪を、257の雪かきこみ装置で雪を262の雪取り込み室に雪を、取り込んで13の高出力電動モ
ーター仕切り弁装置によって、密封して3の高速真空装置によって、262の雪取り込み室の空気を、全て取り除く事で、除雪した雪を瞬間に全て気化する事が可能に成り、139の
スクリュー雪の気化水放出官から、固形の雪を瞬間に気化した雪を、瞬間に放出出来る装置で有り、電源には132の半永久無給油連続作動燃料電池が積載されている為、半永久
に除雪車に電気供給出来る構造によって連続の除雪が140の気化水放出によって可能に成る。
この他、13の高出力電動モーター仕切り弁装置は、99の高出力卍形状インバータ制御モーターが積載内臓に成ってる。
更に、除雪車の位置確認のため、137のＧＰＳ衛星アンテナ装置が、積載に成っている138のはしご付の雪の瞬間気化除雪車で有る。
【０１１８】
図24の、世界初の公共事業対策として、でん粉カスの瞬間処理と鶏糞の瞬間処理と魚カスの瞬間処理を、臭い公害を発生させずに、行う事が出来る装置説明で有る。
従って、141のでん粉カスと鶏糞と魚カスの取り込み口から、専用車両で持ち込まれた資材を、取り込む場所に成り、13の高出力電動モーター仕切り弁装置によって密封可能に
成り、取り込まれた材料は3の高速真空装置で、水分を瞬間的に取り除く事が、出来て142の撹拌装置と143の高出力モーターによって、瞬間乾燥撹拌出来る超大型の撹拌装置に、
成り、13の高出力電動モーター仕切り弁装置によって瞬間乾燥粉材を、大型機械等で、取り込む事の出来る完全密封型の13の高出力電動モーター仕切り弁装置に成る。
更に、でん粉カスと鶏糞と魚カスを、3の高速真空装置で瞬間乾燥した為、生ゴミガスの処理の作動形態説明として、2のスクリュー官を通じて、146の廃棄木材粉材と乾燥竹粉
材と乾燥笹粉材と麦ワラ粉材と稲ワラ粉材と乾燥雑草粉材の混合発酵室に、でん粉カス気化ガスと鶏糞気化ガスと魚カス気化ガスを、3の高速真空装置によって取り込んで発酵
ガスによって、でん粉気化ガス分解と鶏糞気化ガス分解と魚カス気化ガス分解を、行う事を、可能にしている世界初の発酵ガスによって、生ゴミ等のでん粉カスのガス処理と
鶏糞ガスの処理と魚カスの処理を、行う事を可能にした合成発酵粉材装置説明で有る。
この他、別に148の複数穴空きアルミニューム金属板に、147の木材活性炭フイルターと145の発酵熱軽水素トリチウム電子入り圧電素子磁石体粒子内蔵シリコン発電パネル装置
などの世界初の積載によって、発酵熱による水蒸気の瞬間吸収の燃料電池パネル発電方法も可能にした、でん粉カス及び鶏糞及び魚カスの処理工程の形態実施説明で有る。
【０１１９】
図25の、世界初の公共事業対策として、地震による一戸建て木造建築物の地震崩壊による人災の死亡事故を、防ぐ為の装置の実施形態説明を始める。
従って、免振装置等の設置してない古い木造建築物に住む人の地震崩壊から、人の命を守る為に、149のアルミニューム板パネル及びジュラルミン板パネル及び合金板パネル及
びグラスファイバー板パネルを、木造建築の一室の全体を、地震による崩壊から守る為に、149の資材を、ポルトナット止め出来る用に加工して、151のパネルダブル平板取付
家具装置と153のパネルＬ型取り付け金具等によって、正方形マス型及び長方形マス型状に組み立てて、152の内ドア付きパネルを、組み合わせて設置する事で、地震時に一戸
建て建造物が、崩壊しても、地震崩壊防止の149のパネル室内の人間は、下敷きにならないで、助かる構造の地震家屋の潰れによる人災の死亡事故防止装置。
【０１２０】
図26の、世界初の公共事業対策として、トイレ廃棄物の処理の別の考え方の実施形態説明を始める。
従って、154のトイレ廃棄物取り込み口から、回収して来たトイレ廃棄物を入れて、157の乾燥粉末トイレ排泄物とアンモニア水に分けて、アンモニア水を、155のアンモニア水
高出力遠心分離機を使って、アンモニアと水に分ける157のアンモニア水高出力遠心分離機は、143の高出力モーター内蔵に成っている構造説明に成る。
この他、トイレ排泄物を、瞬間乾燥させる為に3の高速真空装置を作動させて、トイレ排泄物を、13の高出力電動モーター仕切り弁装置が、内蔵積載に成っている部屋のトイレ
排泄物を、貯蓄した部屋の空気を、全て取り除く事で、トイレ排泄物は、乾燥排泄物と気化アンモニア水に分かれると同時に気化アンモニア水は、155のアンモニア水高出力遠
心分離機装置に貯めて処理する構造に成っている。
上記の場合、159の複数穴空き液体マグネシウム内臓軽水素トリチウム電子入り圧電素子発電パネルによって、瞬間気化したアンモニア常温気化水を、使って燃料電池発電パネ
ルの連続発電も、可能にした技術の実施形態説明で有る。
更に、158の発電残水取り込み口から、アンモニア成分の少ない水を取り出す事を、可能にする技術としてアンモニア水に温度を与えるとアンモニアだけが、水成分と分離する
特製を使った方法等が有る。
この他、157の乾燥粉末トイレ排泄物は、石灰合成によって、山林の人工植樹林の肥料等として、再利用化が可能に成る。
【０１２１】
図27の、世界初の公共事業対策として、160のリニアーモーターカーの電磁石構造の組み立て実施形態説明を始める。
従って、161の合成重ね合わせ永久磁石は、163の複数穴空きステンレス板複数穴空き鋼鉄板と世界初の新技術の軽水素トリチウム電子入り圧電素子磁石体の薄板を、交互に貼
り合わせた装置が、161の合成重ね合わせ永久磁石に成り、164の軽水素トリチウム電子入り圧電素子磁石体内臓銅筒官コイル配線を、161の合成重ね合わせ永久磁石に164の銅
筒官配線を巻いた装置で有る。
更に、166の軽水素トリチウム電子入り圧電素子磁石体粒子内蔵シリコン塗料を、164の銅筒官配線に、超薄ステレス板を被せて166の軽水素トリチウム電子入り圧電素子磁石体
粒子内蔵シリコン塗料を、被せた世界初のリニアーモーターカーの電磁石構造の実施形態説明で有る。
【０１２２】
図28の、世界初の公共事業対策として、リニアーモーターカーの緊急プレーキの実施形態説明を始める。
従って、リニアーモーターカーの駅を、湾曲に下げた駅の構造にしてから、168の緊急放水装置と電動モーター仕切り弁を、使った排水装置を取りけるリニアーモーターカーの
駅構造にする事で、リニアーモーターカーを、水圧と空気圧で、緊急停止させる事が出来る今までに無い緊急ブレーキのシステムで有る。
【０１２３】
図29の、世界初の公共事業対策として、水素の無給油型の半永久作動の燃料電池発電機構造装置の作動実施形態の説明を始める。
従って、世界最新技術だけで、世界の他社に絶対に無い水素無給油の連続作動出来る燃料電池発電機の電源は、世界初の新技術の187の発電回路を、積載内臓した62の2連振子
型機械式発電機の電源または、187の発電回路を積載した世界初の新技術の178の組み立て解体可能な軽水素ニッケル発電回路循環発電バッテリーの電源を使用して、通常の水
と異なる263の軽水素トリチウム酸素水を、世界初の燃料電池の発電物質とした世界最新型の燃料電池発電機で有る。
【０１２４】
図29の、世界初の公共事業対策として、水素無給油型の132の無害水素無給油の全自動循環連続作動燃料電池水発電機は、263の軽水素トリチウム酸素水を、使用して3の高速真
空装置で、263の軽水素酸素水を瞬間気化させて、215の燃料電池発電室の177の液体マグネシウム入り軽水素トリチウム電子入りシリコン熱発電膜圧電素子磁石粒子発電体パネ
ルに、263の軽水素酸素水を、瞬間吸収させて発電させる事が出来る燃料電池発電機装置。
【０１２５】
図29の、世界初の公共事業対策として、水素無給型の132の無害水素無給油全自動循環連続発電の燃料電池水発電機は、世界初の新技術の177の液体マグネシウム入り軽水素ト
リチウム電子入りシリコン熱発電膜圧電素子磁石体発電発電体パネルに、世界初の新技術の263の軽水素酸素水を、瞬間吸収発電させる事で、263の軽水素酸素水が再び出来る
事に成り、174の水タンク室に、263の軽水素酸素水が、貯えられて、備えつけの水位センサーが満水を示すと同時に全自動で、世界最新技術の175の高出力水中ポンプによって
世界初の新技術の2のスクリュー官を通じて、172の水車回転板に取り付けられている世界初の新技術の6の高出力ダイナモを、水の流れスピード力を使った175の高出力水中ポ
ンプを連続作動させて発電出来る世界初の新技術の132の燃料電池の263の軽水素酸素の175の高出力水中ポンプの水力すなわち水の流れの力を、使った発電装置を、別に積載し
ている世界初の新技術の132の無害水素無給油の全自動循環連続発電の燃料電池水発電機に成る。
【０１２６】
図29の、世界初の公共事業対策として、132の水素無給油型の全自動循環連続発電型の燃料電池水発電機の4番目の発電装置として、2のスクリュー官に内蔵積載した世界最新技
術の燃料電池発電機が、軽水素と酸素の液体マグネシウムの瞬間吸収発電時に大量の無駄な熱エネルギーを、発生させる為、その熱エネルギーを瞬間熱電気磁気変換して、電
気を回収する世界初の新技術の実施構造形態は、2のスクリュー官に、176の軽水素トリチウム電子入り圧電素子磁石体内臓シリコンダイオード熱発電パネル官装置を取り付け
た、熱エネルギーを、軽水素トリチウム電子入りシリコンが、瞬間熱吸収して、軽水素トリチウム電子入り圧電素子磁石体粒子によって、熱電子磁気変換を瞬間に行える装置
で有り、燃料電池の発電技術の総合発電量の増幅発電装置に成る。
【０１２７】
図29の、経済産業省が、推進する水素吸入式燃料電池自動車技術に対しての新技術として、179の都市ガスに、軽水素トリチウム電子を注入した爆発性の低いプロパン軽水素ガ
ス交換タンクを、積載した世界初の燃料電池自動車技術が有る。
【０１２８】
図29の、経済産業省が、推進する水素吸入式燃料電池自動車技術に対しての振技術として、179の都市ガスに、軽水素トリチウム電子酸素水を注入した爆発性の低いプロパンガ
ス軽水素トリチウム電子酸素水入り交換アダプタタンク積載の燃料電池電気自動車技術が有る。
【０１２９】
図30の、世界初の公共事業対策新技術として、世界最新技術の18の高出力2連結以上モーターの構造形態実施説明を始める。
本発明の図30図は、外コイル式の2連結以上モーターの説明図で有る。
従って、外コイルの180の銅筒官コイルプラス配線A1〜A5の外コイル配線構造は、170の銅筒官コイル配線に171の軽水素トリチウム電子入り圧電素子磁石体電気配線構造を内蔵
した世界初の電気の通り易い物質だけで作った170の銅筒官コイル配線を、モーター外コイル配線とした世界初の新技術構造形態説明に成る。
【０１３０】
図30の、世界初の公共事業対策新技術の18の高出力2連結以上モーターの外コイル式の内側の永久磁石の世界最新技術説明に成る。
本発明の、外コイル式内側永久磁石の世界最新技術の構造形態説明として、185の複数穴空きステンレス超薄板AA〜AEの鋼鉄薄板に186の軽水素トリチウム電子入り圧電素子磁
石体超薄型永久磁石パネルのAA〜AEを、交互に貼り合わせた世界初の新技術の永久磁石構造は、軽量で、磁気力が同じに成る鋼鉄永久磁石の超薄板を、複数枚使用した世界初
のモーター内コイルの永久磁石の構造形態説明に成る。
【０１３１】
図30の、世界初の公共事業対策新技術の18の高出力2連結以上モーターに世界最新技術の216の電磁誘導発電装置は、170の銅筒官コイル配線の171の軽水素トリチウム電子入り
圧電素子磁石体電気配線を巻いた、185の複数穴空きステンレス超薄板と186の軽水素トリチウム電子入り圧電素子磁石体超薄型永久磁石体パネルに170の銅筒官コイル配線を、
巻いた世界初の電磁誘導電磁石または永久磁石を積載使用した216の電磁誘導発電装置説明で有る。
【０１３２】
図31の、世界初の公共事業対策新技術の、187の発電回路は、188のプラス発電回路と189のマイナス発電回路の世界最新技術の193の軽水素トリチウム電子入り圧電素子磁石体
プラス磁極に190の通常プラス電気を、192のＮ極へ強い190のプラス電気打撃を、193の軽水素トリチウム電子入り圧電素子磁石体に流す事によって、194の圧電素子プラス磁石
体のプラス電気打撃増幅プラス電気を、194のプラス増幅電気回収銅板配線装置によって、プラス増幅電気を回収できる191のプラス電気電圧増幅装置の188のプラス発電回路の
構造形態の作動実施説明で有る。
そして、189のマイナス発電回路は、196の通常マイナス電気の電気打撃を、198のＳ極の199の軽水素トリチウム電子入り圧電素子磁石体マイナス磁極に強い196のマイナス電気
打撃を与える事で、軽水素トリチウム電子の圧電素子磁石体のマイナス磁気効果によって、200のマイナス増幅電気を、得る事が出来る世界初の189のマイナス発電回路装置で
有る。
【０１３３】
図32の、世界初の公共事業対策新技術の、ソーラーパネルの夜でも、暖かい雨の日でも、発電出来る世界最新技術の205の軽水素トリチウム電子入り圧電素子粒子入りシリコン
ソーラーパネルは、通常のシリコンソーラーパネル構造に、軽水素トリチウム電子と圧電素子磁石体粒子を、積載内臓させた世界初の外気温つまり、夜でも外気温度が高い場
合発電出来る世界初の新技術ソーラーパネルに、暖かい雨の日でも発電出来る206の複数穴空き液体マグネシウム内臓圧電素子磁石体パネルを、筋状に205の軽水素トリチウム
電子入り圧電素子粒子入りシリコンソーラーパネルに組み込んだ世界初の温度の高い夜でも、発電出来て、暖かい雨降りでも、発電出来る世界初のソーラーパネルの構造形態
実施説明で有る。
此の場合、コンクリートの低い温度と別にする為に、204の発砲スチロール熱絶縁体を、ソーラーパネルとコンクリートの間に取り付けた世界初の装置構造形態説明で有る。
【０１３４】
図33の、世界初の公共事業対策新技術の、一戸建て及びマンションの個室に取り付ける熱煙感知センサーの構造携帯の取り付け実施説明を始める。
昔から、良く使用されて来た煙せんさーに、新たに210の熱感知センサーを取り付けた世界最新技術の軽水素トリチウム電子入り圧電素子磁石体粒子内蔵シリコン熱吸収発電パ
ネルを、使用した210の熱感知センサーで有る。
ちなみに、210の熱感知センサーの電源は、213の循環発電型発電回路内蔵充電池及び214の自動電池及び215の自動充電池及び216の2連振子型自動充電池等の交換しなくても連
続発電可能な発電池装置を使用する事で、217の緊急ライト装置は、軽水素トリチウム電子入りダイオードライト玉の世界最新技術を、使用しており、212の携帯波連絡装置を
内蔵して、264の超小型カメラを、210の熱感知センサーに取り付けた構造で有る。
今までと異なった、211のブザー及びメロデー音及び音声切換えスイッチ付き超小型スピーカー装置などが、内蔵設置に成っている世界初の新技術を結集した210の熱感知セン
サーの設置状況の形態説明で有る。
【０１３５】
図34の、世界初の公共事業対策新技術の、218の発酵合成堆肥熱発電パネル装置の構造形態の設置実施説明を始める。
従って、合成堆肥は、225の木材チップ粉材及び笹チップ粉材及びスイトコンチップ粉材及び乾燥雑草チップ粉材及び乾燥魚カス粉材及び乾燥麹粉材及び乾燥乳酸菌粉材及び乾
燥納豆粉材など、発酵に応じた粉材のブレンドの225の合成発酵粉材を、219の亜麻袋に入れて、袋底式板装置には、220の発砲スチロールプラスチック内蔵パネル板を敷いてか
ら225の合成発酵材を入れる構造に成る。
此の場合、発電装置として、世界最新技術の223の軽水素トリチウム電子入り圧電素子磁石体粒子内蔵シリコン熱吸収発電パネルを、225の合成発酵材と交互に複数重ね合わせ
る技術と、224の軽水素とりちうむ電子入り酸素水を、発酵促進剤として少し加えて、222の複数穴空き軽水素トリチウム電子圧電素子磁石体粒子パネル液体マグネシウム内臓
シリコン熱発電装置は、225の合成発酵材の水蒸気発電と熱吸収発電の両方が出来る装置。
従って、226の発酵合成堆肥発電パネル配線が、取り付けられる構造に成る。
この他、221の圧電素子磁石体被せ銅配線構造も、銅線の錆び止めと銅線より電気の通り易い物資配線を、重ねた電気配線で有り、最後にプラスチックビニールを被せた世界初
の電気の通り易い電気配線で有る。
【０１３６】
図35の、世界初の公共事業対策新技術の、225の合成発酵材を、使った発酵熱発電装置の別構造装置の形態形状説明を始める。
従って、225の合成発酵材は、219の麻袋または、木製の箱及びプラスチックの箱などが考えられるが、麻袋が熱電動が良いと考えられ使用され、227の複数穴空きスクリュー官
軽水素トリチウム電子入り圧電素子磁石体粒子内蔵シリコン熱発電装置を取り付けた場所に、225の合成発酵材と224の軽水素トリチウム電子酸素水を入れる事によって、発酵
速度を高めて、発酵熱は、2のスクリュー官を通じて世界最新技術のモーターの99の高出力卍形状インバータ制御モーターを積載した228の農業用ハウス熱送風管は、世界最新
技術の231の軽水素トリチウム電子入り酸化鉄内蔵鋼鉄銅筒官装置をゆっくり99の高出力卍形状モーター回転させる事で、酸化鉄と軽水素トリチウム電子の混合撹拌によって、
熱を、発生させて送風する世界初の電熱線を一切使用しない熱風送風の有りかたの構造形態実施状況の説明で有る。
【０１３７】
図36の、世界初の公共事業対策新技術の225の合成発酵粉材を使った、236の合成発酵材入り床パネル発電装置は、236の合成発酵材発電装置部分は、プラスチック及び木材等の
容器に、225の合成発酵材を入れて223の軽水素トリチウム電子入り圧電素子磁石体粒子内蔵シリコン熱発電装置パネルを取り付けた235の強化プラスチックリング内蔵ゴムパッ
キンを、取りけた上で234の合成発酵材発電パネル蓋装置を、ポルトナット止めした236の合成発酵材入り床パネル発電装置を232の家の周りまたは家の室内の床または家の屋根
等に、取り付けた装置。
【０１３８】
図37の、世界初の公共事業対策新技術の237の、高出力モーター発酵合成堆肥発電パネルは電気自動車のバッテリー電気自動車に匹敵する程簡単な発電装置の設置位置として、
240の後座席に、238の発酵合成堆肥発電パネルを設置する為、電気自動車の前のボンネット部分と後部ボンネット部分が空く計算に成る。
更に、世界で電気消費の少ない99の高出力卍形状インバータ制御モーターの設置と223の軽水素トリチウム電子入り圧電素子磁石体粒子内蔵シリコン熱発電パネル装置と発砲ス
チロール板装置で、238発酵合成堆肥発電パネルの熱を外に漏れな対策をして、連続の238の発酵合成堆肥発電の熱吸収発電と軽水素酸素水蒸気の燃料電池合成発酵材パネル発
電を可能にした世界初の電気自動車の動力源の装置設置形態説明。
【０１３９】
図38の、世界初の公共事業対策新技術は265の、合成発酵材熱臭い漏れ防止装置は、268の金属カバー装置と267の発砲スチロールを重ね合わせて組み合わせた構造の266の3重カ
バー枠装置構造は、225の合成発酵材熱臭い漏れ防止装置の臭い漏れと特に熱漏れ防止装置に成っておる構造で有り、13の高出力電動モーター仕切り弁装置と99の高出力卍形状
インバータ制御モーター付きの241の合成発酵材出し入れ口の付いた、内部構造が、242の内部壁軽水素トリチウム電子入り圧電素子磁石体粒子内蔵シリコン熱発電パネルの内
壁構造又は、燃料電池パネルの複数穴空き液体マグネシウム内蔵圧電素子パネル等を合わせて内蔵する事で、発酵熱水蒸気連続発酵熱パネルの燃料電池パネルを内蔵した世界
初の、265の合成発酵材熱臭い漏れ防止装置の合成発酵材の連続無休憩発電装置。
【０１４０】
図39の、世界初の公共事業対策新技術は、269の複数針穴式液体マグネシウム内臓圧電素子磁石体発電パネルと248の軽水素トリチウム電子入り圧電素子粒子内蔵シリコンダイ
オード発電シートを、貼り合わせた構造の270の合成発酵材熱水蒸気発電装置パネル及びシート装置で有る。
この他、249の合成発酵材入り合成軽水素トリチウム電子入り発酵材入り軽水素トリチウム電子入り発酵材入り軽水素トリチウム電子入り圧電素子粒子内蔵発電シート方式また
は、247多層合成発酵材入り発電重ねシート装置なども有る。
合成発酵材内蔵の発電装置は、245のプラスチック板に、246のゴムパッキンを取り付けた特殊パッキンを取り付けた270の合成発酵材熱水蒸気発電装置に成る。
他に、243の銅配線にガラス素材を被せた銅ガラス被せ筒官配線にプラスチックを被せた装置なとも有る。
【０１４１】
図40の、世界初の公共事業対策新技術は、電気配線のプラスチック絶縁体の寿命を、延ばす為の電気配線の絶縁体構造形態説明を始める。
従って、地下ケーブル配線は、プラス配線官とマイナス配線官を、今までの考え方とは丸っきり異なるプラス配線官とマイナス配線官を、別々にした地下ケーブル電気配線官
構造にして、250の差し込み型銅筒官配線は、金属官に内蔵された配線の移動によって繋がれ、254のガラス筒官複数配線ジョイント切断防止アダプタ装置は、253のアルミニュ
ームジョイントアダプタカバーと252の乾燥竹チップ粉入りシリコンクッションシート等に保護された255の劣化防止ケーブル配線に成る。
この他、251の軽水素トリチウム電子入り圧電素子磁石体粒子内蔵超微量シリコン内蔵超微量シリコン内蔵銅筒官配線等も有る。
【０１４２】
図41は、日本初の公共活動の都道府県市町村区のお見合いシステムと日本国の少子高齢化対策の近道として、都道府県市町村区のインターネット登録の無料婚活の実施形態を、
図番によって、紹介及び略説明を、行って行く。
従って、271の都道府県市町村区のお見合い登録センターへ行く事から始まり、272のインターネット登録の為の身分証明書と年間所得証明書の登録と、273の固定資産税証明書
働いている場所証明書を登録して、274の家族構成証明書を登録して、275の結婚相手の登録を行う作業になる。
次に、276の個人情報の露営防止の為に、インターネットで見る為の、パス番号を都道府県市町村区から貰う事に成り、277の相手が見つかると都道府県市町村区の役所に連絡
して交際の段取りに成る。
更に、278の都道府県市町村区では、パーティー会場及び全国の婚活パーティー会場を用意して低所得者でも、参加出来る質素なものとする。
次に、279の、全国のお見合いを、低価格で出来る集団見合いを、貸切バス等によって、会費制の低料金で行える用に都道府県市町村区で、仲介を行う
最終的に、280の決まれば結婚に成り、都道府県市町村区の低所得者向けの住居の案内、仕事の案内を、都道府県市町村区で行う事を、可能にする為の、都道府県市町村区の婚
活インターネット登録の無料登録の概要の形態実施説明で有る。
【０１４３】
図42は、先発明の著作権文書図を、北海道知事に送った時の郵便封筒の写しと送った日の証明のコンビニの切手領収書で有る。
【符号の説明】
【０１４４】
1    高出力ダイナモ発電装置(世界初の通常ダイナモの発電量と圧電素子磁石体の電気打撃圧電素子発電及び軽水素トリチウム発電出来る世界初のダイナモで有る。)
2    スクリュー官
3    高速真空装置
4    高速気化水送り官
5    気化水送り官
6    通常ダイナモ
7    高出力ダイナモカバー
8    ダイナモ軸
9    高出力軽水素トリチウム電子入り圧電素子磁石体
10   取り付け金具
11   高速スクリュー水水車板
12   雨水と増水河川水の瞬間気化装置(超高速真空装置)
13   高出力電動モーター仕切り弁装置
14   エアー取り込み官装置
15   水位センサー
16   水力ダム残水取り入れ口
17   錆び止めアルミニューム地下貯水官
18   高出力2連結以上モーター 
19   鋼鉄枠
20   モーター軸
21   軽水素トリチウム電子入り圧電素子磁石体
22   複数穴空きステンレス鋼鉄板
23   銅筒官コイル板
24   軽水素トリチウム電子入り圧電素子磁石体粒子物質
25   気化水エアー取り込み口プロペラ板
26   気化水エアー補助送りプロペラ装置
27   ダム水戻り官
28   高速真空装置貯水槽
29   海水取り入れ官
30   海水の残り物の海塩
31   飲料水貯蓄タンク
32   気化水送りプロペラ
33   ダム水取り入れ口
34   固形窒素グラスファイバー型枠(燃料電池発電パネルは、他人の特許)
35   透明グラスファイバーコンクリート防護枠
36   パネル接続取り付け部分
37   世界最新型ソーラーパネル
38   軽水素トリチウム電子入り圧電素子磁石体粒子内蔵シリコンソーラーパネル
39   鉄道敷地
40   スクリューエアー除雪装置
41   超小型コンプレッサー
42   スクリューエアー配管
43   舗装熱発電パネル
44   熱電動金属
45   セラミック及び陶器 
46   軽水素トリチウム電子入り圧電素子磁石体粒子内蔵シリコン熱吸収発電パネル装置
47   舗装歩道
48   海上滑走路(2009年沖縄米軍騒音防止環境修復可能飛行場)
49   掘削ドリル
50   穴空き鉄筋入りコンクリート空洞杭
51   鋼鉄イボ付き杭
52   ビニールナイロンカバー付き鋼鉄杭固定装置
53   杭頭部分Ａ
54   杭頭部分Ｂ
55   河川水取り込みシールド官
56   高速真空装置河川水気化処理装置
57   電動モーター仕切り弁水門
58   固形窒素入り塩化プラスチック官(三重プラスチック官)
59   コンクリート水門
60   風呂排水台所排水取り入れ口の高出力電動モーター仕切り弁装置
61   風呂排水台所排水濾過水気化水取り入れ官
62   2連振子型機械式発電機
63   台所流し水及び風呂排水の廃棄物→別名排水貯水タンク
64   リモコン高出力モータータイヤ
65   生活排水瞬間濾過処理装置
66   真空装置
67   マンホール水道下水道ガス電気配線テレビ配線ラジオ配線インターネット配線位置連絡ＧＰＳ装置
68   鍵付きマンホール蓋
69   軽水素トリチウム電子入り圧電素子磁気粒子内蔵シリコンダイオードソーラーパネル装置
70   衛星波送受信装置
71   一つ削り合わせ魚眼とつレンズ
72   自動充電池(または2連振子型充電池)
73   軽水素トリチウム電子入り発光ダイオードライト装置
74   衛生位置確認地図内蔵ガス濃度全自動確認認知連絡装置
75   最新式混合ゴミプラスチック回収装置
76   現在燃やしている混合ゴミプラスチックを、熱でかして集める   
77   安い使い道のない海砂と廃棄プラスチックを、混合合成
78   プラスチック海砂粒子を使って、草の生えて困る場所やビルとビルとの間に使用
79   将来石油汲み上げゼロになった場合、プラスチック不足の場合は、プラスチック最利用材にする
80   固形窒素入りグラスファイバーコンクリート劣化防止永久パネル取り付けビル
81   軽水素トリチウム電子入りシリコン網入り二枚合わせ熱エネルギー発電ガラス
82   鋼鉄四角形型波形状繋ぎ装置→    複数穴空きタイプは、溶接可能で有る。
83   鋼鉄四角形型波形状鉄筋
84   滑り止め砂鉄→鉄筋滑り止め吹き付け鉄筋
85   錆び止めグラスファイバー溶液取り付け鉄筋
86   空気清浄機
87   循環発電回路積載バッテリー装置
88   軽水素トリチウム電子入り酸素水タンク
89   軽水素トリチウム電子入り圧電素子磁石体粒子内蔵シリコン外気熱吸収発電パネル
90   高出力モーター電磁誘導発電装置
91   水車板型エアー取り込みプロペラ
92   エアー取り込みスクリュー官
93   酸化鉄スクリューエアー撹拌温風装置
94   圧電素子4電子磁気分割装置
95   浄化酸素排出口
96   複数針穴空き液体マグネシウム入り軽水素トリチウム電子入り圧電素子磁石体発電フイルター
97   エアー取り込み口
98   水量計
99   高出力卍形状インバータ制御モーター
100  インバータ制御高出力電磁石
101  人工合成永久磁石部分
102  複数穴空き軽金属モーター内コイル板
103  高出力電磁石複数穴空きステンレス鋼鉄薄板
104  銅筒官コイル配線
105  軽水素トリチウム電子入り圧電素子磁石体を被せた装置
106  換気栓フイルター後付け用金属ベルト取り付け型
107  通常家庭換気栓及びクーラー装置
108  スプリングフイルター留め金装置
109  三重フイルター
110  スッポンジフイルター
111  十字網入りガーゼ合成活性炭フイルター
112  グラスファイバー糸フイルター
113  木材活性炭入り稲ワラ炭及び麦わら炭及び雑草炭
114  風呂槽
115  湯沸かし装置取り付け装置
116  液体マグネシウム内蔵軽水素トリチウム電子入り圧電素子磁石体複数針穴空き燃料電池風呂壁発電パネル
117  風車風送り装置
118  液体軽水素トリチウム電子入り圧電素子磁石体粒子内蔵シリコン風呂湯熱貯蔵発電装置
119  調理器具燃料電池ダブル発電パネル
120  電子レンジののぞき窓
121  複数針穴式の液体マグネシウム内蔵軽水素トリチウム電子入り圧電素子磁石体粒子入りシリコンダブル発電パネル
122  銅粒子入り酸化鉄
123  鍋取っ手
124  ダブル発電鍋蓋装置
125  プラグ
126  銅板
127  永久磁石
128  酸化鉄粒子
129  銅金属板
130  お湯
131  鍋底
132  無害水素無給油型の全自動循環連続発電型の燃料電池水発電機
133  三連エアーフイルター
134  モーター撹拌装置
135  タイヤ入りホイルチューブレスタイヤ
136  踏み台
137  ＧＰＳ衛星アンテナ
138  梯子
139  スクリュー雪の気化水放出官
140  気化水放出
141  でん粉カス及び鶏糞及び魚カス取り込み口
142  撹拌装置
143  高出力モーター
144  仕切りコンクリート壁
145  発酵熱軽水素トリチウム電子入り圧電素子磁石体粒子内蔵シリコン発電パネル
146  木材廃材粉及び笹乾燥粉材及び竹乾燥粉材及び麦ワラ乾燥粉材及び稲ワラ乾燥粉材及び雑草乾燥粉材の合成発酵材
147  木材活性炭フイルター
148  複数穴空きアルミニューム金属
149  アルミニューム板パネル及びジュラルミン板パネル及び合金板パネル及びグラスファイバー板パネル
150  パネル取り付け金具
151  パネルダブル開板取付金具
152  内ドア
153  パネルＬ型取り付け金具
154  トイレ排泄物取り込み口
155  アンモニア水高出力遠心分離機
156  アンモニア取り込み口→塩化アンモニア
157  乾燥粉末トイレ廃棄物→石灰合成→山林肥料及び牧草地肥料
158  発電残水取り込み口
159  複数針穴空き液体マグネシウム内蔵軽水素トリチウム電子入り圧電素子発電パネル
160  リニアーモーターカー電磁石
161  合成重ね合わせ永久磁石
162  軽水素トリチウム電子入り圧電素子磁石体
163  複数穴空き鋼鉄板
164  軽水素トリチウム電子入り圧電素子磁石体内臓銅筒官コイル配線
165  圧電素子粒子発光ダイオード粒子軽水素合成磁石体粒子
166  軽水素トリチウム電子入り圧電素子磁石体粒子内蔵シリコン塗料
167  リニアーモーターカー
168  緊急放水リニアーモーターカーブレーキ
169  浮上用リニアーモーターカー高出力電磁石
170  銅筒官コイル配線
171  軽水素トリチウム電子入り圧電素子内臓電気配線
172  水車回転板
173  水位センサー
174  水タンク
175  高出力水中ポンプ
176  軽水素トリチウム電子入り圧電素子磁石体内臓シリコンダイオード熱発電パネル官装置
177  複数針穴式の液体マグネシウム入り軽水素トリチウム電子入りシリコン熱発電膜圧電素子磁石体発電体パネル
178  組立解体可能な軽水素ニッケル発電回路循環発電バッテリー
179  都市ガスタンクに軽水素を入れた軽水素都市ガス装置
180  銅筒官コイルプラス配線Ａ1〜Ａ5
181  銅筒官コイルマイナス配線Ｂ1〜Ｂ5
182  磁気反射型絶縁体→2009年12月10日追加書き超小型軽水素トリチウム電子入り複数圧電素子磁石体を並べた軽水素トリチウム電子入りシリコンプラスチック絶縁体
183  蝶つがい装置
184  モーター外カバー固定金具Ａ〜j
185  複数穴空きステンレス鋼鉄超薄板ＡＡ〜ＡＥ
186  軽水素トリチウム電子入り圧電素子磁石体超薄型永久磁石パネルＡＡ〜ＡＥ
187  発電回路→プラス発電回路マイナス発電回路の二つの発電回路
188  プラス発電回路
189  マイナス発電回路
190  通常プラス電気
191  プラス電気電圧増幅装置
192  Ｎ極
193  軽水素トリチウム電子入り圧電素子磁石体プラス磁極
194  プラス増幅電気
195  軽水素トリチウム電子入り圧電素子磁石体マイナス磁石体
196  通常マイナス電気
197  マイナス電気電圧増幅装置
198  Ｓ極
199  軽水素トリチウム電子入り圧電素子磁石体マイナス磁極
200  マイナス増幅電気
201  軽水素トリチウム電子入り圧電素子磁石体プラス磁石体
202  ソーラーパネル止めポルト穴
203  固形窒素コンクリート劣化防止装置
204  発砲スチロール熱絶縁体
205  軽水素トリチウム電子入り圧電素子粒子入りシリコンソーラーパネル→ソーラーパネル増幅外気熱発電装置
206  複数穴空き液体マグネシウム内臓圧電素子磁石体パネル
207  軽水素トリチウム電子入り圧電素子粒子内蔵シリコンソーラーパネル
208  軽水素入り圧電素子磁石体合成液体マグネシウム
209  軽水素トリチウム電子入り圧電素子磁石体内臓シリコンダイオード熱感知パネル
210  熱感知センサー
211  ブザー音及びメロディ音及び音声切換えスイッチ付き発信装置
212  携帯波連絡装置
213  循環発電型発電回路内蔵充電池
214  自動電池
215  自動充電池
216  2連振子型自動充電池
217  緊急ライト装置
218  発酵合成堆肥熱発電パネル装置
219  麻布袋
220  発砲スチロールプラスチック内蔵パネル
221  圧電素子被せ銅配線
222  複数針穴空き型の軽水素トリチウム電子入り圧電素子磁石体粒子パネル液体マグネシウム内蔵シリコン熱発電装置
223  軽水素トリチウム電子入り圧電素子磁石体粒子内蔵シリコン熱吸収発電パネル
224  軽水素トリチウム電子酸素水
225  合成発酵材→乾燥魚カス粉材及び木材チップ粉材及び乾燥笹チップ粉材及び乾燥竹チップ粉材及びスイトコン茎粉材及び乾燥雑草粉材及び乾燥牛乳粉材など他有り
226  発酵合成堆肥熱発電パネル配線→軽水素トリチウム電子入り圧電素子磁石体部分に銅線配線をプラス磁極マイナス磁極に取り付けた装置
227  複数穴空きスクリュー官の軽水素トリチウム電子入り圧電素子磁石体粒子内蔵シリコン熱吸収磁気電子変換発電装置
228  農業用ハウス熱送風管
229  モーターフアン電熱送風管
230  合成発酵材発電電気配線
231  軽水素トリチウム電子入り酸化鉄内蔵鋼鉄銅筒官装置
232  合成発酵材熱発電床パネル装置
233  化粧デザインパネル発酵ダイオード熱発電軽水素トリチウム電子入りデザインライトパネル
234  合成発酵材発電パネル蓋装置
235  強化プラスチックリング内蔵ゴムパッキン及び金属内蔵ゴムパッキン
236  合成発酵材発電装置部分
237  高出力モーター発酵合成堆肥発電パネル電気自動車
238  発酵合成堆肥発電パネル
239  前座席
240  後座席
241  合成発酵材出し入れ口
242  内部壁軽水素トリチウム電子入り圧電素子磁石体粒子内蔵シリコン熱発電パネルの内壁
243  銅ガラス被せ筒配線
244  電極
245  プラスチック板
246  ゴムパッキン
247  多層合成発酵材入り発電重ねシート装置
248  軽水素トリチウム電子入り圧電素子粒子内蔵シリコンダイオード発電シート
249  合成発酵材入り軽水素トリチウム電子入り圧電素子磁石体粒子内蔵シリコン発電シート
250  刺し込み型銅筒官配線
251  軽水素トリチウム電子入り圧電素子磁石体粒子内蔵銅筒官配線
252  乾燥竹チップ粉入りシリコンクッションシート
253  アルミニュームジョイントアダプタカバー
254  ガラス筒官複数配線ジョイント切断防止配線アダプタ装置
255  劣化防止ケーブル
256  グラスファイバー防護配線カバー
257  雪かき込機
258  クリスタルガラス
259  プラス電極配線
260  マイナス電極配線  
261  軽水素トリチウム電子入り圧電素子磁石体粒子内蔵シリコンダイオード熱発電パネル
262  雪取り込み室
263  軽水素酸素水
264  超小型カメラ
265  合成発酵材熱臭い漏れ防止装置
266  3重カバー枠装置
267  発砲スチロール
268  金属カバー装置
269  複数針穴式液体マグネシウム内蔵圧電素子磁石体パネル
270  合成発酵材熱水蒸気発電装置
271  都道府県市町村区のお見合いセンターへ行く
272  インターネット登録の為の身分証明書
273  固定資産税証明書及び働いている場所の証明書
274  家族構成証明書などを登録
275  結婚相手の希望を登録
276  インターネットで見る為のパス番号を、貰う
277  相手が見つかると役所のインターネットへ連絡して交際
278  市役所では、パーテイー婚活パーティーを低額会費で開く
279  全国のお見合いが出来る用に地方の市役所が仲買人
280  決まれば結婚
【図１】
2010165355.tif 000003
【図２】
2010165355.tif 000004
【図３】
2010165355.tif 000005
【図４】
2010165355.tif 000006
【図５】
2010165355.tif 000007
【図６】
2010165355.tif 000008
【図７】
2010165355.tif 000009
【図８】
2010165355.tif 000010
【図９】
2010165355.tif 000011
【図１０】
2010165355.tif 000012
【図１１】
2010165355.tif 000013
【図１２】
2010165355.tif 000014
【図１３】
2010165355.tif 000015
【図１４】
2010165355.tif 000016
【図１５】
2010165355.tif 000017
【図１６】
2010165355.tif 000018
【図１７】
2010165355.tif 000019
【図１８】
2010165355.tif 000020
【図１９】
2010165355.tif 000021
【図２０】
2010165355.tif 000022
【図２１】
2010165355.tif 000023
【図２２】
2010165355.tif 000024
【図２３】
2010165355.tif 000025
【図２４】
2010165355.tif 000026
【図２５】
2010165355.tif 000027
【図２６】
2010165355.tif 000028
【図２７】
2010165355.tif 000029
【図２８】
2010165355.tif 000030
【図２９】
2010165355.tif 000031
【図３０】
2010165355.tif 000032
【図３１】
2010165355.tif 000033
【図３２】
2010165355.tif 000034
【図３３】
2010165355.tif 000035
【図３４】
2010165355.tif 000036
【図３５】
2010165355.tif 000037
【図３６】
2010165355.tif 000038
【図３７】
2010165355.tif 000039
【図３８】
2010165355.tif 000040
【図３９】
2010165355.tif 000041
【図４０】
2010165355.tif 000042
【図４１】
2010165355.tif 000043
【図４２】
2010165355.tif 000044